(57)【特許請求の範囲】
【請求項１】
コンポーネントのフランジを折りたたむためのフランジ加工プレス機であって、前記フランジ加工プレス機は静止状態で配置され、少なくとも、
（ａ）フランジ（Ｃ）を折りたたむために、その上において、コンポーネント（Ｂ）がプレス方向（Ｆ）においてプレスされることができるように、フランジ加工ベッド（１１）を備えるベース構造（１）と、
（ｂ）前記フランジ（Ｃ）を折りたたむためのフランジ加工ダイ（２１）を装備する、フランジ加工ダイユニット（２）と、
（ｃ）折りたたむことを目的として、前記コンポーネント（Ｂ）に作用するプレス力を発生させるためのプレスドライブ（６０）と、を含み
（ｄ）前記フランジ加工ダイ（２１）および前記フランジ加工ベッド（１１）は、プレス力を働かせるために、前記プレスドライブ（１４、６０）の手段によって前記プレス方向（Ｆ）に互いに対して移動可能であり、
（ｅ）前記プレスドライブ（６０）は、圧力流体で充填されることができるふいご（６０）であって、圧力が加えられた時に前記フランジ加工ダイユニット（２）あるいは前記フランジ加工ベッド（１１）に前記プレス方向（Ｆ）に作用し、これにより少なくとも幾分かのプレス力を発生するふいご（６０）を含み、
（ｆ）前記プレスふいご（６０）は、前記プレス方向（Ｆ）を横断する方向に延び、圧力流体で充填されることができる、ふいごエリア（６２）を含み、
（ｇ）前記フランジ加工プレス機は、ヘミング加工中に前記コンポーネント（Ｂ）を押さえつけるためのサプレッサ（３）をさらに含み、
前記サプレッサ（３）は、
空間的に移動可能なアクチュエータに取り付けるための取り付けデバイス（３４）と、
前記コンポーネント（Ｂ）が前記フランジ加工プレス機に移動されることができ、かつ、前記サプレッサ（３）の手段によって前記フランジ加工ベッド（１１）に位置させることができるように、前記コンポーネント（Ｂ）を保持するための保持デバイスを含み、
（ｈ）前記ベース構造（１）あるいは前記フランジ加工ダイユニット（２）は、ガイド要素（１５）を含み、
前記サプレッサ（３）は、前記コンポーネント（Ｂ）を挿入している間、前記ガイド要素（１５）と前記サプレッサ（３）のガイドカウンタ要素（３５）との間のガイド係合の手段によって、前記サプレッサ（３）を前記フランジ加工ベッド（１１）に対してガイドするガイドカウンタ要素（３５）を含むことを特徴とする、フランジ加工プレス機。
【請求項２】
前記ふいごエリア（６２）は、前記プレスふいご（６０）が加圧空気を２０バール以下の圧力で届ける加圧空気源に接続された時にフランジ加工に必要なプレス力が前記プレスふいご（６０）を通じて加えられることができるように、十分に広いこと特徴とする、請求項１に記載のフランジ加工プレス機。
【請求項３】
前記プレスふいご（６０）は、
前記フランジ加工ダイユニット（２）から離れる方に向かう前記フランジ加工ベッド（１１）の裏側、あるいは、
前記フランジ加工ベッド（１１）から離れる方に向かう前記フランジ加工ダイユニット（２）の裏側に配置されることを特徴とする、請求項１あるいは２のいずれか１項に記載のフランジ加工プレス機。
【請求項４】
請求項１〜３のいずれか１項に記載のフランジ加工プレス機であって、以下の特徴のうち少なくとも１つを有するフランジ加工プレス機：
（ｉ）前記プレスふいご（６０）は、前記フランジ加工ベッド（１１）あるいは前記フランジ加工ダイユニット（２）に、前記プレス方向（Ｆ）に直接作用する、
（ｉｉ）前記プレスふいご（６０）は、前記プレス方向（Ｆ）および反プレス方向に移動可能であるように前記フランジ加工ベッド（１１）、あるいは、前記ベース構造（１）の枠組み（１３）上の前記フランジ加工ダイユニット（２）のいずれかを支持する。
【請求項５】
前記ベース構造（１）は、枠組み（１３）および前記枠組み（１３）に対し前記プレス方向（Ｆ）に移動可能であるベアリング構造（１０）を含み、
前記フランジ加工ベッド（１１）は、前記ベアリング構造（１０）の、前記フランジ加工ダイユニット（２）に向かう前側に配置され、
前記プレスふいご（６０）は、前記ベアリング構造（１０）の、前記フランジ加工ダイユニット（２）から離れる方に向かう裏側に配置されることを特徴とする、請求項１〜４のいずれか１項に記載のフランジ加工プレス機。
【請求項６】
前記プレスふいご（６０）は、フレキシブルふいご壁（６１）、第１ふいご搭載構造（６２、６３）、および第２ふいご搭載構造（６２、６３）を含み、これらのうちの１つは、圧力流体が充填されることができる前記ふいごエリア（６２）を形成可能であり、
前記フレキシブルふいご壁（６１）は、プレス加工軸線（Ｆ）を囲み、
前記第１ふいご搭載構造（６２、６３）は、前記フレキシブルふいご壁（６１）の一方のエンドに面する側に配置され、前記第２ふいご搭載構造（６２、６３）は、前記フレキシブルふいご壁（６１）の他方のエンドに面する側に配置され、
前記ふいご搭載構造（６２、６３）は、それぞれ、流体シールにて、前記フレキシブルふいご壁（６１）に固定されて接続されることを特徴とする、請求項１〜５のいずれか１項に記載のフランジ加工プレス機。
【請求項７】
少なくとも前記ふいご搭載構造（６２、６３）のうちの１つが、各前記ふいご搭載構造（６２、６３）をエンドに面する視点で見た時に、前記プレス加工軸線（Ｆ）の周りを円周方向に、外周に沿ってのみ、あるいは薄片の形式で、ふいご壁（６１）のエンドに面する側端部の輪郭に追従していることを特徴とする、請求項６に記載のフランジ加工プレス機。
【請求項８】
前記フレキシブルふいご壁（６１）は少なくとも前記プレスふいご（６０）が圧力が加えられた時にリングを形成し、リングは、円形リング、あるいは前記コンポーネント（Ｂ）の平面視において非円形に延長する前記フランジ（Ｃ）の輪郭に適合する円形リングとすることができることを特徴とする、請求項６あるいは７のいずれか１項に記載のフランジ加工プレス機。
【請求項９】
前記ベース構造（１）および前記フランジ加工ダイユニット（２）に対し前記プレス方向（Ｆ）および反プレス方向に移動可能であるストロークベアリング構造（１１０）をさらに含み、
前記プレスふいご（６０）は、前記ストロークベアリング構造（１１０）および前記プレスふいご（６０）が一体的に前記ベース構造（１）および前記フランジ加工ダイユニット（２）に対して移動することによって前記プレスふいご（６０）の伸長ストロークを短くできるように、間接的あるいは直接的に前記ストロークベアリング構造（１１０）に支持され、かつ、前記ストロークベアリング構造（１１０）と共に移動可能であることを特徴とする、請求項１〜８のいずれか１項に記載のフランジ加工プレス機。
【請求項１０】
１つあるいはそれ以上のフィラー体（１０９）が圧力流体が充填されることができる前記プレスふいご（６０）の内部スペースに配置されており、少なくとも１つの前記フィラー体（１０９）は、その他の点では同等のフィラー体無しの内部スペースに比較して、前記フランジ加工プレス機が作動中に必要な圧力流体の量を減少するために、最大に伸長された前記プレスふいご（６０）に対し少なくとも４０％以上内部スペースの容積を減少することを特徴とする、請求項１〜９のいずれか１項に記載のフランジ加工プレス機。
【請求項１１】
請求項６〜８のいずれか１つの第１ふいご搭載構造（６２、６３）は、枠組み（１３）あるいは請求項９または１０の前記ストロークベアリング構造（１１０）に取り付けられ、
前記フランジ加工ベッド（１１）あるいは前記フランジ加工ダイユニット（２）のいずれかは、第２ふいご搭載構造（６２、６３）により支持されることを特徴とする、請求項９または１０に記載のフランジ加工プレス機。
【請求項１２】
請求項１〜１１のいずれか１項に記載のフランジ加工プレス機であって、
別のプレスふいご（６０）をさらに含み、
少なくとも２つのプレスふいご（６０）が前記プレス方向（Ｆ）に重ねて配置されるか、あるいは隣同士に配置され、以下の特徴が少なくとも１つ含まれる、
（ｉ）前記プレスふいご（６０）は、互いに独立して、同じあるいは異なる圧力流体を装填され、あるいは圧力から解放される、
（ｉｉ）前記プレスふいご（６０）は、同じ前記プレス方向（Ｆ）において軸方向に延びるか、あるいは互いに反対の前記プレス方向（Ｆ）において軸方向に延びるように配置される。
【請求項１３】
追加ドライブ（６９）が、前記プレスふいご（６０）に加えて設けられ、
前記追加ドライブ（６９）は、前記フランジ加工ベッド（１１）に結合されて前記フランジ加工ベッド（１１）を前記プレス方向（Ｆ）あるいは反プレス方向に移動可能であるか、前記フランジ加工ダイユニット（２）に結合されて前記フランジ加工ダイユニット（２）をプレス方向（Ｆ）あるいは反プレス方向に移動可能であるかのいずれか１つであることを特徴とする、請求項１〜１２のいずれか１項に記載のフランジ加工プレス機。
【請求項１４】
前記フランジ加工ベッド（１１）あるいは前記フランジ加工ダイユニット（２）は、前記プレスふいご（６０）上に配置され、前記フランジ（Ｃ）を折りたたむために前記プレスふいご（６０）の手段によって持ち上げられることができ、
前記プレスふいご（６０）は、前記フランジ加工ベッド（１１）あるいは前記フランジ加工ダイユニット（２）を再度下降するために、重力によって、あるいは追加ドライブ（６９）の手段によって圧力から解放されることができることを特徴とする、請求項１〜１３のいずれか１項に記載のフランジ加工プレス機。
【請求項１５】
前記フランジ加工ダイユニット（２）は、前記フランジ加工ベッド（１１）から離れる方向に向かう前記フランジ加工ダイユニット（２）の裏側から、前記コンポーネント（Ｂ）を前記フランジ加工ベッド（１１）に挿入できるパッセージ（２０ａ）を含み、
前記フランジ加工ダイ（２１）は、前記パッセージ（２０ａ）を部分的にあるいは３６０°にわたって完全に囲む前記フランジ加工ダイユニット（２）の内周（２８）に配置されることを特徴とする、請求項１〜１４のいずれか一項に記載のフランジ加工プレス機。
【請求項１６】
複数の前記フランジ加工ダイ（２１）は、内周（２８）に沿って隣同士に配置でき、
前記フランジ加工ダイユニット（２）は、前記パッセージ（２０ａ）を少なくとも部分的に、フレームのように囲む、フレーム状のベアリング構造（２０）を含むことを特徴とする、請求項１５に記載のフランジ加工プレス機。
【請求項１７】
前記内周（２８）は、前記フランジ（Ｃ）の外形に近似するように外形に追従し、前記フランジ加工ベッド（１１）を軸方向に投影すると、前記フランジ（Ｃ）の全長にわたって、前記フランジ（Ｃ）の外形からの距離（ｄ）が８ｃｍ以下であることを特徴とする、請求項１５に記載のフランジ加工プレス機。
【請求項１８】
前記フランジ加工ダイ（２１）は前記フランジ加工ダイユニット（２）に対しプレス方向（Ｆ）を横断する方向に移動可能であり、
フランジ加工ダイドライブ（２２）は、前記フランジ加工ダイ（２１）を、前記プレス方向（Ｆ）を横断する方向に動かすために、前記フランジ加工ダイ（２１）に結合されていることを特徴とする、請求項１〜１７のいずれか１項に記載のフランジ加工プレス機。
【請求項１９】
前記フランジ加工ダイユニット（２）は、部分的にあるいは好ましくは完全に３６０°にわたってプレス加工軸線（Ｆ）の円周の周りに延長する内周（２８）を示す前記ベアリング構造（２０）と、前記フランジ（Ｃ）を折りたたむための複数の前記フランジ加工ダイ（２１）とを含み、
複数の前記フランジ加工ダイ（２１）は、前記プレス方向（Ｆ）においてベアリング構造（２０）に支持され、前記内周（２８）に沿って隣同士に配置され、前記ベアリング構造（２０）に対し、前記プレス方向（Ｆ）を横断する方向と前記内周（２８）を横断する方向とに、異なる横断方向（Ｑｉ）に、移動可能であることを特徴とする、請求項１〜１８のいずれか１項に記載のフランジ加工プレス機。
【請求項２０】
前記フランジ加工ダイ（２１）はそれぞれ、前記フランジ（Ｃ）が折りたたまれている時に前記フランジ（Ｃ）にプレス力を働かせ、前記プレス方向（Ｆ）において前記ベアリング構造（２０）の前記内周（２８）に支持され、
各前記フランジ加工ダイ（２１）のプレス力と前記内周（２８）との間の距離は、そしてこれによって前記フランジ加工ダイ（２１）ごとの各有効応力中心距離は、前記横断方向（Ｑｉ）に計測された、８ｃｍ以下の長さを有することを特徴とする、請求項１９に記載のフランジ加工プレス機。
【請求項２１】
前記フランジ加工ベッド（１１）は、第１当接部（１０１、１０２）に対して、プレス方向（Ｆ）および反プレス方向に移動しないように接続され、
前記フランジ加工ダイ（２１）は、第２当接部（１０３、１０４）に対して、プレス方向（Ｆ）および反プレス方向に移動しないように接続され、
前記フランジ加工ベッド（１１）あるいは前記フランジ加工ダイ（２１）は、前記当接部（１０１、１０２、１０３、１０４）が前記フランジ（Ｃ）を折りたたむために互いに当接するまで、前記ベース構造（１）の枠組み（１３）に対して、前記プレス方向（Ｆ）に移動可能であることを特徴とする、請求項１〜２０のいずれか１項に記載のフランジ加工プレス機。
【請求項２２】
前記当接部（１０１、１０３）のうちの少なくとも１つは、プレス方向（Ｆ）を横断する方向および前記フランジ（Ｃ）を横断する方向を指す横断方向（Ｑ）に移動可能であり、
前記当接部（１０１、１０３）のうちの少なくとも１つは、プレス方向（Ｆ）および横断方向（Ｑ）に対して傾く当接エリアを含み、横断方向に移動可能な前記当接部（１０３）は、当接を解消するように、そしてあらたな横断位置につくように、横断方向（Ｑ）に移動されることができることを特徴とする、請求項２１に記載のフランジ加工プレス機。
【請求項２３】
横断方向に移動可能な前記当接部（１０３）は、あらたな横断位置において、、前記フランジ加工ベッド（１１）あるいは前記フランジ加工ダイ（２１）が、前記当接部（１０１、１０３）による別の当接をもたらせるまで、さらに前記プレス方向（Ｆ）に移動されることができるように、前記プレス方向（Ｆ）における軸方向に距離をもって、別の当接部（１０１）に対向することを特徴とする、請求項２２に記載のフランジ加工プレス機。
【請求項２４】
前記第１当接部（１０２）は、前記フランジ加工ベッド（１１）に対し、ばねデバイス（１０６）の復元力に反して、前記プレス方向（Ｆ）を横断する方向および前記フランジ（Ｃ）を横断する方向を指す横断方向（Ｑ）に移動可能であるか、あるいは、
前記第２当接部（１０４）は、前記フランジ加工ダイ（２１）に対し、前記ばねデバイス（１０６）の復元力に反して、前記プレス方向（Ｆ）を横断する方向および前記フランジ（Ｃ）を横断する方向を指す横断方向（Ｑ）に移動可能であることを特徴とする、請求項２１〜２３のいずれか１項に記載のフランジ加工プレス機。
【請求項２５】
前記フランジ加工ダイ（２１）が、プレフランジ加工のための第１フランジ加工エリア（２１ａ）および最終フランジ加工のための第２フランジ加工エリア（２１ｂ）、を含むか、あるいは、前記第１フランジ加工エリア（２１ａ）を含むフランジ加工ダイ（２１）および前記第２フランジ加工エリア（２１ｂ）を含む別のフランジ加工ダイ（２１）が、フランジ加工ダイサポート（２９）に配置されており、
前記フランジ加工エリア（２１ａ、２１ｂ）は、前記プレス方向（Ｆ）を横断する方向および前記フランジ（Ｃ）を横断する方向を指す横断方向（Ｑ）において、隣同士に、あるいは前記プレス方向（Ｆ）に順に重ねて配置されることを特徴とする、請求項１〜２４のいずれか１項に記載のフランジ加工プレス機。
【請求項２６】
前記フランジ加工プレス機は、フランジ加工スライダ（７１）を含み、
フランジ加工スライダ（７１）は、前記コンポーネント（Ｂ）のスロットに前記フランジ（Ｃ）を折りたたむことができるように、ヘミング加工ベッド（１１）とオーバーラップして前記プレス方向（Ｆ）を横断する方向に移動されることができることを特徴とする、請求項１〜２５のいずれか１項に記載のフランジ加工プレス機。
【請求項２７】
前記フランジ加工プレス機は、コンポーネント吸引体を含み、この手段によって、前記コンポーネント（Ｂ）が、吸引力によって前記フランジ加工ベッド（１１）での位置を保持し、
コンポーネント吸引体は、側壁構造により側面を定義される吸込室を、前記フランジ加工ベッド（１１）が配置されているか形成されているエンドに面する側の上、かつ、前記コンポーネント（Ｂ）により定義されているエンドに面する側の上に、含むことを特徴とする、請求項１〜２６のいずれか１項に記載のフランジ加工プレス機。
【請求項２８】
請求項２７に記載のフランジ加工プレス機であって、
前記吸込室は、前記コンポーネント（Ｂ）に軸方向に対向するエンドに面する側のエンドに面する壁構造により定義され、エンドに面する壁構造あるいは側壁構造の、少なくとも１つのパーフォレーションを通じて部分真空とされることができ、
エンドに面する壁構造は、前記吸込室の容量を減少させるために、前記吸込室を定義する前記コンポーネント（Ｂ）のエンドに面する側の表面に適合するように形成されている。
【請求項２９】
請求項１〜２８のいずれか１項に記載のフランジ加工プレス機であって、
前記プレス方向（Ｆ）に延長するガイド要素（１５）は、前記ベース構造（１）に設けられ、
前記プレス方向（Ｆ）に延長するガイドカウンタ要素（２５）は、前記フランジ加工ダイユニット（２）に設けられ、
前記ベース構造（１）および前記フランジ加工ダイユニット（２）は、互いに対して前記プレス方向（Ｆ）に、前記ガイド要素（１５）と前記ガイドカウンタ要素（２５）の間でのガイド係合の手段によって、ガイドされる。
【請求項３０】
請求項１〜２９のいずれか１項に記載のフランジ加工プレス機であって、
前記ベース構造（１）が、
前記プレス方向（Ｆ）に延びる前記ガイド要素（１５）と、
前記プレス方向（Ｆ）に移動されることができ、前記プレス方向（Ｆ）において前記フランジ加工ベッド（１１）が支持されたベアリング構造（１０）とを含み、
前記ガイド要素（１５）が、前記ベアリング構造（１０）に対して前記プレス方向（Ｆ）に動かないように接続されており、枠組み（１３）のガイドカウンタ要素（１３ａ）にガイド係合して前記ベース構造（１）の前記枠組み（１３）に対して軸方向にガイドされる。
【請求項３１】
請求項１〜３０のいずれか１項に記載のフランジ加工プレス機であって、
フランジ加工中に前記コンポーネント（Ｂ）を押さえつけるサプレッサ（３）が設けられ、
前記ベース構造（１）あるいは前記フランジ加工ダイユニット（２）が、第１テンシング要素（１６、１１６）を含み、
前記サプレッサ（３）が、テンシング係合で前記コンポーネント（Ｂ）を押さえつけるために前記サプレッサ（３）に、前記プレス方向（Ｆ）に前記フランジ加工ベッド（１１）に対して張力を加えるための、互いにテンシング係合をもたらすことができる第２テンシング要素（３６）を含む。
【請求項３２】
請求項３１に記載のフランジ加工プレス機であって、
前記テンシング要素は、第１カップリング構造および第２カップリング構造を含むテンシングカップリングの構成要素であり、
前記第１カップリング構造は、前記プレス方向（Ｆ）に対して動かないように、前記ベース構造（１）あるいは前記フランジ加工ダイユニット（２）に接続されており、
前記第２カップリング構造は、前記プレス方向（Ｆ）に対して動かないように、前記サプレッサ（３）に接続されており、
一方の前記カップリング構造が、前記プレス方向（Ｆ）を横断する方向に往復運動ができるように、一方の前記テンシング要素を搭載し、他方の前記テンシング要素（１１６）が、他方の前記カップリング構造において凹部あるいはキャビティであり、
テンシング係合を確立するために、横断方向に移動可能な前記テンシング要素が、前記プレス方向（Ｆ）を横断する方向に、凹部あるいはキャビティに入ることができる。
【請求項３３】
請求項３２に記載のフランジ加工プレス機であって、
一方のカップリング構造は、前記プレス方向（Ｆ）あるいは反プレス方向において他のカップリング構造が入ることができるレセプタクルを含み、
横断方向に移動可能な前記テンシング要素および凹部あるいはキャビティとして形成された前記テンシング要素（１１６）が、レセプタクルの領域に位置し、
横断方向に移動可能な前記テンシング要素が、絶えず、あるいはテンシング係合を確立するためのみに、前記プレス方向（Ｆ）を横断する方向に作用する力で負荷をかけられている。
【請求項３４】
請求項３１に記載のフランジ加工プレス機であって、
前記テンシング要素（１６、３６）は、ねじとナットのように共働し、
前記テンシング要素（１６、３６）が回転軸の周りを互いに対して回転した時、一方の前記テンシング要素（１６、３６）が、回転軸を中心として、前記プレス方向（Ｆ）あるいは反プレス方向に上昇し、他方の前記テンシング要素（１６、３６）が、上昇エリアあるいはラインをスライドする。
【請求項３５】
請求項２９または３０に記載のフランジ加工プレス機であって、一方の前記テンシング要素（１６）が、前記プレス方向（Ｆ）において前記ガイド要素（１５）に支持されるか、前記ガイド要素（１５）により直接形成される。
【請求項３６】
請求項３５に記載のフランジ加工プレス機であって、
異なる前記サプレッサ（３）に容易に適合できるように、一方の前記テンシング要素（１６）が取り外し可能に前記ガイド要素（１５）に接続されるか、前記ガイド要素（１５）に対して移動可能である。
【請求項３７】
請求項１〜３６のいずれか１項に記載のフランジ加工プレス機であって、
前記フランジ加工ダイ（２１）は、フランジ加工中に前記コンポーネント（Ｂ）のフラ
ンジに対してプレスする、セラミック表面（２１ａ、２１ｂ）を含み、
前記フランジ加工ダイ（２１）は、セラミック材料からなる。
【請求項３８】
請求項１〜３７のいずれか１項に記載のフランジ加工プレス機であって、
前記フランジ加工ダイ（２１）は、フランジ加工中に前記コンポーネント（Ｂ）のフランジに対してプレスする表面（２１ａ、２１ｂ）に、保護セラミック層を含む。
【請求項３９】
請求項３８に記載のフランジ加工プレス機であって、
コーティングは、薄膜技術を使用して、あるいは、厚膜技術を使用して実現されることを特徴とする。
【請求項４０】
前記サプレッサ（３）のための前記ガイド要素（１５）は、前記フランジ加工ダイユニット（２）のためのガイド要素（１５）でもあることを特徴とする、請求項２９に記載のフランジ加工プレス機。
【請求項４１】
請求項１〜４０のいずれか１項に記載のフランジ加工プレス機であって
−前記サプレッサ（３）は、フランジ加工中に前記コンポーネント（Ｂ）を押さえつけるために設けられ、
−前記サプレッサ（３）は、前記コンポーネント（Ｂ）に接触する押さえつけ端部（３１）、および前記押さえつけ端部（３１）を境する領域を含み、
−前記押さえつけ端部を境する前記サプレッサ（３）の領域、および少なくとも１つの前記フランジ加工ダイ（２１）は、フランジ加工中に、前記プレス方向（Ｆ）を横断するとともにフランジを横断する前記サプレッサ（３）の前記押さえつけ端部（３１）とオーバーラップできるような形状とされている。
【請求項４２】
請求項４１によるフランジ加工プレス機であって、少なくとも以下の特徴のうちの１つを含む、
（ｉ）前記押さえつけ端部（３１）を境する領域において、前記サプレッサ（３）は、前記プレス方向（Ｆ）を横断する方向に突出する領域（３２）、および前記プレス方向（Ｆ）を横断する方向に後退する領域（３３）を含み、
前記フランジ加工ダイ（２１）は、同様に、前記プレス方向（Ｆ）を横断する方向に突出する領域および前記プレス方向（Ｆ）を横断する方向に後退する領域を含み、フランジ加工ダイ（２１）および前記サプレッサ（３）は、フランジ加工中に、前記プレス方向（Ｆ）におよびフランジを横断する方向においてインターロック可能であり、
（ｉｉ）前記サプレッサ（３）は、前記押さえつけ端部（３１）を境する領域において前記フランジ加工ダイ（２１）から離れるように角度を有し、
前記フランジ加工ダイ（２１）は、フランジ加工中に、その裏側で前記押さえつけ端部（３１）にオーバーラップできる。
【請求項４３】
請求項１〜４２のいずれか１項に記載のフランジ加工プレス機であって、
前記フランジ加工ダイ（２１）は、第１アングルでフランジを折りたたむための第１フランジ加工エリア（２１ａ）と、別のアングルでフランジを折りたたむための第２フランジ加工エリア（２１ｂ）を含み、
第１フランジ加工エリアは、前記プレス方向（Ｆ）を横断する方向において、第２フランジ加工エリアを越えて前記フランジ加工ダイ（２１）の前側の自由端に向けて突出する。
【請求項４４】
請求項１〜４３のいずれか１項に記載のフランジ加工プレス機であって、
前記ベース構造（１）および前記フランジ加工ダイユニット（２）は、垂直に直立して設置されるか、あるいは垂直に直立して設置できるように搭載され、
前記フランジ加工ベッド（１１）は、水平である前記プレス方向（Ｆ）を向く。
【請求項４５】
請求項４４によるフランジ加工プレス機であって、少なくとも、
前記ベース構造（１）あるいはオプションの追加ベース構造（８）に設けられ、追加コンポーネント（Ｂ）のフランジを折りたたむために、前記追加コンポーネント（Ｂ）を前記プレス方向（Ｆ）とは反対のプレス方向（−Ｆ）にプレスすることができる追加のフランジ加工ベッド（１２）、および
前記追加のフランジ加工ベッド（１２）に向かい、前記追加コンポーネント（Ｂ）のフランジを折りたたむための追加のフランジ加工ダイ（４１）を含む追加のフランジ加工ダイユニット（４）、をさらに含み、
前記フランジ加工ベッド（１１、１２）は、前記プレス方向（Ｆ）において、前記フランジ加工ダイユニット（２、４）の間に配置され、
前記追加のフランジ加工ダイ（４１）および前記追加のフランジ加工ベッド（１２）は、前記追加コンポーネント（Ｂ）にプレス力を作用させるために、プレスドライブ（１４）の手段によって、互いに対して前記プレス方向（Ｆ）に移動可能である。
【請求項４６】
請求項１〜４５のいずれか１項に記載のフランジ加工プレス機であって、
前記フランジ加工ダイユニット（２）が、プレス方向に移動可能であるように前記ベース構造（１）に搭載されるか、前記ベース構造（１）が、前記プレス方向（Ｆ）に移動可能であるように前記フランジ加工ダイユニット（２）に搭載されるかのいずれかである。
【請求項４７】
請求項１〜４６のいずれか１項に記載のフランジ加工プレス機であって、
前記ベース構造（１）および前記フランジ加工ダイユニット（２）は、そしてこれによって前記フランジ加工ダイ（２１）および前記フランジ加工ベッド（１１）は、プレスドライブの手段によって（１４）、プレス力を働かせるために、互いに対して前記プレス方向（Ｆ）に移動可能であり、
前記フランジ加工ダイ（２１）は、前記フランジ加工ダイユニット（２）に対して、前記プレス方向（Ｆ）において支持される。
【請求項４８】
請求項１〜４７のいずれか１項に記載のフランジ加工プレス機であって、
前記フランジ加工ベッド（１１）および前記フランジ加工ダイユニット（２）が、水平である軸を中心にして回転あるいは回動できるように、搭載される。
【請求項４９】
請求項１〜４８のいずれか一項に記載のフランジ加工プレス機の手段によって、コンポーネントのフランジの折りたたみ方法であって、
（ａ）前記コンポーネント（Ｂ）が、空間的に移動可能であるアクチュエータの手段によって、前記フランジ加工ベッド（１１）に向けて、請求項１５に記載されるパッセージ（２０ａ）を通じて、前記フランジ加工ベッド（１１）まで、好ましくは前記フランジ加工ベッド（１１）に対して移動し、
（ｂ）前記アクチュエータあるいはテンシングデバイス（１６、３６、１１６）の手段によって、前記フランジ加工ベッド（１１）に位置し、好ましくは押し込まれ、
（ｃ）前記フランジ（Ｃ）が、前記フランジ加工ダイユニット（２）が前記フランジ加工ダイ（２１）と共に実行するプレス加工ストロークにより折りたたまれる。
【請求項５０】
請求項４９に記載のフランジの折りたたみ方法であって、
（ｄ）請求項１〜４２のいずれか一項に記載のサプレッサ（３）が、パッセージ（２０ａ）を通じて動かされて、前記フランジ加工ベッド（１１）に挿入される間、アクチュエータに取り付けられ、前記コンポーネント（Ｂ）を保持し、
（ｅ）フランジ加工中に、前記フランジ加工ベッド（１１）に前記コンポーネント（Ｂ）を押さえつける。
【請求項５１】
請求項１〜５０のいずれか１項に記載のフランジ加工プレス機の手段によってコンポーネントのフランジを折りたたむ方法であって、
（ａ）請求項９に記載されるように、前記プレスふいご（６０）が、ストロークベアリング構造（１１０）で支持され、
（ｂ）前記フランジ加工ダイユニット（２）あるいは前記フランジ加工ベッド（１１）のいずれかが、前記フランジ加工プレス機の枠組み（１３）に対し、前記フランジ加工ベッド（１１）に置かれている前記コンポーネント（Ｂ）の前記フランジ（Ｃ）を折りたたむためにストローク動作を行い、
（ｃ）ストローク動作が、前記ストロークベアリング構造（１１０）が前記プレスふいご（６０）と共に実行するストローク、および前記プレスふいご（６０）の伸長ストロークから構成される。
【発明の詳細な説明】
【技術分野】
【０００１】
本発明は、好ましくはたとえば車両ドア等の車両パーツ等の、コンポーネントのフランジを折りたたむためのフランジ加工プレス機に関する。特に、ヘミング加工された連結を製造するためのフランジ加工プレス機となり得る。このような用途において、フランジ加工プレス機は、ヘミング加工プレス機である。しかし、原則として、フランジを完全に、又は部分的にのみ折りたたむために、あるいは接合プロセスを行うためにも使用することができる。好ましくは、車両パーツの一連の生産に使用される。
【背景技術】
【０００２】
ＤＥ  １０  ２００９  ０５９  ６７６  Ａ１は、静置状態で配置され、これを使用して金属シートがヘミング加工によって互いに固定されるように接着される、フランジ加工プレス機を開示している。このフランジ加工プレス機は、フランジ加工ベッドを備える静置状態のベース構造、および、コンポーネントのフランジを折りたたむためのフランジ加工ダイユニットを含む。フランジ加工中にフランジを押圧するフランジ加工ダイは、フランジ加工中に働くプレス力に平行に移動可能なように、フランジ加工ダイユニットに配置される。フランジ加工ダイユニットは、フランジ加工ダイと共に、プレス方向を横断する方向に移動可能にベース構造に搭載される。フランジ加工プレス機はまた、フランジ加工中にコンポーネントを保持し、これによってコンポーネントをフランジ加工ベッドに固定するサプレッサを、構成要素として含む。フランジ加工は、たとえば、プレフランジ加工および最終フランジ加工工程といった、複数の工程で行われる。サプレッサは、各フランジ加工工程の合間にコンポーネントから上昇し、次の工程のために、再度下降される。
【０００３】
このようなフランジ加工および／あるいはヘミング加工プレス機は、広大な設置エリアを必要とし、生産プラントでは利用できるスペースが限られているため、多くの場合は、このようなフランジ加工および／あるいはヘミング加工プレス機が利用できないか、生産に最適とはいえないロケーションでのみ利用できる。
【０００４】
ＵＳ２００４／０１０７５５９Ａ１およびＵＳ２０１１／００４８０９４Ａ１では、設置エリアを減少させるため、フランジ加工プレス機を垂直に直立させて、プレス方向が水平方向になるように設置することが提案されている。プレス力の発生には、水圧あるいは電気プレスドライブが使用されている。モーターの動力がギアシステムを介して、フランジ加工ベッドあるいはフランジ加工ダイユニットに伝えられる。
【発明の概要】
【発明が解決しようとする課題】
【０００５】
本発明の目的は、利用可能なスペース、特に、利用可能な設置エリアが限られた生産プラントで配置されることに適した、垂直および水平の両方に配置可能なフランジ加工ベッドを有するフランジ加工プレス機を提供することである。
【課題を解決するための手段】
【０００６】
本発明は、コンポーネントのフランジを折りたたむためのフランジ加工プレス機に由来し、フランジ加工プレス機は、静置状態で配置されており、フランジ加工ベッドを備えるベース構造と、好ましくは複数のフランジ加工ダイである、フランジを折りたたむためのフランジ加工ダイを備えるフランジ加工ダイユニットとを含む。フランジを折りたたむ際、コンポーネントは、プレス方向にフランジ加工ベッドに押し込まれる。フランジ加工ベッドはそれぞれ、プレス方向とは反対に向くコンポーネントのための、ベアリングサポートを含む。フランジ加工プレス機はまた、フランジを折りたたむのに必要なプレス力を発生させるためのプレスドライブも含む。フランジ加工ベッドおよびフランジ加工ダイは、プレスドライブの手段によって、互いに対しプレス方向に移動可能であり、これによりプレス力を働かせることが可能になる。フランジ加工ダイおよびフランジ加工ベッドの両方ともが、フランジ加工プレス機の環境において、プレス方向に移動可能であり、フランジを折りたたむために必要な相対的移動可能性を達成する実施形態が可能である。環境においてフランジ加工ベッドのみが移動可能である実施形態も可能である。その他の実施形態においては、１つあるいはそれ以上のフランジ加工ダイが環境において移動可能であり、これによってフランジ加工ベッドに対して移動可能であり、フランジ加工ベッドが非移動可能でありながら、フランジの折りたたみが可能となる。
【０００７】
本発明によれば、プレスドライブは、ふいごを含む流体プレスドライブであり、ふいごには圧力流体、好ましくは加圧ガスを充填することができ、圧力が充填された時に、プレス方向にフランジ加工ダイユニットあるいはフランジ加工ベッドに作用し、これによってプレス力を発生する。ふいごは、フランジ加工ベッドから離れる方に向かうフランジ加工ダイユニットの裏側に、あるいは、フランジ加工ダイから離れる方に向かうフランジ加工ベッドの裏側に配置することができる。ふいご内部の流体圧力がふいごの広範囲に作用するように、ふいごは、フランジ加工ベッドの長さを越えて延長できる。加圧ガス、好ましくは加圧空気を使用して動作させる、プレスふいごは、よって、十分に大きいプレス力を純粋に流体的に発生させることができる。プレスふいごは、所望によりフランジ加工ベッドあるいはフランジ加工ダイに直接作用できる。プレスふいごは、特に、フランジ加工ベッドあるいはフランジ加工ダイユニットの裏側に直接配置でき、ギアシステムによるステップダウンを必要としない。加圧空気を使用して作動させることができるプレスふいごは、本質的に、生産プラントで提供される加圧空気サプライに非常に容易に接続できる。従来の加圧空気サプライは、典型的には、たとえば６あるいは１２バールの圧力を与える。プレスドライブのために、特別にユニットを提供する必要はない。
【０００８】
プレスふいごの使用は、従来のプレスドライブに比較して大いにプレスドライブを簡素化にする。駆動に必要な、互いに対して移動可能であるパーツの数が少ない。上述の通り、圧力を充填された時にプレスふいごがプレス方向に拡張する場合は、プレス方向において、フランジ加工ベッドあるいはフランジ加工ダイユニットに直接的に作用するように、プレスふいごを配置することもできる。ふいごのフレキシブル壁は、プレス方向に圧力を充填された時に、エンドに面する側のうちの１つを通じてフランジ加工ベッドあるいはフランジ加工ダイユニッのいずれかに作用するように、エンドに面する側でサポートさえすればよい。プレスふいごは、プレス方向の軸線に対して中央に配置できる。圧力から解放された時、プレスふいごはプレス方向に計測して非常に薄くなることができ、たとえば、ディスクあるいはプレートの形状となる。フランジを折りたたむために必要なプレス動作のストロークを実行するのみであれば、圧力が充填された時に、数センチメートルのみの厚みであり、好ましくは最高で２０ｃｍである。その他の実質的な利点は、プレスふいごの断面を、サイズあるいは形状という点で、折りたたまれるフランジの輪郭に合わせることができるという点である。このようにすると、より直接的に、横断方向のオフセットを少なく、そしてこれに応じて小さい曲げモーメントで、折りたたまれるフランジに、プレス方向にプレス力を与えることができる。
【０００９】
プレスふいごからフランジ加工ベッドがコンポーネントに与えるベアリングサポートへの力の流れは、既知のプレスドライブにおける場合よりも、軸方向において、より直接的、より直線的である。力の流れにおけるどのような横断方向のオフセットも、そして関連した応力中心距離および曲げモーメントも減少できる。
【００１０】
理想的には、プレスふいごは、有効ふいごエリアを含み、ふいごエリアの外周は、フランジ加工ベッドの輪郭に適合させ、これに対応して、折りたたまれるフランジの輪郭に適合する。有効ふいごエリアは、プレスふいごの内部においてゆきわたる圧力によって作用されるプレスふいごの断面エリアである。理想的な状況では、有効ふいごエリアの上のフランジ加工ベッドのベアリングサポートを軸方向に投影した時に、有効ふいごエリアの外周が、ちょうど重なるが、プレスふいごの製造に関わるコストが高いことから、実際には、例外的な状況もある。有効ふいごエリアは、その代わりに、たとえば、円形、不等な主軸を有する楕円、あるいは円形から逸脱したその他の楕円形、あるいは矩形、四角、あるいはその他の多角形といったシンプルな断面形状を有する。円形の有効ふいごエリアを示すプレスふいごが、製造が容易であり好ましい実施形態である。
【００１１】
多くの適用ではそうであろうが、有効ふいごエリアの外周がフランジ加工ベッドのベアリングサポートの輪郭を追従し、そしてこれによって折りたたまれるフランジの輪郭を追従している場合は、折りたたまれるフランジあるいはフランジ加工ベッドが有効ふいごエリアの外側に少しだけ延長していることが有利である。これに応じて、オーバーラップされていないフランジ加工ベッドエリアに対するオーバーラップされたフランジ加工ベッドエリアの比が小さいと有利である。この文脈において、フランジ加工ベッドエリアは、有効ふいごエリアに軸方向に投影され、コンポーネントをサポートするフランジ加工ベッドのベアリングの外周によって区画されるフランジ加工ベッドのエリアを意味すると理解される。ベアリングサポートは、フランジ加工中に、コンポーネントが押し付けられるフランジ加工ベッドのエンドに面するエリアである。ベアリングサポートの外周も、多くの実施形態において、フランジ加工ベッドのエンドに面するエリアの外周であり、コンポーネントは、フランジ加工中に、このエンドに面するエリアに置かれる。しかし、この外周が、フランジ加工中にコンポーネントの端部を越えて突出すると、比を確かにする目的で、外周をコンポーネントの外側端部に修正する。フランジが、たとえば車両ドアの窓領域のように、コンポーネントの端部周りに完全に延長しない場合は、フリーのフランジエンドは互いに直線に接続され、これによってフランジ加工ベッドエリアを確かにするために、関連する領域においててフランジ加工ベッドエリアが区画される。フランジ加工ベッドのベアリングサポートが、円周を完全に延長しない場合は、比較の目的で、自蔵の、ベアリングサポートエリアのエンドポイント（この場合は部分的にのみプレス加工軸線を囲む）が対応して直線により接続される。好ましい実施形態において、オーバーラップされていないフランジ加工ベッドエリアに対するオーバーラップされたフランジ加工ベッドエリアの比は少なくとも０．５であり、好ましくは０．５より大きい。
【００１２】
プレスドライブには、説明された、あるいはクレームされたタイプの１つあるいはそれ以上のプレスふいごを含めることができ、これには、プレスドライブが、１つあるいはそれ以上のこのタイプのプレスふいごのみからなるシナリオも含まれる。複数のプレスふいご、たとえば２つのプレスふいごが設けられたとき、これらは、互いに反対のプレス方向に動作するか、あるいは同じプレス方向に動作するかのいずれにも配置することができる。反対のプレス方向に動作するプレスふいごは、好ましくは、共通の枠組みに背中合わせに配置される。同じプレス方向に動作するプレスふいごは、隣同士に、あるいは順に重ねて配置することができ、好ましくは、プレス方向に直接隣同士に、あるいは一方を直接他方の上に配置することができる。両方の実施形態における複数のプレスふいご、すなわち、同方向あるいは互いに反対方向に動作する複数のプレスふいごは、好ましくは、互いに独立して圧力流体を充填されるか、あるいは互いに独立して圧力を解放されることができる。同方向に動作するプレスふいごはまた、同時にあるいは連続的に、圧力流体を充填されるか、あるいは圧力を解放するように設計することができる。
【００１３】
第一実施形態において、ベース構造およびフランジ加工ダイユニットは、少なくとも実質的に垂直に直立に設置されるか、あるいは枠組み内に設置されるように搭載される。ベース構造およびフランジ加工ダイユニットが、少なくとも実質的に垂直アライメントである場合、フランジ加工ベッドは、これに対応して少なくとも実質的に水平である、プレス方向と反対を向く。フランジ加工プレス機のベース構造およびフランジ加工ダイユニットは、通常、共にプレス方向に計測した最大厚さを示し、プレスが閉じられた時、これはプレス方向を横断する方向に計測したこれらの最大幅よりもかなり小さい。本発明は、この事実を使用して、通常の通りに水平で上方を向くよりも、少なくとも実質的に垂直に直立し側面を向くことによって、あるいは枠組みにおいて移動可能に搭載することによりフランジ加工ベッドをこのアライメントに移動することによってフランジ加工ベッドを配置することにより、フランジ加工プレス機を設置するのに必要な設置エリアを減少させる。これにより、フランジ加工プレス機の平面視において、フランジ加工プレス機を収容するシリンダーのベースエリアを減少し、この意味において、プレスを設置するのに必要な設置エリアを減少する。コンポーネントは、吊されるのではなく、垂直アライメントでそれぞれフランジ加工プレス機に挿入されるため、これによっても、ロボットあるいはその他のアクチュエータを使用してのハンドリングが簡易になる。フランジ加工プレス機が垂直にアライメントされると、フランジ加工ベッドあるいはフランジ加工ダイは、より簡単に、そして特に人間工学的により好ましい方法で加工、たとえばクレーム１７により修理あるいはメンテナンス、あるいは仕上げすることができる。
【００１４】
本発明はしかし、プレスが水平に配置される場合、すなわち、プレス方向が垂直である場合にもコンパクト設計という点で有利である。これに関し、本発明は、伝送あるいは同期するギアシステム等を介在させることなしに、先行技術よりも広い有効エリア（有効ふいごエリア）に対し、プレスふいごがプレス力を与えるという事実から利益を得ている。フランジ加工ベッドあるいはフランジ加工ダイユニットはよって、圧力が充填された時、プレス加工ストロークを実行するために、プレスふいごがその他方の構造に対し関連する構造（フランジ加工ベッドあるいはフランジ加工ダイユニットのいずれか）を持ち上げるように、プレスふいごの上に配置することができ、プレスふいごに置かれることができる。好ましくは、フランジ加工ベッドは、ベアリングサポートエリアが上方を向くように、そしてフランジ加工されるそれぞれのコンポーネントを、上方からフランジ加工ベッドに位置させることができるように、プレスふいご上に配置される。変形例において、フランジ加工ベッドは、プレス方向が水平に対し０°より大きい角を指すように、斜めに位置させることもできる。このようなアライメントにおいて発生するプレス方向を横断する力は、ふいごのフレキシブル壁を横断力から解放するために、好ましくは、サポートあるいはガイド装置によって吸収される。
【００１５】
フランジ加工プレス機は、好ましくは、平坦なコンポーネント、すなわち、プレス方向に計測された最大深さが、プレス方向を横断する方向に計測されたコンポーネントの長さや幅より小さいコンポーネントをフランジ加工するように設計されている。典型的な例としては、車両パーツが挙げられ、特に、たとえば車両ドア、サンルーフ、ボンネット、そしてハッチバックといった車両アタッチメントパーツが挙げられるが、たとえば車両側壁、敷居、あるいは泥よけといったボディパーツも挙げられる。
【００１６】
フランジ加工ダイは、フランジ加工ダイユニット上に配置される。フランジ加工ダイユニットは、原則的にはフランジ加工ダイを一体で形成することができる。しかし、より好ましくは、フランジ加工ダイユニットは、ベアリング構造を含み、フランジ加工ダイは、ベアリング構造とは別個に生産され、組み立てられる。フランジ加工ダイは、複数のパーツからなることができ、複数のパーツは、接合されて、１つのユニットを形成する。しかし、便宜上、一体で形成された構造である。好ましい実施形態において、フランジ加工ダイは、フランジの輪郭に適合するように形成される。よって、たとえば少なくとも部分的にはカーブを有する輪郭を示し、カーブは一次元的のみでも、また二次元的でもよい。フランジ加工ベッドにも、これに類似して同じことが適用される。
【００１７】
フランジを折りたたむために必要な、プレス方向における相対的な動きをフランジ加工ダイとフランジ加工ベッドの間に発生させるために、フランジ加工ダイは、原則的には、プレス方向に移動可能であるように、フランジ加工ダイユニットにサポートされることができる。しかし、好ましくは、プレス方向の相対的な移動が、フランジ加工ベッドとフランジ加工ダイユニットの間に発生する。このような実施形態において、フランジ加工ベッドとフランジ加工ダイユニットは、プレスドライブの手段によって、プレス力を働かせるため、互いに対してプレス方向に移動可能である。フランジ加工ダイユニットは、ベース構造とは独立して、そのものの枠組みの中に、あるいは上に、そして状況により移動可能に搭載でき、および／あるいは、フランジ加工ベッドは、フランジ加工ダイユニットとは独立して、ベース構造の枠組みの中に、あるいは上に、そして状況により移動可能に搭載できる。フランジ加工ダイユニットがプレス方向において移動可能にベース構造に搭載される実施形態、あるいはフランジ加工ベッドがプレス方向において移動可能にサポート構造に搭載される実施形態が好ましい。「あるいは」という表現はここでは、ほかの場合も同様、通例の論理上の「包含的ｏｒ」という意味で本発明で理解される。すなわち、特定の文脈においてこれら２つの意味のうちの１つのみが排他的に理解されるのでなければ、「どちらか」そして「および」両方の意味を包含する。たとえば、フランジ加工ベッドとフランジ加工ダイユニットの好ましい相対的な移動に関していうと、これは、第１態様では、フランジ加工ダイユニットがプレス方向に動けるようにベース構造に搭載され、フランジ加工ベッドは状況により動かすことができないという意味であり、第２態様では、フランジ加工ベッドがフランジ加工ダイユニットに対して移動可能にサポート構造に搭載され、フランジ加工ダイユニットが状況により動かすことができないという意味である。第３態様においては、フランジ加工ダイユニットをベース構造に搭載し、フランジ加工ベッドをサポート構造に搭載して、これらを互いに対して移動可能に、そして状況により移動可能にできる。
【００１８】
フランジ加工ダイユニットがベアリング構造を含む場合は、フランジ加工ダイがベアリング構造に対して、プレス方向を横断する方向に移動可能であることが得策である。このような実施形態において、フランジ加工プレス機は、フランジ加工ダイユニットのベアリング構造に対してフランジ加工ダイをプレス方向に横断させるためにフランジ加工ダイに結合された、フランジ加工ダイドライブを含む。これによって、たとえば、２つあるいはそれ以上のフランジ加工工程の各工程において、コンポーネントを挿入、あるいは順番に特定の角度でフランジを折りたたむことができるように、フランジ加工ダイの動作を適用し、そして後退させることが可能になる。フランジ加工ダイドライブは、特に、フランジ加工ダイユニットのベアリング構造に配置することができる。
【００１９】
言及された全ての態様において、フランジ加工ダイは、フランジ加工ダイユニットの相対的動作、すなわち、プレス加工ストロークおよびリターンストロークに関与している。フランジ加工ダイはよって、プレス方向に動かないように、たとえば当接によって、フランジ加工ダイユニットにサポートされる。プレス加工ストロークは、フランジ加工ダイよりも大きくより重々しいフランジ加工ダイユニットが行うため、そしてフランジ加工ダイの横断ストロークのために適用される力は、プレス力に比較して小さいものであるため、シンプルで強固なフランジ加工ダイユニットが作製される。
【００２０】
好まれる場合は、フランジ加工プレス機は、複数のフランジ加工ダイを含み、これらはフランジ加工ダイユニットの構成要素となる。フランジ加工ダイユニットを使用してフランジ加工工程のみを行う場合は、フランジ加工ダイを、フランジ加工ダイユニット上で動かないようにであるように配置することができる。すでに言及された通り、フランジ加工ダイユニットは、より好ましくは、ベアリング構造を含み、ベアリング構造上で、フランジ加工ダイが動かないようにサポートされている。少なくとも１つのフランジ加工ダイについて述べられた事柄は、好ましくは同様にフランジ加工ダイユニットのいかなる任意の追加フランジ加工ダイにも適用される。フランジ加工ダイドライブは、流体的に、好ましくは空気的、あるいは電気的に作動する、複数の駆動ユニット、すなわち、各移動可能フランジ加工ダイにつき１つの、割り当てられたフランジ加工ダイのみに結合された専用駆動ユニット、を含むのが有利である。複数のフランジ加工ダイを使用することは、折りたたまれるフランジが、コンポーネントをプレス方向に平面視した場合にシンプルな直線ではなく、共通の直線に置かれない少なくとも２つのフランジ部を含む場合に特に有利である。フランジはよって、平面視において、曲線上の、あるいは多角形の輪郭を示すことができ、そうでなければ、コンポーネントの端部を、異なる側でフランジする必要がある。たとえば、車両ドアあるいはハッチバックといったすでに言及したコンポーネントの例の場合に、これが当てはまる。フランジは、たとえば平面視においてコンポーネントの中央領域を完全にあるいは部分的に囲み、また、セクションによって中断されていてもよい。同じフランジ加工ダイユニットを使用して複数のフランジ加工工程の各工程で特定の角度にこのようなフランジを折りたたむために、好ましい実施形態では、フランジ加工ダイユニットは、言及した通り、フランジ加工ダイユニットのベアリング構造に対して、互いにプレス方向を横断するように移動でき、折りたたまれるフランジの輪郭に追従するようにベアリング構造に配置された複数のフランジ加工ダイを含む。
【００２１】
フランジ加工ダイユニットとフランジ加工ベッドとの間の相対的な移動のために、プレス方向に延びるガイド要素がベース構造に設けられ、プレス方向に延びるガイドカウンタ要素がフランジ加工ダイユニットに設けられ、そしてベース構造とフランジ加工ダイユニットがプレス加工ストロークおよびリターンストローク中に、ガイド要素とガイドカウンタ要素のガイド係合によって互いに対してプレス方向にガイドされると、有利である。相対的な移動は、特に、直線移動とすることができる。ガイド要素およびガイドカウンタ要素は、プレス方向において直線的に対応して延びることができる。ガイド要素とガイドカウンタ要素がガイド係合されるときに、フランジ加工ダイユニットがベース構造に搭載される場合は、その重さが少なくとも主としてガイド要素のガイド係合により適合される。フランジ加工ベッドがプレス加工動作を行う場合、フランジ加工ベッドは、ガイド要素とガイドカウンタ要素がガイド係合される時、少なくともフランジ加工ベッドの重量のいくぶんかが、フランジ加工ダイユニットあるいはサポート構造にサポートされるようにフランジ加工ダイユニットのガイドカウンタ要素、あるいはサポート構造のガイドカウンタ要素に搭載されることができる。複数のガイド要素およびガイドカウンタ要素は、フランジ加工ダイユニットあるいはフランジ加工ベッドをプレス方向へのプレス加工動作中にガイドするために、それぞれのペアがガイド係合され、好ましくは説明されたようにフランジ加工ベッドの周りに分布されて配置される。
【００２２】
フランジ加工中に、フランジ加工ベッドにコンポーネントを押さえつけるために、通例の押さえつけ機能のみを果たすサプレッサを設けることができる。この機能を果たすのみならず、たとえば産業ロボットのロボットアーム等の、空間的に移動可能であるアクチュエータに取り付けるための、取り付けデバイスを含むサプレッサ、たとえば空気的吸引体あるいは機械的把持体といった、コンポーネントを保持する保持デバイスも含むものがしかし有利である。このようなサプレッサ手段によって、コンポーネントがフランジ加工プレス機に移動され、フランジ加工ベッドに位置させられ、そしてフランジ加工中にフランジ加工ベッドに押さえつけられる。フランジ加工ベッドからの取り出しも、サプレッサ手段によって行われるのが有利である。このような実施形態において、サプレッサは、複数のコンポーネントを順番に処理できる。すなわち、１つをピックアップし、保持し、フランジ加工ベッドに位置させ、押さえつけ、そしてオプションとしてフランジ加工ベッドからまた取り出してプットダウンして、次のコンポーネントをピックアップできるようにする。これらのアクション中、サプレッサは、アクチュエータに残ることができる。サプレッサは、よって、フランジ加工されたコンポーネントをフランジ加工プレス機から取り出して適宜さらなるプロセスあるいは組み立てに向けてコンポーネント置き場にプットダウンする、挿入ツールでもあり、そして好ましくはピックアップあるいは把持ツールでもある。
【００２３】
このようなサプレッサは、特に、保持デバイスは、たとえば、車両ドア、ハッチバック、あるいはサンルーフの外側パーツおよび内側パーツといった、ネスト化されたコンポーネントの、接合されるパーツをピックアップし、フランジ加工ベッドに挿入する目的で設計することができる。サプレッサ、特に保持デバイスは、ネスト化され、順番にフランジ加工ベッドおよび／あるいはフランジ加工プレス機に挿入されるコンポーネントのパーツを、個々にピックアップするためにも設計されていてもよい。すなわち、フランジ加工プレス機にてのみ、ネスト化するということである。これは、たとえばネスト化する場がフランジ加工プレス機の領域に配置されていない場合、あるいはスペース上の理由から設けることさえできない場合に有利である。サプレッサ、特に保持デバイスは、オプションとして、このようなコンポーネントのパーツを個々にピックアップしてプレス機でネスト化するか、あるいはすでにネスト化されたパーツを一体的にピックアップして、一体的に挿入するように設計することもできる。保持デバイスが１つあるいはそれ以上の吸引体あるいは１つあるいはそれ以上の機械的把持体を含む場合には、両方のアプローチに有利である。これらを使用して、ネスト化されたコンポジットの個々のパーツのうちの１つを、ネスト化されたコンポジットの別の個々のパーツに引き寄せて、この別の個々のパーツに位置させ、この別の個々のパーツをたとえばサプレッサの押さえつけ端部によってサポートするか、あるいはたとえば１つあるいはそれ以上の吸引体や１つあるいはそれ以上の機械的把持体といった、１つあるいはそれ以上のその他の把持体で保持する。
【００２４】
好ましい実施形態において、挿入に使用することができるサプレッサは、挿入している間、フランジ加工ベッドに対しガイドされる。この機能は、原則的にはアクチュエータにより提供することができる。しかしより好ましくは、アクチュエータはこのタスクから解放され、サプレッサが直接ガイドされることが好ましい。そして、コンポーネントを挿入している間、コンポーネントがフランジ加工ベッドに置かれるまで、ガイド要素とサプレッサのガイドカウンタ要素がガイド係合してサプレッサをフランジ加工ベッドに対しガイドするために、フランジ加工ダイユニットあるいはベース構造にはガイド要素を含むことができ、サプレッサにはガイドカウンタ要素を含むことができる。サプレッサは、好ましくはプレス方向にガイドされる。ガイドは、直線的ガイドとすることができる。サプレッサのためのガイド要素は、特に、すでに説明されたフランジ加工ダイユニットのためのガイド要素とすることができ、デュアルガイド機能で、一方でプレス加工ストローク中にフランジ加工ダイユニットをガイドし、他方で挿入しているときにサプレッサをガイドする。サプレッサのためのガイド要素は、しかし、フランジ加工ダイユニットのためのガイド要素に加えて設けることができる。サプレッサは、好ましくは複数のガイドカウンタ要素を含み、コンポーネントを挿入している間、複数のガイドカウンタ要素を介して、ベース構造の割り当てられたガイド要素あるいはフランジ加工ダイユニットの割り当てられたガイド要素とそれぞれガイド係合する。
【００２５】
ベース構造あるいはフランジ加工ダイユニットは、テンシング要素を含むことができ、サプレッサは、テンシングカウンタ要素を含むことができる。これらは互いにテンシング係合されることができ、これによりサプレッサに、フランジ加工ベッドに対しプレス方向に張力を加え、コンポーネントをテンシング係合により押さえつける。これにより、アクチュエータ（好ましくは、たとえば、従来の産業ロボット等のロボットのアーム）が、このタスクから解放される。アクチュエータがサプレッサによって解放されたということができる。すなわち、押さえつけるために必要ではなくなり、その他の機能を果たすのに利用できるということである。好ましくは、ベース構造あるいはフランジ加工ダイユニットは、１つあるいはそれ以上の第１テンシング要素を含み、サプレッサは１つあるいはそれ以上の第２テンシング要素、すなわち、テンシングカウンタ要素を含む。これらの各ペアは、テンシング係合され、それぞれのテンシング係合において、サプレッサをプレス方向にフランジ加工ベッドに対して張力を加える。好ましくは、複数の第１テンシング要素は、テンシング係合によってフランジ加工ベッドで均一な押さえつけ力が発生するように、フランジ加工ベッドあるいは１つあるいはそれ以上のフランジ加工ダイに沿って、分布されて配置される。第１テンシング要素は、少なくとも１つあるいはそれ以上のガイド要素に配置されることが有利である。しかし、原則的には、第１テンシング要素は、少なくとも１つあるいはそれ以上のガイド要素とは分離して設けることができる。フランジ加工ベッドから見てフランジ加工ダイの後方である、各ガイド要素の領域に配置するのが得策である。
【００２６】
第１テンシング要素と第２テンシング要素は、特に、プレス方向に作用するテンシング力、よってテンシング係合においてはサプレッサの押さえつけ力が、くさび効果によって発生するような形状とすることができる。テンシング係合はよって、たとえば、ねじ係合という方法で形成できる。ねじとナットのように、単数の第１テンシング要素が単数の第２テンシング要素と共働し（あるいは複数の第１テンシング要素が複数の第２テンシング要素とそれぞれに共働し）、第１テンシング要素と割り当てられた第２テンシング要素が回転軸を中心に、互いに対して回転する時、第１テンシング要素および第２テンシング要素のうちの一方が、ねじのピッチのようにフランジ加工ダイのプレス方向とは反対に回転軸を中心として上昇し、第１テンシング要素および第２テンシング要素のうちの他方が上昇エリアあるいはラインでスライドする。
【００２７】
同等に好ましい実施形態において、テンシングカップリングが設けられる。テンシングカップリングの手段によって、回転動作をすることなしに、フランジ加工ベッドに対しサプレッサに張力を加えることができる。テンシングカップリングは、第１カップリング構造および第２カップリング構造を含み、第２カップリング構造は、第１カップリング構造に接続でき、また第１カップリング構造から取り外すことができる。第１テンシング要素は、第１カップリング構造の構成要素であり、第２テンシング要素は、第２カップリング構造の構成要素である。好ましくは、一方のカップリング構造を、他方のカップリング構造にプレス方向あるいは反プレス方向にはめることができるようなレセプタクルを含む。一方のカップリング構造、好ましくはレセプタクルを有するカップリング構造が、プレス方向を横断できるように、そして各第１テンシング要素をプレス方向に対してサポートできるように、１つあるいはそれ以上の第１テンシング要素を搭載する。他方のカップリング構造は、第２テンシング要素あるいはそれぞれの第２テンシング要素を形成する、１つあるいはそれ以上の凹部あるいはキャビティを含む。一方のカップリング構造が他方のカップリング構造のレセプタクルに嵌まると、横断方向に移動可能なテンシング要素が１つあるいはそれ以上の凹部あるいはキャビティに横断方向に移動され、よってサプレッサを、フランジ加工ベッドに対して取り外し可能に固定する。テンシング要素は、共働する時、そしてこれによってサプレッサをフランジ加工ベッドに向けて張力を加える時、くさび効果、そしてそれに伴い軸方向に力を発生するように形成されるのが有利である。
【００２８】
横断方向に移動可能なテンシング要素は、１つあるいはそれ以上の機械ばねの手段によって、凹部あるいはキャビティ、あるいはそれぞれに割り当てられた凹部に、プレスされることができる。さらに発展して、テンシングカップリングは、流体的に、好ましくは空気的に作動させることができる。このさらなる発展型では、横断方向に移動可能なテンシング要素を搭載するカップリング構造は、横断方向に移動可能なテンシング要素を、他方のカップリング構造の１つあるいはそれ以上の割り当てられた凹部に圧力流体の手段によってプレスするように、圧力流体、たとえば加圧空気を充填することができる。横断方向に移動可能なテンシング要素は、横断方向に移動可能なテンシング要素が圧力流体の手段によってテンシング係合されるように、そして圧力から解放されたときに、これもばねの力によってテンシング係合から外れるように、１つあるいはそれ以上の機械ばねによってばねの復元力を与えることができる。
【００２９】
フランジ加工プレス機が、２つ以上のフランジ加工工程においてフランジを折りたたむように設計されている場合は、このフランジ加工ダイに加えて、別のフランジ加工ダイを提供することができ、これら２つのフランジ加工ダイのうちの一方が１つのフランジ加工工程を行い、他方のフランジ加工ダイが別のフランジ加工工程を行うようにできる。第１のフランジ加工ダイは、フランジ加工前のプレフランジ加工ダイとすることができ、他方のフランジ加工ダイは、最終フランジ加工のための最終フランジ加工ダイとすることができる。フランジ加工ダイのフランジ加工エリアは、プレス方向に順に重ねて配置することができる。複数のフランジ加工ダイは、特に、共通のフランジ加工ダイサポートに配置することができる。しかし、別の選択肢として、フランジ加工ダイユニットおよびフランジ加工ダイは、複数のフランジ加工工程を順番に行うように設計することができる。この目的において、フランジ加工ダイは、第１アングルでフランジを折りたたむための第１フランジ加工エリア、および、別のアングルでフランジを折りたたむための、他方の第２フランジ加工エリアを含むことができる。第１フランジ加工エリアは、第２フランジ加工エリアを超えてプレス方向およびフランジを横断する方向に突出することができる、すなわち、第２フランジ加工エリアの隣に横断方向に配置できる。しかし、フランジ加工ダイは、原則的には、プレス方向に順に重なる複数のフランジ加工エリアを含むことができる。
【００３０】
サプレッサは、同じコンポーネントに行われる２つのフランジ加工工程の合間にコンポーネントから引き上げられることができる。しかし、これはコンポーネントがもはやフランジ加工ベッドに固定されていないか、あるいは、なんらかの方法でコンポーネントを固定する必要があるということである。
【００３１】
好ましい実施形態において、フランジ加工ダイおよびサプレッサは、好ましくは最終フランジ加工工程を含む、少なくとも２つのフランジ加工工程が同じフランジ加工ダイを使用して行われるような、かつ、サプレッサが、これら少なくとも２つのフランジ加工工程の間を含めて、これら２つのフランジ加工工程の全般を通して同じ押さえつけ位置に残ることができるような形状とされる。サプレッサおよびフランジ加工ダイは、少なくともフランジ加工工程のうちの１つの間に、フランジ加工ダイが、プレス方向を横断する方向、および、フランジを横断する方向において、サプレッサにオーバーラップするような形状とされる。サプレッサは、コンポーネントに接触する押さえつけ端部、および押さえつけ端部に境する領域を含む。押さえつけ端部に境する領域では、すなわち、フランジから見て押さえつけ端部の後方では、サプレッサは、好ましくは、フランジ加工ダイが押さえつけ端部にオーバーラップできるような形状とされ、すなわち、フランジ加工中に押さえつけ端部を越えて延び、押さえつけ端部がコンポーネントをフランジ加工ベッドに押さえつける間、端部にオーバーラップされる。
【００３２】
サプレッサあるいはフランジ加工ダイは、（それぞれ）、これらがオーバーラップしたときにたとえば櫛のようにこれらがインターロックあるいはかみ合うように、あるいはフランジ加工ダイが単にサプレッサを越えて延びるような形状とすることができる。押さえつけ端部に境する領域では、フランジ加工ダイおよびサプレッサは、フランジ加工中に、プレス方向およびフランジを横断する方向にインターロックあるいはかみ合うように、サプレッサは、プレス方向およびフランジを横断する方向に突出する領域、およびプレス方向およびフランジを横断する方向に引っ込む領域を含むことができ、フランジ加工ダイは同様に、プレス方向およびフランジを横断する方向に突出する領域、およびプレス方向およびフランジを横断する方向に引っ込む領域を含むことができる。サプレッサは、そして、１つあるいはそれ以上のパッセージを含み、フランジ加工ダイは、たとえば櫛のように複数の部分を通じて同時に、好ましくは押さえつけ端部を境する領域のみにおいてサプレッサとかみ合うことができる。サプレッサはまた、その代わりに、これも好ましくは押さえつけ端部を境する領域のみで、１つあるいはそれ以上のフランジ加工ダイに面するポケットを含めることができ、フランジ加工ダイが単にポケットと係合するようにできる。サプレッサはまた、１つあるいはそれ以上のポケットに加えて、１つあるいはそれ以上のパッセージを含むことができる。オーバーラップを可能にするために、サプレッサは、１つあるいはそれ以上のパッセージあるいは１つあるいはそれ以上のポケットに代えて、あるいは１つあるいはそれ以上のパッセージあるいは１つあるいはそれ以上のポケットに加えて、フランジ加工ダイがオーバーラップできるように、すなわち、フランジ加工中その裏側の押さえつけ端部を越えて延びるように、押さえつけ端部を境する領域においてフランジ加工ダイから離れるように角度を有することができる。
【００３３】
フランジ加工ダイユニットは、フランジ加工ダイユニットをプレス方向にわたって延長し、これを通じてコンポーネントがフランジ加工ベッドに、好ましくはサプレッサ手段によって、フランジ加工ベッドから離れる方を向くフランジ加工ダイユニットの裏側から、挿入されることができるパッセージを含むことができる。このような実施形態は、外側端部に円周がフランジ加工された、あるいは少なくとも複数の側部がフランジ加工されたコンポーネント、すなわち、折りたたまれるフランジが、連続的なあるいは互いに分離しているフランジ部、互いに平行でないフランジ部、少なくとも９０°あるいは１８０°あるいは２７０°あるいはそれ以上の範囲の角度で全体的に延長しているフランジ部であり、たとえば１つあるいはそれ以上の円弧形状の円形部を含むフランジ部を含むコンポーネントに特に有利である。そのようなコンポーネントをフランジ加工するとき、フランジ加工ダイユニットおよびフランジ加工ベッドは好ましい実施形態で説明された通り、再度互いに対してプレス動作を行うことができるが、一連のコンポーネントからみて、それ以外の動作の自由度無しに、これらが動けないように互いに接続されることができる。フランジ加工ダイユニットがパッセージを含む場合は、フランジ加工される各コンポーネントを毎回挿入するために、たとえば回動あるいは直線的に遠ざける、あるいはフランジ加工ベッドをフランジ加工ダイユニットからたとえば回動あるいは直線的に遠ざけるように、関連するコンポーネントがフランジ加工プレス機の側方から挿入できるように十分に遠く、フランジ加工ダイユニットをフランジ加工ベッドから遠ざける必要はない。フランジ加工ダイユニットおよびフランジ加工ベッドは、互いに対して、コンポーネントが挿入された後、そしてたとえばフランジ加工ストロークが行われる直前にとられる位置を保持することができる。プレス加工ストロークが行われる間、たとえば、フランジ加工ダイユニットあるいはフランジ加工ベッドがガイドされるガイド係合、あるいは適用に応じてそれぞれがガイドされるガイド係合をリリースする必要はない。他の利点は、パッセージを通して、コンポーネントを、少なくとも実質的にプレス方向に平行に、すなわちフランジ加工ベッドまで、かつ、フランジ加工ベッドに対して挿入できるという点である。
【００３４】
パッセージは、フランジ加工ダイユニット、好ましくは、１つあるいはそれ以上のフランジ加工ダイのためのフランジ加工ダイベアリング構造の内周により区画される。フランジ加工ベッドを平面視でプレス方向に見たとき、内周は、フランジ加工ベッドの外側を径方向に延び、少なくとも部分的に、好ましくは完全に３６０°にわたってフランジ加工ベッドの円周を周るように延びる。１つあるいはそれ以上のフランジ加工ダイは、フランジ加工中に横断方向において内周を超えて突出し、そして好ましくは（それぞれ）後退位置から前進位置に横断方向に移動可能であり、また元に戻れる。１つあるいはそれ以上のフランジ加工ダイは、フランジ加工中、内周、すなわち、端部付近、そして好ましくは直接的に内周の端部がサポートされるのが有利である。内周は、好ましくは、プレス方向における平面視において、少しの距離をもって折りたたまれるフランジの外形に追従し、この意味において、外形に近似して延びている。距離は、折りたたまれるフランジの長さにわたって外形に近似して設定されるのが有利である。コンポーネントは、好ましくは複数の軸で移動可能であるロボットアームによりあるいは空間的に移動可能であるその他のアクチュエータによって、パッセージを通じて移動可能である。フランジ加工ダイは、外形に近似して内周の上にサポートされることにより、少しの曲げ力にさらされるだけである。
【００３５】
プレスふいごの手段によるプレス力の適用は、外形に近似した内周、および、これによって外形に近似したパッセージと共に有利に作用する。プレスふいごのエンドに面するエリアおよび／あるいはプレスふいごの有効ふいごエリアがフランジ加工ダイ（単数・複数）のサポートに対応して構成されている場合、フランジ加工中、先行技術よりも力の流れがよりプレス力の方向をより正確にすることができ、そして力の流れで起こる曲げ力の合計を減少できる。プレス力は、直線的に伝達できる。
【００３６】
フランジ加工ダイユニットに配置された１つあるいはそれ以上のフランジ加工ダイは、フランジ加工ダイユニットの端部に沿って延び、側方でパッセージを区画する。コンポーネントが位置についてフランジ加工ベッドに押さえつけられた時、１つあるいはそれ以上のフランジ加工ダイは、プレス方向に横断する方向にフランジの上を移動可能であり、そして折りたたむために、フランジに対してプレス方向に移動可能である。１つあるいはそれ以上のフランジ加工ダイは、プレス方向を横断する方向に、そしてパッセージを有するフランジ加工ダイユニットのベアリング構造に対して、ベアリング構造の内周を越えて、パッセージの中央領域に向かって内側に一体的に前進できるのが有利である。特に、フランジ加工ダイが複数に配置される場合にフランジ加工ダイがベアリング構造の内周端部を超えて十分に遠く内側に前進することができ、平面視において、折りたたまれるフランジの長さにわたって閉鎖された中断されない外形を形成する場合、そしてフランジ加工中、この外形でフランジに対しプレスできる場合は、最終フランジ加工にとって有利である。フランジ加工ダイがサポートされたフランジ加工ダイユニットのベアリング構造は、パッセージを完全に枠にはめることができる。ベアリング構造は、全体として、パッセージよりも狭いフレームビームを示すフレームとして形成することができる。
【００３７】
プレス加工ドライブは、空気的、水圧的、あるいは電気的に駆動できる。電気駆動の場合、その力および／あるいはトルクは、好ましくはナックル継手機構の手段によって、プレス加工ストロークを行うプレス機のコンポーネント、好ましくはフランジ加工ダイユニットによって伝達される。水圧プレス加工ドライブは、プレス機の動かされるコンポーネントに直接作用できるのが有利であり、よって、非常にコンパクトな形態で実現できる。複数の水圧直線的ストロークユニットを特にフランジ加工ベッドに沿っておよび／あるいは折りたたまれるフランジに沿って分布して配置できる。あるいは、流体プレス加工ドライブは、圧力流体、好ましくは加圧ガスが充填され、プレス方向に圧力が充填された時にフランジ加工ダイユニットあるいはフランジ加工ベッドに作用してプレス力を発生させるふいごを含めることができ、これも本願における保護の対象である。
【００３８】
フランジ加工プロセスは、フランジ加工プレス機において、その他の接合プロセス、たとえば、溶接、あるいは、はんだづけプロセス、特にスポット溶接と組み合わせることができる。その他の接合プロセスにおいて、十分に薄い接合ツール、たとえば溶接ランスが利用できる場合、フランジ加工ダイが後退した時、そのような接合ツールをフランジ加工ダイと、フランジ加工ダイに対向するサプレッサとの間に、プレス方向を横断する方向にフランジ加工ベッドに向けて動かし、フランジに対してプレスすることができ、これにより圧接において接合された連結、たとえばマテリアルフィット接合された連結を作製する。このようにすると、たとえば、このように作製したヘミング加工された連結に加えて、フランジ加工により互いに接合されたネスト化されたパーツも、マテリアルフィットで互いに対して固定することができる。多くの用途において、複数のネスト化されたパーツの配置において、サプレッサは、内側パーツに対してプレスし、このパーツの端部のフランジが、フランジ加工により作製された外側パーツのヘミング加工されたポケットに突出する。サプレッサは、したがって、折りたたまれたフランジをヘミング加工されたポケットに突出する内側パーツに溶接するために、さらに溶接用電極に、好ましくは接地電極に発展させるのが有利である。溶接用電極および接地電極はそれぞれ、回路を閉じるために、同じ側からコンポーネントに対してプレスすることができ、一方の電極を折りたたまれたフランジに対して、そして他方の電極をヘミング加工されたポケットに突出するパーツに対してプレスする。原則として、折りたたまれたフランジではなく、フランジ加工ベッドにおいて順に重ねて置かれるコンポーネントの２つのパーツが溶接される場合、フランジ加工ベッドもたとえば、溶接に必要な２つの電極のうちの１つを形成することができる。しかし、原則として、溶接に必要な接地電極は、追加で設けて、溶接によって互いに接合されるパーツの１つに接触するまて、外側からプレス方向に、フランジ加工ダイとサプレッサの間に動かすることもできる。たとえば、外部提供される溶接ランスの代替として、溶接用電極をフランジ加工ダイユニットの構成要素とすることもできる。溶接用電極は、そして、好ましくはプレス方向に動けるようにフランジ加工ダイに統合することができる。また、たとえば、サプレッサの取り付けデバイスが自動にアクチュエータとドッキングおよびアクチュエータとのドッキングから解放されるドッキングポートである場合、たとえば、はんだづけ、あるいは接着、あるいは特に溶接といった、追加のマテリアル接合も有利である。もし、さらに上記に説明されたように、サプレッサがフランジ加工ダイユニットの少なくとも１つのテンシング要素、好ましくはサプレッサのベース構造およびテンシングカウンタ要素の手段によって、押さえつけ位置に押し込まれる場合、すなわち、押さえつけに必要な押さえつけ力がテンシング係合において発生される場合、アクチュエータは、自動的に、テンシング係合にある時はサプレッサをドッキングから解放し、その代わりに、対応する接合ツールを使用して追加の接合プロセスを実行するために、たとえば溶接ランスといった接合ツールをドッキングする。追加の接合プロセスが実行されると、フランジ加工されたコンポーネントと共に、フランジ加工プレス機の外に取り出すためにアクチュエータ、あるいはその他のアクチュエータが再度サプレッサとドッキングされることができる。接合ツールをコンポーネントまで移動可能にするため、サプレッサは、接合ツールによる接合ロケーションへのアクセスを簡単にするために、１つあるいはそれ以上の領域（のそれぞれ）に、接合を行うキャビティを含めることができる。
【００３９】
さらに発展して、フランジ加工ベッドおよびフランジ加工ダイユニットは、少なくとも実質的に水平な軸を中心にして回転あるいは回動できるように、そしてフランジ加工ベッドおよびフランジ加工ダイユニットが垂直位置およびフランジ加工ベッドが上方を指す水平位置を往復運動できるように、枠組みに搭載される。フランジ加工ベッドおよびフランジ加工ダイユニットは、好ましくは、一体的に回動あるいは回転できるように搭載される。これらをこのように搭載すると、たとえば、車両ドアの外側パーツおよび内側パーツなど、複数のパーツからなり、ヘミング加工および接着により接合され、接合領域で接着剤が提供されるコンポーネントにおける適用にて有利である。この回動あるいは回転配置を使用する場合、フランジ加工プレス機のオペレーターは、フランジ加工を水平あるいは垂直アライメントで実行するかを自由に決められる。使用されていない時は、オペレーターがフランジ加工ベッドおよびフランジ加工ダイユニットをスペース節約の垂直アライメントに移動可能である。
【００４０】
１つあるいはそれ以上のフランジ加工ダイは（それぞれ）、耐摩耗性のセラミック表面を含み、フランジ加工中、フランジ加工ダイはこれを通じてプレスするか、あるいはコンポーネントのフランジに対してプレスする。セラミック表面には汚れがまったくつかないか、金属表面よりも、少なくともつく汚れが少ない。特に、肉盛溶接現象が生じない。
【００４１】
それぞれのフランジ加工ダイは、セラミック材料からなることができる。しかし、好ましい実施形態において、それぞれのフランジ加工ダイは、１つあるいはそれ以上のフランジ加工エリアに耐摩耗性セラミックコーティングを含むのみの、金属ベース体を含む。コーティングは、厚膜技術、特に薄膜技術を使用して実施できる。薄い摩耗層、すなわち、３０μｍ以下、より好ましくは２０μｍ以下の厚みの薄膜が好ましい。摩耗層は、ＣＶＤ（化学気相蒸着）法、あるいは好ましくはＰＶＤ（物理蒸着）法で作製できる。あるいは、ガルヴァニック電流で作製できる。層の厚みは、ベース体を保護摩耗層の外形に忠実に表面仕上げするにおいて、薄いほうが有利である。保護摩耗層は、閉鎖、すなわち、ベース体の金属表面を完全にカバーすることができる。しかし、これは必須ではない。また、セラミック保護摩耗層が閉鎖されたカバー層を金属ベース体に形成せずに、セラミック層材料が単に、少なくとも部分的に、金属ベース体のでこぼこにおける凹みを充填していても十分である。
【００４２】
その他のさらなる発展型において、フランジ加工プレス機はその他の、第２フランジ加工ベッドおよびその他の、第２フランジ加工ダイユニットを含む。第２フランジ加工ベッドは、ベース構造、あるいはオプションの第２ベース構造に設けることができる。第２コンポーネントは、第２フランジ加工ベッドに位置させることができ、フランジを折りたたむプレス方向とは反対のプレス方向にプレスできる。第２フランジ加工ダイユニットは、第２フランジ加工ベッドに面し、第２コンポーネントのフランジを折りたたむための少なくとも１つの第２フランジ加工ダイを含む。２つのフランジ加工ベッドは、フランジ加工ダイユニットの間に、プレス方向に配置される。フランジ加工ベッドおよびフランジ加工ダイユニットは、共に、サンドイッチ配置を形成し、この配置において、２つのフランジ加工ベッドは背中合わせに配置される。少なくとも１つの第２フランジ加工ダイおよび第２フランジ加工ベッドは、第２コンポーネントにプレス力を働かせることもできるように、プレスドライブによって第２プレス方向に互いに対して移動可能である。フランジ加工ベッドおよびフランジ加工ダイユニットは、好ましくは、プレス方向に垂直を指す面に対して、少なくとも実質的に互いにミラー反転であるように配置できる。このデュアル実施形態において、フランジ加工プレス機はサイズと形態が似ている、同時にフランジ加工されるコンポーネント、たとえば、右側および左側車両ドアに特に適している。組み合わされてデュアルプレス機を形成する２つのシングルフランジ加工プレス機は、正確に互いに一致する。
【００４３】
好ましくは、第２フランジ加工プレス機も、クレームされた特徴および第１フランジ加工プレス機の例を用いて本明細書に説明されたものを含む。２つのシングルプレスはしかし、幾何学的形状について互いに異なる。たとえば、１つのフランジ加工プレス機を使用して右側車両ドアを、そして他方のフランジ加工プレス機を使用して左側車両ドアをフランジ加工する場合、あるいは、異なるタイプの自動車あるいは互いに異なるその他のコンポーネントの車両ドアを同時にフランジ加工する場合のフランジ加工ベッドの輪郭および対応するフランジ加工ダイの外形が例としてあげられる。デュアルプレス機において同時にフランジ加工されるコンポーネントは、しかし、２つのシングルプレスにおいて適用される力がサイズおよび分布において概ね互いに一致するように、十分に一致している必要がある。
【００４４】
プレス加工ドライブは、２つのフランジ加工ダイユニットに接続でき、特に、プレス方向および反プレス方向に、一方が他方のサポートであるように、フランジ加工ダイにサポートされる。第一実施形態において、プレス加工ドライブは、フランジ加工ダイユニットにのみプレス方向および反プレス方向に作用し、これらを反対方向に、そして、プレス加工ストローク中に、互いに向かって、そしてこれによって、それぞれのフランジ加工ベッドに向かって別々に動かす。プレス加工ドライブが直線的ストローク駆動として形成された場合、ベース構造は、駆動のストローク要素をプレス方向にガイドできるが、駆動をプレス方向あるいは反プレス方向にサポートする必要はない。
【００４５】
プレスドライブがプレスふいごを含む場合、このようなデュアルプレス機の中央領域に枠組みを配置することができる、プレスふいごは、それぞれの前側がフランジ加工ダイユニットを向き、裏側が第２フランジ加工ダイユニットを向いて、この枠組みにサポートされる。フランジ加工プレス機は、上述の第２ベース構造を含むことが有利である。一方のプレスふいごがベース構造のベアリング構造に作用し、そのフランジ加工ベッドをフランジ加工ダイユニットにプレスするようにする。他方のプレスふいごは、第２ベース構造のベアリング構造に作用し、そのフランジ加工ベッドを第２フランジ加工ダイユニットにプレスする。
【００４６】
デュアルプレス機はまた、１つのプレスふいごだけにフィットさせることもでき、たとえば２つのフランジ加工ベッド、あるいはその代わりに、フランジ加工ベッドが背中合わせに配置されるか、フランジ加工ダイユニットが背中合わせに配置されるかのいずれかであり、プレスふいごがその間に配置される場合に互いに離れる方を向く２つのフランジ加工ダイユニットをプレスする。原則として、一方のシングルプレスのフランジ加工ベッドと他方のシングルプレスのフランジ加工ダイユニットの間に共通のプレスふいごを両方のシングルプレスに対しても配置でき、第１シングルプレスのフランジ加工ベッドを第１シングルプレスフランジ加工ダイユニットに向けて動かし、他方のシングルプレスのフランジ加工ダイユニットを他方のシングルプレスのフランジ加工ベッドに向けて動かす。シングルプレスをオープンする後退動作は、たとえば、電動で、あるいは機械的または空気的ばねデバイスの手段によって発生させることができる。２つのプレスふいごを配置することは、しかし、２つのシングルプレスがプレス加工動作に結合できるようにするということであり、他方が休止している間、一方のシングルプレスが作動できる、あるいは２つのシングルプレスが異なるサイクルタイムあるいはインターバルを使用して作動できるということである。
【００４７】
本発明はまた、フランジ加工プレス機の製造方法にも関し、このフランジ加工プレス機の製造方法において、少なくとも１つの仕上げされた（すなわちプレスに必要な耐久力を備えた）ガイド要素を含むベース構造、および、少なくとも１つの仕上げされた（すなわちプレスに必要な耐久力を備えた）ガイドカウンタ要素を含むフランジ加工ダイユニットを準備し、そしてフランジ加工ダイをフランジ加工ダイユニットに取付ける。ベース構造およびフランジ加工ダイを取付けたフランジ加工ダイユニットは、ガイド要素とガイドカウンタ要素のガイド係合により、互いに対してアライメントされている。フランジ加工ダイあるいはフランジ加工ベッドは、ガイド係合が実施されている間に仕上げされた。ガイド要素とガイドカウンタ要素は、プレスが引き続いて作動している間においてプレス加工動作をガイドするようにガイド係合される構造であるため、フランジ加工ベッドあるいはフランジ加工ダイ（好ましくはフランジ加工ベッドおよびフランジ加工ダイ）は、その後のプレス動作におけるガイド係合で仕上げされることにより完成させることができ、よって、ガイド要素は別にして、唯一の未完成にあらかじめ形成され、適用に応じてあらかじめ加工されたベース構造と、ガイドカウンタ要素は別にして、唯一の未完成にあらかじめ形成され適用に応じてあらかじめ加工されたフランジ加工ダイとを使用して互いに対して高いレベルの精巧性で完成させることができる。コストのかかる再加工および再調整は省くことができ、あるいは少なくともそのような作業に費やす努力は大幅に減る。
【００４８】
さらに発展して、サプレッサは、少なくとも１つの仕上げされたガイド要素も設けることができるが、未完成に形成され適用に応じてあらかじめ加工された押さえつけ端部の領域のみであり、ベース構造あるいはフランジ加工ダイユニットの１つあるいはそれ以上のガイド要素、好ましくはフランジ加工ダイユニットのためのベース構造のガイド要素とガイド係合されてのみ、仕上げされる。
【００４９】
フランジ加工プレス機は、吸引力の手段によってコンポーネントをフランジ加工ベッドに引き寄せるために、１つあるいはそれ以上のコンポーネント吸引体を含む。１つあるいはそれ以上のコンポーネント吸引体は、コンポーネントがたとえば１つのパーツが他のパーツの中にネスト化されたのみの、あるいは少なくともフランジが折りたたまれる前にまだ十分に固定して互いに接続されていない、外側パーツおよび内側パーツを含むネスト化されたコンポジットである場合に特に有利である。このようなコンポーネントのうち、サプレッサは通例、たとえば車両ドアの内側パーツあるいはその他の車両パーツといった、直接に面している構造パーツのみ保持でき、たとえば車両ドアの外側パーツあるいはその他の車両パーツといった、サプレッサに離れる方を向く構造パーツは、比較的ルーズにのみ保持される。このその他の構造パーツは、１つあるいはそれ以上のコンポーネント吸引体の手段によって、フランジ加工ベッドに引き寄せられ、そしてフランジ加工ベッドに対し固定されることができる。
【００５０】
さらに発展して、フランジ加工プレス機は、広範囲エリアコンポーネント吸引体を含む。このコンポーネント吸引体は、フランジ加工プレス機の側壁構造により、好ましくはフランジ加工ベッドの側壁構造により側方が囲まれ、コンポーネントのエンドに面する側の広範囲エリアにわたって定義される吸込室を含む。吸引デバイスは、コンポーネントが吸込室をごくわずかなロスは別としてエンドに面する側で気密に密閉するようにして、少なくとも（フランジ加工ベッドと圧接する）コンポーネントがフランジ加工ベッド内で閉鎖された表面を含むときにいつでも実現することができる。コンポーネントは、吸込室の第１エンドに面する壁構造を形成する。コンポーネントに対向する、エンドに面する側において、フランジ加工ベッドは、吸込室を定義する第２エンドに面する壁構造を含む。円周側壁構造、好ましくはコンポーネントに対向するエンドに面する壁構造には、１つあるいはそれ以上の打ち抜き穴が設けられ、部分真空を発生させるために、打ち抜き穴を通じて吸込室から排気することができる。
【００５１】
第２エンドに面する壁構造は、コンポーネントが吸引されたとき、第２エンドに面する壁構造の領域でサポートされるように、コンポーネントに向かい、コンポーネントの外形に適合する表面を含むことができる。このようにして得られたサポート領域は、コンポーネントのエリアから見て、吸込室にゆきわたる部分真空に基づいてコンポーネントが歪曲するのを防ぐような形状、配置することができる。
【００５２】
好ましい実施形態において、吸込室の容量を小さいものとするために、吸込室は、プレス方向に平坦であるのみである。吸込室の幾何学的形状がそれ以外は変更のない場合、第２エンドに面する壁構造は、コンポーネントから全体でで最高で１０ｍｍ、好ましくは最高で５ｍｍの均一の距離を有する場合、第２エンドに面する壁構造は特に、吸込室の内部容量が、得られる容量に対応するような形状とすることができる。この事実上の比較容量は、コンポーネントの面しているエリア全体を見て、第２エンドに面する壁構造が、コンポーネントの面している表面の形状に適合しているとみなされる場合、そして好ましくは最高で１０ｍｍ、より好ましくは最高で５ｍｍ、およびさらにより好ましくは最高で３ｍｍの同じ距離が維持される場合に得ることができる。
【００５３】
第２エンドに面する壁構造は、フランジ加工ベッドのコンポーネントベアリングサポートと共に、特にたとえば機械により形成することができる。第２エンドに面する壁構造は特に、プラスティックから形成することができる。プラスティックの半仕上げされたプロダクトはよって、たとえばフランジ加工ベッドに固定して接続され、一度接続されると、コンポーネントに適合した表面を得るために仕上げされることができる。また、プラスティック材料は、フランジ加工ベッドに注がれて、エンドに面する側の一方を充填し、硬化後にフランジ加工ベッドのベアリングサポートと共に、コンポーネントに適合するように仕上げすることができる。
【００５４】
有利な特徴は、サブクレームおよびそれらの組み合わせにも説明されている。
【００５５】
個々のサブクレームに記載された特徴は、少なくとも１つのプレスふいごの特徴と共に実現するのが有利であるが、それらはそのようなフランジ加工プレス機に限定されない。出願人は、サブクレーム、明細書、あるいは図に開示されたそれぞれの特徴を別個のクレームとする権利を有し、このクレームではクレーム１の特徴（ａ）〜（ｄ）を含み、特徴（ｅ）および（ｆ）の代わりに、少なくとも１つのその他の特徴、たとえば少なくともサブクレームで開示された特徴のうちの１つを含む。プレスふいごとは別個に、あるいは特にこれと共に実現可能な特に有利な主題には、たとえば、フランジ加工されるコンポーネントがプレス方向に少なくとも実質的に平行に挿入され、フランジ加工ベッドまで、そしてフランジ加工ベッド中に移動することができるパッセージを含むフランジ加工ダイユニットの実施形態と、サプレッサ、そして１つあるいはそれ以上のフランジ加工ダイが横断移動可能性を有する実施形態と、セラミック表面を有する１つあるいはそれ以上のフランジ加工ダイの実施形態とが含まれるが、これらはほんの一例に過ぎない。追加の主題は、以下の態様により開示される。
【００５６】
以下の態様は、クレームのように表現されている。態様においては、クレームで通常そのようにされる通り、実施例で使用された参照符号を使用し、括弧内に示す。また、クレームで通常そのようにされる通り、特定の実施形態を具体化の目的で挙げることはできるが態様は特定の実施例に限定されない。
【００５７】
態様１：好ましくは車両パーツであるコンポーネントのフランジを折りたたむためのフランジ加工プレス機であって、フランジ加工プレス機は、静置状態で配置され、少なくとも、
（ａ）フランジ（Ｃ）を折りたたむために、その上において、コンポーネント（Ｂ）がプレス方向（Ｆ）においてプレスされることができるように、フランジ加工ベッド（１１）を装備するベース構造（１）と、
（ｂ）フランジ（Ｃ）を折りたたむためのフランジ加工ダイ（２１）を装備する、フランジ加工ダイユニット（２）と、
（ｃ）折りたたむことを目的として、コンポーネント（Ｂ）に作用するプレス力を発生させるためのプレスドライブ（６０）と、を含み
（ｄ）フランジ加工ダイ（２１）およびフランジ加工ベッド（１１）は、プレス力を働かせるために、プレスドライブ（１４、６０）の手段によってプレス方向（Ｆ）に互いに対して移動可能である。
【００５８】
態様２：態様１によるフランジ加工プレス機であって、
プレスドライブ（６０）は、好ましくは加圧ガスである圧力流体で充填されることができるふいご（６０）であって、圧力が加えられた時にフランジ加工ダイユニット（２）あるいはフランジ加工ベッド（１１）にプレス方向（Ｆ）に作用し、これにより少なくとも幾分かのプレス力を発生するふいご（６０）を含み、プレスふいご（６０）は、プレス方向（Ｆ）を横断する方向に延び、圧力流体で充填されることができる、ふいごエリア（６２）を含む。
【００５９】
態様３：態様２によるフランジ加工プレス機であって、ふいごエリア（６２）は、プレスふいご（６０）が加圧空気を２０バール以下、好ましくは６バール以下の圧力で届ける加圧空気源に接続された時にフランジ加工に必要なプレス力がプレスふいご（６０）を通じて加えられることができるように、十分に広い。
【００６０】
態様４：態様１〜３のいずれか１つのフランジ加工プレス機であって、プレスふいご（６０）は、フランジ加工ダイユニット（２）から離れる方に向かうフランジ加工ベッド（１１）の裏側、あるいは、フランジ加工ベッド（１１）から離れる方に向かうフランジ加工ダイユニット（２）の裏側に配置される。
【００６１】
態様５：態様１〜４のいずれか１つのフランジ加工プレス機であって、プレスふいご（６０）は、フランジ加工ベッド（１１）あるいはフランジ加工ダイユニット（２）に、プレス方向（Ｆ）に直接作用する。
【００６２】
態様６：態様１〜５のいずれか１つのフランジ加工プレス機であって、ベース構造（１）は、枠組み（１３）および枠組み（１３）に対しプレス方向（Ｆ）に移動可能であるベアリング構造（１０）を含み、フランジ加工ベッド（１１）は、ベアリング構造（１０）の、フランジ加工ダイユニット（２）に向かう前側に配置され、プレスふいご（６０）は、ベアリング構造（１０）の、フランジ加工ダイユニット（２）に離れる方に向かう裏側に配置される。
【００６３】
態様７：態様１〜６のいずれか１つのフランジ加工プレス機であって、プレスふいご（６０）は、プレス方向（Ｆ）および反プレス方向に移動可能であるように、フランジ加工ベッド（１１）、あるいは、ベース構造（１）の枠組み（１３）上のフランジ加工ダイユニット（２）のいずれかを支持する。
【００６４】
態様８：態様１〜７のいずれか１つのフランジ加工プレス機であって、プレスふいご（６０）は、フレキシブルふいご壁（６１）、第１ふいご搭載構造（６２、６３）、および第２ふいご搭載構造（６２、６３）を含み、これらのうちの１つは、特に圧力流体を装填されることができるふいごエリア（６２）を形成可能であり、フレキシブルふいご壁（６１）は、プレス方向（Ｆ）に延びるプレス加工軸線を囲み、第１ふいご搭載構造（６２、６３）は、フレキシブルふいご壁（６１）の一方のエンドに面する側に配置され、第２ふいご搭載構造（６２、６３）は、フレキシブルふいご壁（６１）の他方のエンドに面する側に配置され、ふいご搭載構造（６２、６３）は、それぞれ、好ましくは流体シールにて、フレキシブルふいご壁（６１）に固定されて接続される。
【００６５】
態様９：態様８によるフランジ加工プレス機であって、ふいご搭載構造（６２、６３）のうちの少なくとも１つが、各ふいご搭載構造（６２、６３）をエンドに面して見た時に、プレス加工軸線（Ｆ）の周りを円周方向に、外周に沿ってのみ、あるいは薄片の形式で、ふいご壁（６１）のエンドに面する側の端部の輪郭に追従する。
【００６６】
態様１０：態様８または９によるフランジ加工プレス機であって、少なくとも１つのふいご搭載構造（６２）が、一方のエンドに面する側で流体シールにてプレスふいご（６０）を閉鎖している。
【００６７】
態様１１：態様８〜１０のいずれか１つによるフランジ加工プレス機であって、フレキシブルふいご壁（６１）は少なくともプレスふいご（６０）が圧力が加えられた時にリングを形成し、リングは特に、円形リング、あるいはより詳細には、コンポーネント（Ｂ）の平面図では非円形に延長するフランジ（Ｃ）の輪郭に適合する円形リングとすることができる。
【００６８】
態様１２：態様１〜１１のいずれか１つのフランジ加工プレス機であって、ベース構造（１）およびフランジ加工ダイユニット（２）に対しプレス方向（Ｆ）および反プレス方向に移動可能であるストロークベアリング構造（１１０）をさらに含み、プレスふいご（６０）は、間接的あるいは好ましくは直接的にストロークベアリング構造（１１０）にサポートされ、ストロークベアリング構造（１１０）およびプレスふいご（６０）が一体的にベース構造（１）およびフランジ加工ダイユニット（２）に対して行う動作によってプレスふいご（６０）の伸長ストロークを短くできるようにストロークベアリング構造（１１０）と共に移動可能である。
【００６９】
態様１３：態様１〜１２のいずれか１つの態様のフランジ加工プレス機であって、１つあるいはそれ以上のフィラー体（１０９）が圧力流体を装填されることができるプレスふいご（６０）の内部スペースに配置されており、少なくとも１つのフィラー体（１０９）は、その他の点では同等のフィラー体無しの内部スペースに比較して、フランジ加工プレス機が作動中に必要な圧力流体の量を減少するために、最大に伸長されたプレスふいご（６０）に対し少なくとも２０％、好ましくは少なくとも３０％、さらにより好ましくは少なくとも４０％以上内部スペースの容量を減少する。
【００７０】
態様１４：態様１〜１３のいずれか１つのフランジ加工プレス機であって、
態様８〜１１のいずれか１つの第１ふいご搭載構造（６２、６３）は、フランジ加工プレス機の枠組み（１３）あるいは態様１２または１３のストロークベアリング構造（１１０）に取り付けられ、フランジ加工ベッド（１１）あるいはフランジ加工ダイユニット（２）のいずれかは、第２ふいご搭載構造（６２、６３）により支持される。
【００７１】
態様１５：態様１〜１４の態様のいずれか１つのフランジ加工プレス機であって、別のプレスふいご（６０）をさらに含み、少なくとも２つのプレスふいご（６０）がプレス方向（Ｆ）に重ねて配置されるか、あるいは隣同士に配置される。
【００７２】
態様１６：態様１５によるフランジ加工プレス機であって、プレスふいご（６０）は、軸方向に同じプレス方向（Ｆ）に、あるいは軸方向に互いに反対のプレス方向（Ｆ）に伸長するように配置される。
【００７３】
態様１７：態様１５、１６によるフランジ加工プレス機であって、プレスふいご（６０）は、互いに独立して、同じあるいは異なる圧力流体が充填され、あるいは圧力から解放される。
【００７４】
態様１８：態様１〜１７のいずれか１つのフランジ加工プレス機であって、追加ドライブ（６９）、好ましくは空気的追加ドライブが、プレスふいご（６０）に加えて設けられ、追加ドライブ（６９）は、フランジ加工ベッド（１１）に結合されてフランジ加工ベッド（１１）をプレス方向（Ｆ）あるいは反プレス方向に移動可能であるか、フランジ加工ダイユニット（２）に結合されてフランジ加工ダイユニット（２）をプレス方向（Ｆ）あるいは反プレス方向に移動可能であるかのいずれか１つである。
【００７５】
態様１９：態様１〜１８のいずれか１つのフランジ加工プレス機であって、フランジ加工ベッド（１１）あるいはフランジ加工ダイユニット（２）はプレスふいご（６０）上に配置され、フランジ（Ｃ）を折りたたむためにプレスふいご（６０）の手段によって持ち上げられることができ、プレスふいご（６０）は、フランジ加工ベッド（１１）あるいはフランジ加工ダイユニット（２）を再度下降するために重力によって、あるいは追加ドライブ（６９）の手段によって圧力から解放されることができる。
【００７６】
態様２０：態様１〜１９のいずれか１つのフランジ加工プレス機であって、フランジ加工ダイ（２１）はフランジ加工ダイユニット（２）に対しプレス方向（Ｆ）を横断する方向に移動可能であり、フランジ加工ダイドライブ（２２）は、フランジ加工ダイ（２１）をプレス方向（Ｆ）を横断する方向に動かすために、フランジ加工ダイ（２１）に結合されており、好ましくはフランジ加工ダイユニット（２）に配置されている。
【００７７】
態様２１：態様１〜２０のいずれか１つのフランジ加工プレス機であって、フランジ加工ダイユニット（２）は、プレス方向（Ｆ）を指すプレス加工軸線（Ｆ）の周りに延長する内周（２８）を示すベアリング構造（２０）と、フランジ（Ｃ）を折りたたむための複数のフランジ加工ダイ（２１）とを含み、フランジ加工ダイ（２１）はそれぞれ、ベアリング構造（２０）にプレス方向（Ｆ）に支持され、内周（２８）に沿って隣同士に配置され、ベアリング構造（２０）に対し、プレス方向（Ｆ）を横断する方向と内周（２８）を横断する方向とに移動可能である。
【００７８】
態様２２：態様２１によるフランジ加工プレス機であって、フランジ加工ダイ（２１）はそれぞれ、フランジ（Ｃ）が折りたたまれている時にフランジ（Ｃ）にプレス力を働かせ、ベアリング構造（２０）の内周（２８）でプレス方向（Ｆ）に支持され、各フランジ加工ダイ（２１）のプレス力と内周（２８）との間の距離は、そしてこれによってフランジ加工ダイ（２１）ごとの各有効応力中心距離は、横断方向（Ｑｉ）に計測された、８ｃｍ以下、好ましくは５ｃｍ以下の長さを有する。
【００７９】
態様２３：態様２１または２２によるフランジ加工プレス機であって、内周（２８）が、部分的にあるいは好ましくは完全にプレス加工軸線（Ｆ）の周りを３６０°にわたって延びている。
【００８０】
態様２４：態様２１〜２３のいずれか１つによるフランジ加工プレス機であって、フランジ加工ダイのうちの１つあるいはそれ以上の第１フランジ加工ダイ（２１ｉ）が、ベアリング構造（２０）に対しプレス方向（Ｆ）を横断し、そして内周（２８）を横断するように第１横断方向（Ｑｉ）に移動可能であり、フランジ加工ダイの１つあるいはそれ以上の第２フランジ加工ダイ（２１ｋ）が、ベアリング構造（２０）に対し、プレス方向（Ｆ）を横断し、そして内周（２８）を横断するように第１横断方向（Ｑｉ）に平行ではない第２横断方向（Ｑｋ）に移動可能である。
【００８１】
態様２５：態様１〜２４のいずれか１つのフランジ加工プレス機であって、フランジ加工ベッド（１１）は、プレス方向（Ｆ）および反プレス方向に動かないようにであるように第１当接部（１０１、１０２）に接続され、フランジ加工ダイ（２１）は、プレス方向（Ｆ）および反プレス方向に動かないようにであるように第２当接部（１０３、１０４）に接続され、フランジ加工ベッド（１１）あるいはフランジ加工ダイ（２１）は、当接部（１０１、１０２、１０３、１０４）がフランジ（Ｃ）を折りたたむために互いに当接するまで、プレス方向（Ｆ）にベース構造（１）の枠組み（１３）に対して移動可能である。
【００８２】
態様２６：態様２５によるフランジ加工プレス機であって、当接部（１０１、１０３）のうちの少なくとも１つ、好ましくは第２当接部（１０３）は、フランジ加工ダイ（２１）と共に、プレス方向（Ｆ）を横断する方向およびフランジ（Ｃ）を横断する方向を指す横断方向（Ｑ）に横断方向に移動可能であり、当接部（１０１、１０３）のうちの少なくとも１つが、プレス方向（Ｆ）および横断方向（Ｑ）に対して傾く当接エリアを含み、これによって横断方向に移動可能な当接部（１０３）が、当接を解消するように、そして新たな横断位置につくように横断方向（Ｑ）に移動可能であるようにする。
【００８３】
態様２７：態様２６によるフランジ加工プレス機であって、横断方向に移動可能な当接部（１０３）は、あらたな横断位置において、フランジ加工ベッド（１１）あるいはフランジ加工ダイ（２１）が、当接部（１０１、１０３）による別の当接をもたらせるまで、さらにプレス方向（Ｆ）に移動されることができるように、プレス方向（Ｆ）における軸方向に距離をもって別の当接部（１０１）に対向する。
【００８４】
態様２８：態様２５〜２７のうちのいずれか１つによるフランジ加工プレス機であって、第１当接部（１０２）は、フランジ加工ベッドに対し（１１）、ばねデバイス（１０６）の復元力に反して、プレス方向（Ｆ）を横断する方向およびフランジ（Ｃ）を横断する方向を指す横断方向（Ｑ）に、横断方向に移動可能であるか、あるいは、第２当接部（１０４）は、フランジ加工ダイ（２１）に対し、ばねデバイス（１０６）の復元力に反して、プレス方向（Ｆ）を横断する方向およびフランジ（Ｃ）を横断する方向を指す横断方向（Ｑ）に横断方向に移動可能である。
【００８５】
態様２９：態様１〜２８のいずれか１つのフランジ加工プレス機であって、フランジ加工ダイ（２１）は、プレフランジ加工のための第１フランジ加工エリア（２１ａ）および好ましくは最終フランジ加工のための第２フランジ加工エリア（２１ｂ）を含むか、あるいは第１フランジ加工エリア（２１ａ）を含むフランジ加工ダイ（２１）および第２フランジ加工エリア（２１ｂ）を含む別のフランジ加工ダイ（２１）がフランジ加工ダイサポート（２９）に配置されており、フランジ加工エリア（２１ａ、２１ｂ）は、プレス方向（Ｆ）を横断する方向およびフランジ（Ｃ）を横断する方向を指す横断方向（Ｑ）に隣同士に、あるいはプレス方向（Ｆ）に順に重ねて配置されている。
【００８６】
態様３０：態様１〜２９のいずれか１つのフランジ加工プレス機であって、フランジ加工プレス機は、フランジ（Ｃ）をコンポーネント（Ｂ）のスロットに折りたたむことができるように、ヘミング加工ベッド（１１）とオーバーラップしてプレス方向（Ｆ）を横断する方向に移動可能である、フランジ加工スライダ（７１）を含む。
【００８７】
態様３１：態様１〜３０のいずれか１つのフランジ加工プレス機であって、フランジ加工プレス機は、コンポーネント吸引体を含み、この手段によって、コンポーネント（Ｂ）が、吸引力によってフランジ加工ベッド（１１）での位置を保持し、コンポーネント吸引体は、側壁構造により側面を定義される吸込室を、フランジ加工ベッド（１１）が配置されているか形成されているエンドに面する側、かつ、コンポーネント（Ｂ）により定義されているエンドに面する側の上に、含む。
【００８８】
態様３２：態様３１によるフランジ加工プレス機であって、吸込室は、コンポーネント（Ｂ）に軸方向に対向するエンドに面する側のエンドに面する壁構造により定義され、エンドに面する壁構造あるいは側壁構造の、少なくとも１つの打ち抜き穴を通じて部分真空とされることができる。
【００８９】
態様３３：態様３２によるフランジ加工プレス機であって、エンドに面する壁構造は、吸込室の容量を減少させるために、吸込室を定義するコンポーネント（Ｂ）のエンドに面する側の表面に適合するように形成されている。
【００９０】
態様３４：態様１〜３３のいずれか１つのフランジ加工プレス機であって、プレス方向（Ｆ）に延長するガイド要素（１５）がベース構造（１）に設けられ、プレス方向（Ｆ）に延長するガイドカウンタ要素（２５）がフランジ加工ダイユニット（２）に設けられ、ベース構造（１）およびフランジ加工ダイユニット（２）が、互いに対してプレス方向（Ｆ）に、好ましくは直線的に、ガイド要素（１５）とガイドカウンタ要素（２５）の間でガイド係合の手段によってガイドされる。
【００９１】
態様３５：態様１〜３４のいずれか１つのフランジ加工プレス機であって、ベース構造（１）が、プレス方向（Ｆ）に延長するガイド要素（１５）と、プレス方向（Ｆ）に移動可能であり、フランジ加工ベッド（１１）がプレス方向（Ｆ）にサポートされる、好ましくは取り付けられた、あるいは直接形成されたベアリング構造（１０）とを含み、ガイド要素（１５）が、プレス方向（Ｆ）に動かないようにであるようにベアリング構造（１０）に接続されており、枠組み（１３）のガイドカウンタ要素（１３ａ）にガイド係合してベース構造（１）の枠組み（１３）に対して軸方向にガイドされる。
【００９２】
態様３６：態様１〜３５のいずれか１つのフランジ加工プレス機であって、フランジ加工中にコンポーネント（Ｂ）を押さえつけるサプレッサ（３）が設けられ、ベース構造（１）あるいはフランジ加工ダイユニット（２）が、第１テンシング要素（１６、１１６）を含み、サプレッサ（３）が、テンシング係合でコンポーネント（Ｂ）を押さえつけるためにサプレッサ（３）に、プレス方向（Ｆ）にフランジ加工ベッド（１１）に対して張力を加えるための、互いにテンシング係合をもたらすことができる第２テンシング要素（３６）を含む。
【００９３】
態様３７：態様３６によるフランジ加工プレス機であって、テンシング要素は、第１カップリング構造および第２カップリング構造を含むテンシングカップリングの構成要素であり、第１カップリング構造は、プレス方向（Ｆ）に対して動かないように、ベース構造（１）に、好ましくは軸方向に移動可能であるベース構造（１）の枠組み（１３）あるいはベアリング構造（１０）、あるいはフランジ加工ダイユニット（２）に接続されており、第２カップリング構造は、プレス方向（Ｆ）に対して動かないように、サプレッサ（３）に接続されており、一方のカップリング構造が、プレス方向（Ｆ）を横断する方向に往復運動ができるように、一方のテンシング要素を搭載し、他方のテンシング要素（１１６）が、他方のカップリング構造において凹部あるいはキャビティであり、テンシング係合を確立するために、横断方向に移動可能なテンシング要素が、好ましくは直線的に、プレス方向（Ｆ）を横断する方向に、凹部あるいはキャビティに入ることができる。
【００９４】
態様３８：態様３７によるフランジ加工プレス機であって、一方のカップリング構造、好ましくは横断方向に移動可能なテンシング要素を搭載するカップリング構造は、プレス方向（Ｆ）あるいは反プレス方向に他方のカップリング構造が入ることができるレセプタクルを含み、横断方向に移動可能なテンシング要素および凹部あるいはキャビティとして形成されたテンシング要素（１１６）が、レセプタクルの領域に位置し、横断方向に移動可能なテンシング要素が、絶えず、あるいはテンシング係合を確立するためのみに、プレス方向（Ｆ）を横断する方向に作用する力で負荷をかけられている。
【００９５】
態様３９：態様３６のフランジ加工プレス機であって、テンシング要素（１６、３６）は、ねじとナットのように共働し、テンシング要素（１６、３６）が回転軸の周りを互いに対して回転した時、一方のテンシング要素（１６、３６）が、プレス方向（Ｆ）あるいは反プレス方向に回転軸を中心として上昇し、他方のテンシング要素（１６、３６）が、上昇エリアあるいはラインをスライドする。
【００９６】
態様４０：態様３４〜３９のいずれか１つのフランジ加工プレス機であって、一方のテンシング要素（１６、１１６）が、プレス方向（Ｆ）にガイド要素（１５）に支持されるか、ガイド要素（１５）により直接形成される。
【００９７】
態様４１：態様４０によるフランジ加工プレス機であって、異なるサプレッサ（３）に容易に適合できるように、一方のテンシング要素（１６）が取り外し可能に、好ましくは交換可能にガイド要素（１５）に接続されるか、ガイド要素（１５）に対して移動可能である。
【００９８】
態様４２：態様１〜４１のいずれか１つのフランジ加工プレス機であって、フランジ加工ダイ（２１）は、これを通じてフランジ加工中にコンポーネント（Ｂ）のフランジに対してプレスする表面（２１ａ、２１ｂ）に、保護セラミック層を含む。
【００９９】
態様４３：態様４２によるフランジ加工プレス機であって、フランジ加工ダイ（２１）は、セラミック材料からなる。
【０１００】
態様４４：態様１〜４３のいずれか１つのフランジ加工プレス機であって、フランジ加工ダイ（２１）は、表面（２１ａ、２１ｂ）に、これを通じてフランジ加工中にコンポーネント（Ｂ）のフランジに対してプレスする、保護セラミック層を含む。
【０１０１】
態様４５：態様４４によるフランジ加工プレス機であって、コーティングは、好ましくはＰＶＤあるいはＣＶＤ法の手段によって、薄膜技術を使用して、あるいは、好ましくは溶射法の手段によって、厚膜技術を使用して実現される。
【０１０２】
態様４６：態様１〜４５のいずれか１つのフランジ加工プレス機であって、ヘミング加工中にコンポーネント（Ｂ）を押さえつけるためのサプレッサ（３）をさらに含み、サプレッサ（３）は、空間的に移動可能であるアクチュエータに取り付けるための取り付けデバイス（３４）と、コンポーネント（Ｂ）がフランジ加工プレス機に移動し、サプレッサ（３）の手段によってフランジ加工ベッド（１１）に位置させることができる、コンポーネント（Ｂ）を保持するための保持デバイスを含む。
【０１０３】
態様４７：態様４６によるフランジ加工プレス機であって、ベース構造（１）あるいはフランジ加工ダイユニット（２）は、ガイド要素（１５）を含み、サプレッサ（３）は、コンポーネント（Ｂ）を挿入している間ガイド要素（１５）とサプレッサ（３）のガイドカウンタ要素（３５）との間のガイド係合の手段によってサプレッサ（３）をフランジ加工ベッドに対し（１１）好ましくはプレス方向（Ｆ）にガイドする、ガイドカウンタ要素（３５）を含み、サプレッサ（３）のためのガイド要素（１５）は、好ましくは態様３４の、フランジ加工ダイユニット（２）のためのガイド要素（１５）でもある。
【０１０４】
態様４８：態様１〜４７のいずれか１つのフランジ加工プレス機であって、好ましくは態様４６または４７のサプレッサ（３）である、サプレッサ（３）が、フランジ加工中にコンポーネント（Ｂ）を押さえつけるために設けられ、サプレッサ（３）は、コンポーネント（Ｂ）に接触する押さえつけ端部（３１）、および押さえつけ端部（３１）を境する領域を含み、押さえつけ端部を境するサプレッサ（３）の領域、および少なくとも１つのフランジ加工ダイ（２１）は、フランジ加工中、少なくとも１つのフランジ加工ダイ（２１）がプレス方向（Ｆ）を横断する方向に、およびフランジを横断する方向にサプレッサ（３）の押さえつけ端部（３１）とオーバーラップできるような形状とされている。
【０１０５】
態様４９：態様４８によるフランジ加工プレス機であって、少なくとも以下の特徴のうちの１つを含む、（ｉ）フランジ加工中に、フランジ加工ダイ（２１）およびサプレッサ（３）がプレス方向（Ｆ）におよびフランジを横断する方向にインターロックするように、押さえつけ端部（３１）を境する領域において、サプレッサ（３）は、プレス方向（Ｆ）を横断する方向に突出する領域（３２）、およびプレス方向（Ｆ）を横断する方向に後退する領域（３３）を含み、フランジ加工ダイ（２１）は、これに類似してプレス方向（Ｆ）を横断する方向に突出する領域およびプレス方向（Ｆ）を横断する方向に後退する領域を含み、（ｉｉ）サプレッサ（３）は、フランジ加工中にフランジ加工ダイ（２１）がその裏側で押さえつけ端部（３１）にオーバーラップできるように、押さえつけ端部（３１）を境する領域においてフランジ加工ダイ（２１）から離れるように角度を有する（３７）。
【０１０６】
態様５０：態様１〜４９のいずれか１つのフランジ加工プレス機であって、フランジ加工ダイ（２１）は、第１アングルでフランジを折りたたむための第１フランジ加工エリア（２１ａ）と、別のアングルでフランジを折りたたむための第２フランジ加工エリア（２１ｂ）を含み、第１フランジ加工エリアは、第２フランジ加工エリアを超えて、プレス方向（Ｆ）を横断する方向に、フランジ加工ダイ（２１）の自由前側エンドに向けて突出する。
【０１０７】
態様５１：態様１〜５１のいずれか１つのフランジ加工プレス機であって、フランジ加工ダイユニット（２）は、コンポーネント（Ｂ）をフランジ加工ベッド（１１）に離れる方を向くフランジ加工ダイユニット（２）の裏側からフランジ加工ベッド（１１）に挿入できるパッセージ（２０ａ）を含み、フランジ加工ダイ（２１）は、パッセージ（２０ａ）の外周を部分的にあるいは好ましくは３６０°にわたって完全に囲むフランジ加工ダイユニット（２）の内周（２８）に配置され、複数のフランジ加工ダイ（２１）が、好ましくは内周（２８）に沿って隣同士に配置でき、フランジ加工ダイユニット（２）は、パッセージ（２０ａ）の外周を少なくとも部分的に、好ましくは３６０°にわたって完全にフレームのように囲む、好ましくはフレーム状のベアリング構造（２０）を含む。
【０１０８】
態様５２：態様５１によるフランジ加工プレス機であって、プレス方向（Ｆ）の平面視で、フランジ加工ベッド（１１）を軸方向に投影すると、内周（２８）がフランジ（Ｃ）の外形を外形に近似して追従し、フランジ（Ｃ）の全体の長さにわたってフランジ（Ｃ）の外形からの距離（ｄ）が８ｃｍ以下、好ましくは６ｃｍ以下である。
【０１０９】
態様５３：態様１〜５２のいずれか１つのフランジ加工プレス機であって、ベース構造（１）およびフランジ加工ダイユニット（２）は、フランジ加工ベッド（１１）がそのような実施形態では少なくとも実質的に水平であるプレス方向（Ｆ）を指すように、少なくとも実質的に垂直に直立して設置されるか、あるいは垂直に直立して設置できるように搭載される。
【０１１０】
態様５４：態様５３によるフランジ加工プレス機であって、少なくとも、ベース構造（１）あるいはオプションの追加ベース構造（８）に設けられ、追加コンポーネント（Ｂ）のフランジを折りたたむために、追加コンポーネント（Ｂ）をプレス方向（Ｆ）とは反対のプレス方向（−Ｆ）にプレスすることができる追加のフランジ加工ベッド（１２）、および追加のフランジ加工ベッド（１２）に向かう、追加コンポーネント（Ｂ）のフランジを折りたたむための追加のフランジ加工ダイ（４１）を含む、追加のフランジ加工ダイユニット（４）、をさらに含み、フランジ加工ベッド（１１、１２）は、フランジ加工ダイユニット（２、４）の間にプレス方向（Ｆ）に配置され、追加のフランジ加工ダイ（４１）および追加のフランジ加工ベッド（１２）は、追加コンポーネント（Ｂ）にプレス力を働かせるためにも、プレスドライブ（１４）の手段によって、互いに対してプレス方向（Ｆ）に移動可能である。
【０１１１】
態様５５：態様１〜５４のいずれか１つのフランジ加工プレス機であって、フランジ加工ダイユニット（２）が、プレス方向に移動可能であるようにベース構造（１）に搭載されるか、ベース構造（１）が、プレス方向（Ｆ）に移動可能であるようにフランジ加工ダイユニット（２）に搭載されるかのいずれかである。
【０１１２】
態様５６：態様１〜５５のいずれか１つのフランジ加工プレス機であって、プレスドライブの手段によって（１４）、プレス力を働かせるために、ベース構造（１）およびフランジ加工ダイユニット（２）が、そしてこれによってフランジ加工ダイ（２１）およびフランジ加工ベッド（１１）が互いに対してプレス方向（Ｆ）に移動可能であり、フランジ加工ダイ（２１）は、フランジ加工ダイユニット（２）にプレス方向（Ｆ）にサポートされ、好ましくはプレス方向（Ｆ）に動かないようにであるように配置される。
【０１１３】
態様５７：態様１〜５６のいずれか１つのフランジ加工プレス機であって、少なくとも実質的に水平である軸を中心にして回転あるいは回動できるように、フランジ加工ベッド（１１）およびフランジ加工ダイユニット（２）が、搭載される。
【０１１４】
態様５８：態様１〜５７のいずれか１つのフランジ加工プレス機の手段によって、好ましくは車両パーツであるコンポーネントのフランジを折りたたむ方法であって、（ａ）コンポーネント（Ｂ）が、空間的に移動可能であるアクチュエータの手段によって、態様５１によりフランジ加工ベッド（１１）に向けてパッセージ（２０ａ）を通じて好ましくはフランジ加工ベッド（１１）まで、フランジ加工ベッド（１１）に対して移動し、（ｂ）アクチュエータあるいはテンシングデバイス（１６、３６、１１６）の手段によって、フランジ加工ベッド（１１）に位置し、好ましくは押し込まれ、（ｃ）フランジ（Ｃ）が、フランジ加工ダイユニット（２）がフランジ加工ダイ（２１）と共に実行するプレス加工ストロークにより折りたたまれる。
【０１１５】
態様５９：態様５８による方法であって、（ｄ）態様３６〜４１および４６〜４９のいずれか１つのサプレッサ（３）が、パッセージ（２０ａ）を通じて動かされて、フランジ加工ベッド（１１）に挿入される間、アクチュエータに取り付けられ、コンポーネント（Ｂ）を保持し、（ｅ）フランジ加工中に、フランジ加工ベッド（１１）にコンポーネント（Ｂ）を押さえつける。
【０１１６】
態様６０：態様１〜５９のいずれか１つのフランジ加工プレス機の手段によって好ましくは車両パーツであるコンポーネントのフランジを折りたたむ方法であって、（ａ）態様１２により、プレスふいご（６０）が、ストロークベアリング構造（１１０）で支持され、（ｂ）フランジ加工ダイユニット（２）あるいはフランジ加工ベッド（１１）のいずれかが、フランジ加工プレス機の枠組み（１３）に対し、フランジ加工ベッド（１１）に置かれているコンポーネント（Ｂ）のフランジ（Ｃ）を折りたたむためにストローク動作を行い、（ｃ）ストローク動作が、ストロークベアリング構造（１１０）がプレスふいご（６０）と共に実行するストローク、およびプレスふいご（６０）の伸長ストロークから構成される。
【図面の簡単な説明】
【０１１７】
本発明の実施形態の例を、図に基づいて以下に説明する。実施形態の例により開示された特徴は、個々の特徴であっても、特徴の組み合わせであっても、クレームの主題ならびに上述の実施形態および態様を有利に発展させる。
【図１】図１は、第１実施形態の例における、フランジ加工プレス機を示す。
【図２】図２は、主要コンポーネントに分離された、フランジ加工プレス機を示す。
【図３】図３は、フランジ加工プレス機のベース構造を示す。
【図４】図４は、フランジ加工プレス機のフランジ加工ダイユニットを示す。
【図５】図５は、フランジ加工ダイユニットの一部を示す。
【図６】図６は、フランジ加工プレス機のサプレッサを示す。
【図７】図７は、サプレッサを含むがフランジ加工ダイユニットを含まないフランジ加工プレス機を示す。
【図８】図８は、第１変形態様におけるフランジ加工ダイおよびサプレッサを示す。
【図９】図９は、フランジ加工プロセスを示す。
【図１０】図１０は、フランジ加工プロセスを示す。
【図１１】図１１は、フランジ加工プロセスを示す。
【図１２】図１２は、フランジ加工プロセスを示す。
【図１３】図１３は、フランジ加工プロセスを示す。
【図１４】図１４は、フランジ加工プロセスを示す。
【図１５】図１５は、フランジ加工プロセスを示す。
【図１６】図１６は、フランジ加工プロセスを示す。
【図１７】図１７は、第２変形態様におけるフランジ加工ダイおよびサプレッサを示す。
【図１８】図１８は、第２変形態様におけるフランジ加工ダイおよびサプレッサを示す。
【図１９】図１９は、第３変形態様におけるフランジ加工ダイおよびサプレッサを示す。
【図２０】図２０は、第３変形態様におけるフランジ加工ダイおよびサプレッサを示す。
【図２１】図２１は、第２実施形態の例におけるフランジ加工プレス機を示す。
【図２２】図２２は、第３実施形態の例におけるプレスふいごを含むフランジ加工プレス機を示す。
【図２３】図２３は、プレスふいごの平面図を示す。
【図２４】図２４は、プレスふいごの側面図を示す。
【図２５】図２５は、第４実施形態の例におけるフランジ加工プレス機を示す。
【図２６】図２６は、第４実施形態の例における枠組みおよびプレスふいごを示す。
【図２７】図２７は、第４実施形態の例における枠組み、プレスふいご、およびベースベアリング構造を示す。
【図２８】図２８は、第４実施形態の例におけるプレスふいごを含むベース構造を示す。
【図２９】図２９は、ウインドウスロットフランジをフランジ加工するための追加のフランジ加工デバイスを含む、第４実施形態の例におけるベース構造を示す。
【図３０】図３０は、第４実施形態の例における、ベースベアリング構造およびコンポーネントが挿入されたヘミング加工ベッドを示す。
【図３１】図３１は、第４実施形態の例におけるベース構造およびフランジ加工ダイユニットを示す。
【図３２】図３２は、第４実施形態の例におけるフランジ加工ダイユニットを示す。
【図３３】図３３は、第４実施形態の例におけるサプレッサを示す。
【図３４】図３４は、第４実施形態の例におけるサプレッサが、フランジ加工ベッドと相互作用するのを示す。
【図３５】図３５は、第４実施形態の例におけるヘミング加工ベッド、サプレッサ、およびフランジ加工ダイユニットの断面における詳細を示す。
【図３６】図３６は、第４実施形態の例におけるフランジ加工プレス機のフランジ加工の順序を示す。
【図３７】図３７は、プレスふいごを示す。
【図３８】図３８は、搭載構造を取り外したプレスふいごをを示す。
【図３９】図３９は、プレスふいごのフレキシブル部分を示す。
【図４０】図４０は、第４実施形態の例におけるフランジ加工プレス機の平面図を示す。
【図４１】図４１は、第５実施形態の例におけるフランジ加工プレス機を示す。
【図４２】図４２は、第５実施形態の例におけるフランジ加工プレス機のストロークベアリング構造を示す。
【図４３】図４３は、第５実施形態の例におけるフランジ加工プレス機の構成要素が、ベースポジションに置かれた状態の側面図を示す。
【図４４】図４４は、第５実施形態の例におけるフランジ加工プレス機の構成要素の図４３の切断面線Ａ―Ａにおける断面図を示す。
【図４５】図４５は、中間ストロークを実行した後の第５実施形態の例におけるフランジ加工プレス機の構成要素を示す。
【図４６】図４６は、フランジ加工ストロークを実行した後の、第５実施形態の例におけるフランジ加工プレス機の構成要素を示す。
【図４７】図４７は、リターンストロークを実行した後の、プレスふいごがまだ伸長している第５実施形態の例におけるフランジ加工プレス機の構成要素を示す。
【発明を実施するための形態】
【０１１８】
図１は、第１実施形態の例におけるフランジ加工プレス機を示す。フランジ加工プレス機は、デュアルプレス機として実現される。すなわち、フランジ加工プレス機は、サンドイッチ配置で背中合わせに直立に隣同士に配置された第１フランジ加工プレス機および第２フランジ加工プレス機を含む。プレス機は、生産プラントにおいて、静置状態（固定状態）で配置される。
【０１１９】
図２は、主要コンポーネントに分離されたフランジ加工プレス機を示し、主要コンポーネントは、プレス方向Ｆに平行に並べられている。主要コンポーネントは、プレス方向Ｆに対して中央に配置されるベース構造１、ベース構造１の右に配置される第１フランジ加工ダイユニット２、第１サプレッサ３、ベース構造１の左に配置される第２フランジ加工ダイユニット４、および第２サプレッサ５を含む。プレス機を使用して、２つのコンポーネントＢを同時にフランジ加工することができる。コンポーネントは、たとえば、乗用車の左側ドアＢおよび右側ドアＢである。このようなコンポーネントの場合、それぞれのコンポーネントの外側パーツおよび内側パーツは、フランジ加工により接合される。すなわち、ヘミング加工された連結を作製する。
【０１２０】
ベース構造１は、ベアリング構造１０を含み、この右側（フランジ加工ダイユニット２に面する側）には、コンポーネントＢを受ける第１フランジ加工ベッド１１が形成あるいは固定されて取付けられ、左側（フランジ加工ダイユニット４に面する側）には、他方のコンポーネントＢを受ける第２フランジ加工ベッド１２が形成あるいは固定されて取付けられる。フランジ加工中、たとえば図８に示すように、一方のコンポーネントＢがフランジ加工ベッド１１に置かれ、他方のコンポーネントＢが、フランジ加工ベッド１２に置かれる。フランジ加工中、一方および他方のコンポーネントＢは、それぞれに割り当てられたフランジ加工ベッド１１あるいは１２サポートされる。フランジ加工ベッド１１および１２は、フランジ加工中、プレス方向Ｆおよび／あるいは反対方向において、それぞれのコンポーネントＢに作用するプレス力を吸収する。ベース構造１はまた、ベアリング構造１０が静置され、たとえば台座として形成される枠組み１３も含む。ベース構造１は、枠組み１３と共に、生産プラントの床に垂直に配置されることができる。
【０１２１】
プレス機は、垂直に直立している。これに対応して、フランジ加工ベッド１１および１２は側方を向き、すなわち、フランジ加工ベッド１１が右側、そしてフランジ加工ベッド１２が左側を向く。プレス方向Ｆは、これに対応して水平方向である。図１に特に示すように、プレス機を垂直に設置することは、先行技術において通例となっている通りの、フランジ加工ベッド１１および１２が上向きおよび下向きであるように水平に配置されるプレス機に比較してプレス機の設置エリアを大幅に減少させる。車両ドアをフランジ加工する現行のプレス機は、フランジ加工ベッドを水平に配置することにより、およそ２．７メートル×２．７メートルの設置エリアを要したが、本発明のプレスによれば、たとえば、従来のサイズの車両ドアには、２メートル×２メートル未満、有利にはおよそ１．５メートル×１．２メートルの設置エリアを要する。
【０１２２】
図８は、コンポーネントＢのフランジ領域を示す。フランジ領域において、フランジ加工ベッド１１およびフランジ加工ダイユニット２が連動し、フランジＣを外側パーツＡの端部で折りたたむことによって、外側パーツＡおよび内側パーツＩを接合してコンポーネントＢ、すなわち車両ドアを形成する。対応して位置させた内側パーツＩの端部は、ヘミング加工された外側パーツＡのポケットに突出し、そして、パーツＡとＩとは、ヘミング加工された連結により互いに対して固定される。サプレッサ３の前側の自由押さえつけ端部３１は、プレス方向Ｆにおいて、２つのパーツＡおよびＩをフランジ加工ベッド１１にプレスする。フランジ加工ダイユニット２は、ベアリング構造２０、および、折りたたまれるフランジＣに沿って、ベアリング構造２０に配置された複数のフランジ加工ダイ２１を含み、フランジ加工ダイユニット２のフランジ加工ダイ２１は、プレス方向Ｆのプレス加工ストロークの場合にフランジＣをプレスし、以下に詳細を説明するように、これによってフランジＣを折りたたむ。
【０１２３】
原則として、プレス方向と反プレス方向とを区別する必要はない。反プレス方向は、フランジ加工ベッドのプレス方向に含まれ、以下では「プレス方向」としか言及しない。フランジ加工ダイユニットの移動方向、あるいは別の選択肢による実施形態で、フランジ加工ベッドの移動方向が関係するである場合に、区別される。
【０１２４】
図３、４、および６は、主要コンポーネント（それぞれ、枠組み１３無しのベース構造１、フランジ加工ダイユニット２、およびサプレッサ３）を示す。図５も、フランジ加工ダイユニット２の一部を拡大して示す。図７は、コンポーネントＢを受けた、図１のプレス機を示す。サプレッサ３および５と、フランジ加工ベッド１１および１２との、そしてまたフランジ加工ダイユニット２および４との相互作用を示すために、プレス機はフランジ加工ダイユニット２および４を省略して示している。
【０１２５】
図３に示す通り、ベース構造１は、フランジ加工ベッド１１および１２の周りに分布された複数のガイド要素１５を含み、ガイド要素１５はそれぞれ、プレス方向Ｆに延びる。プレス加工動作は、直線動作であり、プレス方向Ｆは、図３においてこれに対応してプレス加工軸線Ｆとして示されており、ガイド要素１５は、これに対応して直線的ガイドである。ガイド要素１５は、好ましくは、しかしほんの例示として、少なくともその長さの大半がそれぞれ円柱状である。
【０１２６】
フランジ加工ベッド１１および１２は、ベアリング構造１０の、互いに離れる方を向く２つのエンドに面する側に形成されるか、あるいは別個に形成されたフランジ加工ベッド１１および１２として、ベアリング構造１０に取付けられる。ベアリング構造１０は、全体として、フレーム形状を有し、その外形はフランジ加工ベッド１１および１２の輪郭にマッチするように形成されている。
【０１２７】
ガイド要素１５は、それぞれがプレス方向Ｆに平行な軸線（図３にＦで示す。）を中心にして回転できるように、ベアリング構造１０により搭載されて（この実施形態においては、ベアリング構造１０から突出するエクステンションに）おり、ガイド要素１５は、テンシングドライブ１７の手段による駆動力により、回転される。各ガイド要素１５は、その軸方向の自由端部付近に、半径方向に突出するテンシング要素１６を含む。テンシング要素１６は、プレス方向Ｆにおいて、２つのサプレッサ３および５に対して、それぞれに割り当てられたフランジ加工ベッド１１あるいは１２に向かって張力を加える。
【０１２８】
ベアリング構造１０は、ベアリング構造１０がフレームとなる内部領域で、補強材１８により補強される。補強材１８は、ベアリング構造１０の中央から内周に、星の形状に延びる複数の補強横木により形成されており、補強横木のうちいくつかは、ガイド要素１５が配置される前述のエクステンションが形成されるように、ベアリング構造１０を超えて外側に延びる。テンシングドライブ１７もまた、補強横木にサポートされる。
【０１２９】
図４は、フランジ加工ダイユニット２を示す。フランジ加工ダイユニット２は、割り当てられたフランジ加工ベッド１１の輪郭に追従するようにフレーム状に形成されたベアリング構造２０を含む。フレーム状のベアリング構造２０は、開放されたままの中央パッセージ２０ａを包囲する。複数のフランジ加工ダイ２１は、パッセージ２０ａを取り囲み、ベアリング構造２０の内周２８に沿って、隣同士に配置される。１つのフランジ加工ダイ２１のみが示されている。フランジ加工ダイ２１は、それぞれ、フランジ加工ダイ２１で例示される通り、ベアリング構造２０のフランジ加工ベッド１１に向かう側に、内周に沿って配置される。
【０１３０】
フランジ加工ダイ２１は、ビーム状に形成される。各フランジ加工ダイ２１は、プレス方向Ｆと反対方向に動かないように、ベアリング構造２０にサポートされる。すなわち、ベアリング構造２０のエンドに面するエリアに軸方向に当接する。当接は、図５に詳細に示されている。複数の当接ピースがベアリング構造２０に取り付けられ、当接エリア２７を形成する。サポート要素２３もまた、ベアリング構造２０に取り付けられ、当接エリア２７と軸方向に反対に置かれる。取付けられる時、フランジ加工ダイ２１は、それぞれ、軸方向において、当接エリア２７および少なくとも１つのサポート２３の間に挟まれる。サポート２３は、フランジ加工中に、フランジ加工ダイ２１に作用するトルクを吸収する。すなわち、トルクサポートとして機能する。サポート２３はたとえば、ベアリング構造２０に加工された、溝に置換することができる。
【０１３１】
フランジ加工ダイ２１は、しかし、プレス方向Ｆを横断する横断方向Ｑにおいて、ベアリング構造２０に対して往復移動ができる。ベアリング構造２０の内周に分布されていることから、フランジ加工ダイ２１はそれぞれ、異なる横断方向Ｑ、すなわち１つのフランジ加工ダイ２１につき１つの横断方向Ｑに移動可能である。横断移動中、フランジ加工ダイ２１は当接部２７とサポート２３の間で、そしてガイド２６を通じて直線的にガイドされる。１つの変形例において、ガイド２６をサポート２３に置換し、あるいはサポート２３をガイド２６に置換できる。フランジ加工ダイ２１はそれぞれ、少なくとも１つの（実施形態の例では２つ）、フランジ加工ダイ２１の横断動作を発生できるようにするために、フランジ加工ダイドライブ２２に結合する。フランジ加工ダイドライブ２２は、直線的ストローク駆動、たとえば、空気的に（圧縮空気により）駆動する。結合は直接的が好ましいが、あくまでも例示である。各フランジ加工ダイドライブ２２の移動可能コンポーネントは（例示ではピストン）、移動可能コンポーネントの動作方向において動かないように、割り当てられたフランジ加工ダイ２１に接続されている。
【０１３２】
フランジ加工ダイユニット２は、ベース構造１の各ガイド要素１５に１つのずつに対応して、複数のガイドカウンタ要素２５を含む。ガイドカウンタ要素２５は、ベアリング構造２０に対して動かすことができず、ベアリング構造２０と一体的に形成するか、あるいはベアリング構造２０に固定して接合することができる。ガイドカウンタ要素２５は、ガイド要素１５に適合する中空の円筒ガイドとして形成される。ガイド係合において、ガイド要素１５はガイドカウンタ要素２５を通ってプレス方向Ｆに突出し、これらと公差の小さいガイド係合を形成する。ガイド係合において、フランジ加工ダイユニット２は、プレス加工ストロークおよびリターンストロークの間、割り当てられたフランジ加工ベッド１１に対してプレス方向Ｆに正確にガイドされる。
【０１３３】
第２フランジ加工ダイユニット４は、本明細書に開示された全ての特徴において、フランジ加工ダイユニット２に対応する。フランジ加工ダイユニット２および４は、フランジ加工ベッド１１および１２と同様に、コンポーネントＢの幾何学的相違により必要となる範囲のみで互いに異なる。フランジ加工ダイユニット４の機能的に同じ構造および要素は、図２において対応する参照符号で示す。すなわち、４０がベアリング構造、４１がフランジ加工ダイ、４２がフランジ加工ダイ駆動であり、機能的に同じコンポーネントにそれぞれ２０を増やした参照符号で示される。
【０１３４】
プレス機は、図１および２に示す水圧式（油圧式）のプレスドライブ１４を含む。プレスドライブ１４は、複数の水圧式（油圧式）の直線的ストローク駆動ユニットにより形成されており、実施形態の例では、４つのユニットが含まれている。駆動ユニット１４は、フランジ加工ベッド１１および１２の外周に分布されて配置されている。フランジ加工に必要なプレス力は、フランジ加工ベッド１１および１２、そしてフランジＣ（図８）の輪郭に均等に分配される。駆動ユニット１４は、それぞれ、シリンダーおよび各シリンダーにガイドされるピストンを含む。プレス方向Ｆに互いに対して直線的に移動可能であるこれら２つの駆動要素のうち、一方は、軸方向に動かすことができないように、フランジ加工ダイユニット２に接続され、他方は、軸方向に動かすことができないように、フランジ加工ダイユニット４に接続されている。駆動ユニット１４のピストンとシリンダーの間の相対的動作はよって、プレス方向において、フランジ加工ダイユニット２および４が、互いに向かって、そして、それぞれ割り当てられたフランジ加工ベッド１１あるいは１２に向かって、あるいは、互いに遠ざかるように、そして、それぞれ割り当てられたフランジ加工ベッド１１あるいは１２から遠ざかるように動き、プレス加工ストロークおよびリターンストロークを行う。フランジ加工ダイユニット２および４は、ばねデバイス手段によって、それぞれ割り当てられたフランジ加工ベッド１１あるいは１２から離れるように、エンド位置に向けて張力を加えられる。このような駆動の態様において、プレスドライブ１４は、各ばねデバイスのばね力に抗して、フランジ加工ダイユニット２および４のプレス加工ストロークを発生する。ばねの代わりに、あるいはこれに加えて、フランジ加工ダイユニット２および４は、制動されることもできる。しかし、原則として、ねじデバイスも制動デバイスも、絶対的に必要なものではない。
【０１３５】
フランジ加工ダイユニット２および４は、駆動フランジ２４および４４、すなわち、１つの駆動ユニット１４につき、１つの駆動フランジ２４あるいは４４を含む。フランジ加工ダイユニット２の駆動フランジ２４は、軸方向に動かすことができないように各駆動ユニット１４の２つの駆動エレメントのうちの１つに接続されており、フランジ加工ダイユニット４の駆動フランジ４４は、軸方向に動かすことができないように、各駆動ユニット１４の、他方の駆動エレメントに接続されている。
【０１３６】
図８に基づいてすでに簡潔に説明されたが、コンポーネントＢは、サプレッサ３および５の手段によって、それぞれフランジ加工ベッド１１あるいは１２にプレスされ、フランジ加工のために固定される。図１は、それぞれに押さえつけ機能を果たしている、プレス機のサプレッサ３および５を示す。図６は、プレスから分離された、（サプレッサ５の代表としても）サプレッサ３を単独で示す。サプレッサ３は、好ましい、しかしほんの例示である金属板からなるの輪郭あるいはその他の支柱から接合されたベアリング構造３０を含む。全体的に見て、ベアリング構造３０は格子である。サプレッサ３の、フランジ加工ベッド１１に向かう側は、押さえつけ端部３１を含み、押さえつけ端部３１を通じて、サプレッサ３がコンポーネントＢをプレスし、これによってフランジ加工中にコンポーネントＢをフランジ加工ベッド１１に押さえつける。
【０１３７】
サプレッサ３の、フランジ加工ベッド１１から離れる方を向く側は、フランジ加工中に、空間的に移動可能なアクチュエータ（たとえば産業ロボットの好ましくはロボットアーム）のエンドに取り付けるための、取り付けデバイス３４を含む。取り付けデバイス３４は、特に、アクチュエータと自動的にドッキングし、そしてアクチュエータからドッキングを開放するための、ドッキングデバイスとすることができる。アクチュエータに取り付けをするデバイスに加えて、ドッキングデバイスは、そのような把持体がサプレッサの構成要素である場合に、特に１つあるいはそれ以上の吸引体を接続するために、たとえばサプレッサに電気エネルギーを提供する、あるいはサプレッサを圧力デバイスまたは吸引デバイスに接続する、メディアポートも含むことができる。サプレッサ３はまた、保持デバイス（図示しない）も含み、この手段によって、それぞれのコンポーネントＢがサプレッサ３に保持されることができる。保持デバイスは、特に１つあるいはそれ以上の空気的（圧縮空気で動作する）吸引体または１つあるいはそれ以上の機械的把持体を含む。サプレッサ３は、それぞれのコンポーネントＢ１をフランジ加工に適した押さえつけ端部３１に対する位置に対応して保持し、サプレッサ３の手段によってこの状態でフランジ加工ベッド１１に挿入するように設計されている。サプレッサ３はよって、押さえつけ機能および挿入機能を満たすことができる。すなわち、押さえつけおよび挿入ツールとして供することができる。一連の生産においては、好ましくはピックアップおよび／あるいは把持ツールとしての用にも供し、ロボットアームに取り付けられたサプレッサ３を有するロボットが、各コンポーネントＢをピックアップし、プレスに移動させて、フランジ加工ダイユニット２の中央パッセージを通じてフランジ加工ベッド１１までガイドし、それからコンポーネントＢをフランジ加工ベッド１１に位置させて押さえつける。サプレッサ３の押さえつけ端部３１は、フランジ加工プロセス中全体を通して、コンポーネントＢとの圧接を保つ。フランジ加工が完了したら、コンポーネントＢはフランジ加工ベッド１１からサプレッサ３の手段によって取り出され、保管所ステーションに搬送される。サプレッサ３は、次のコンポーネントＢをピックアップするために、解放される。
【０１３８】
コンポーネントＢを挿入している間、ロボットを解放するために、サプレッサ３は、ベアリング構造３０の外周に分布するように複数のガイドカウンタ要素３５を含み、ガイドカウンタ要素３５は、コンポーネントＢが挿入されている間、ベース構造１のガイド要素１５とガイド係合する。ロボットは単にサプレッサ３を移動させて、ガイド要素１５とガイド係合させる。すなわち、サプレッサ３のガイドカウンタ要素３５にガイド要素１５を通してガイド係合させ、そしてサプレッサ３をガイド係合状態でプレス方向Ｆに動かす。
【０１３９】
押さえつけ機能からロボットを解放するためにも、サプレッサ３は、ベース構造１のテンシング要素１６とのテンシング係合において、フランジ加工ベッド１１に向けてサプレッサ３に張力を加える（図１および３）テンシングカウンタ要素３６とはめ合わせられる。テンシング要素１６およびテンシングカウンタ要素３６は、ガイドされた挿入動作の最後に、互いにテンシング係合される。テンシング係合は、ねじ係合あるいはスピンドル係合に類似した方法で実現される。軸方向へのテンシングには、テンシング要素１６およびテンシングカウンタ要素３６がねじとナットのように共働する。テンシング要素１６およびテンシングカウンタ要素３６は、テンシング係合において、押さえつけに必要な押さえつけ力をくさび効果によって発生する。テンシング要素１６およびテンシングカウンタ要素３６は、サプレッサ３を押さえつけ位置に安定させることにより、ラッチ要素として同時に作動する。テンシングカウンタ要素３６は、サプレッサ３の、フランジ加工ベッド１１に離れる方を向く側に、ガイドカウンタ要素３５の周りに延長するねじのピッチとしてそれぞれ形成される。すなわち、それぞれ軸方向にねじの形状に上昇する。このように形成されたテンシングデバイスは、差し込みロックとしてもふるまい、ガイドカウンタ要素３５は、それぞれ、軸方向に延びるスロットを有し、これを通じて、コンポーネントＢ挿入されている間、各テンシング要素１６が突出し、そして挿入動作の終わりに再度退避する。ガイド要素１５は、駆動１７の手段によって回転され、テンシングカウンタ要素３６とのテンシング係合においてフランジ加工ベッド１１に向けて、サプレッサ３に軸方向に張力を加える。
【０１４０】
その他のサプレッサ５についても、条件は同じである。サプレッサ５の、機能が同じのコンポーネントは、サプレッサ３のそれぞれ機能が同じのコンポーネントに対比して、２０の数で増加できる。これに対応して、そのベアリング構造は５０で示され、その押さえつけ端部は５１で示される。
【０１４１】
図７は、それぞれに割り当てられたフランジ加工ベッド１１あるいは１２に対してサプレッサ３および５が押さえつけ位置にある状態を示す。例示のために、フランジ加工ダイユニット２および４は省略されている。実際は、図１に示す通り、フランジ加工ダイユニット２および４を含む必要がある。
【０１４２】
図９〜１６は、フランジ加工ダイユニット２およびその上に配置されたフランジ加工ダイ２１による一連の動作による、２段階のフランジ加工プロセスを示す。
【０１４３】
図９において、フランジ加工ダイユニット２は、フランジ加工ベッド１１から後退されたエンド位置に位置されている。フランジ加工ダイ２１は、プレス方向Ｆおよび横断方向Ｑの両方に対してフランジ加工ベッド１１から後退された位置にある。すでに説明された通り、図９にそれぞれ両方向の矢印ＦおよびＱで示す通り、フランジ加工ダイ２１は、フランジ加工ダイユニット２のベアリング構造２０と共に、プレス方向Ｆおよび反プレス方向に、そしてベアリング構造２０に対して横断方向Ｑに往復運動可能である。コンポーネントＢは、サプレッサ３の手段によってフランジ加工ベッド１１に挿入され、サプレッサ３の押さえつけ端部３１は、コンポーネントＢの隣接する端部領域（実施形態の例では、順に重ねて置かれるパーツＡおよびＩの端部領域）を互いに、コンポーネントフランジＣに沿って、そしてフランジ加工ベッド１１に対し一体的にプレスする。
【０１４４】
フランジ加工ダイ２１は、プレフランジ加工、そして最終フランジ加工の、２段階フランジ加工に向けて設計されており、それぞれプレフランジ加工の第１フランジ加工エリア２１ａおよび最終フランジ加工の第２フランジ加工エリア２１ｂを含む。フランジ加工エリア２１ａは、フランジ加工エリア２１ｂを超えて、横断方向Ｑに突出する。
【０１４５】
第１フランジ加工工程は、プレス方向Ｆに対して径方向外側のフランジ加工ダイ２１の横断動作により開始される。図１０において、各フランジ加工ダイ２１の第１フランジ加工エリア２１ａがフランジＣの上にあり、この横断動作が行われている。この位置から、フランジ加工ダイユニット２全体、すなわちベアリング構造２０とベアリング構造２０に配置されるフランジ加工ダイ２１が、プレス方向Ｆに動く。これは図１０において矢印Ｆで示されている。このプレス加工ストロークの終わりに、フランジ加工ダイユニット２全体が図１１に示す位置をとる。プレス加工ストローク中、フランジＣは第１アングルで折りたたまれる。フランジ加工ダイユニット２はそして、図１２に示す位置をとるまで、プレス方向Ｆに反対に、フランジ加工ベッド１１から離れるように動く。
【０１４６】
次のフランジ加工工程の文脈において、フランジ加工ダイ２１はまず、図１２で取られた位置からベアリング構造２０に対し横断方向Ｑに、フランジ加工ベッド１１および部分的に折りたたまれたフランジＣの上に前進する。図１３は、フランジ加工ダイ２１がすでにフランジＣの上に位置されている配置を示し、図９〜１６の全てにおいて、その他のフランジ加工ダイ２１の代表として１つのみが示されている。フランジ加工ダイユニット２全体は、フランジ加工ダイ２１と共にフランジＣの上に位置されており、そして再度プレス方向Ｆに動かされる。この第２プレス加工ストロークの終わりに、フランジ加工ダイ２１は図１４に示す位置をとる。フランジＣは、フランジ加工エリア２１ａとの圧接により完全に折りたたまれ、ヘミング加工された連結がこのようにして確立された。フランジ加工ダイユニット２はそして、再度プレス方向に反対に、ヘミング加工ベッド１１から離れるように動かされ、図１５に示すエンド位置をとる。リターンストロークが行われている間、あるいはリターンストロークが完全に１度のみ行われたとき、図１６に示すようにコンポーネントＢがフランジ加工ダイユニット２から解放されるように、そしてサプレッサ３の手段によってフランジ加工ベッド１１から取り出すことができるようにフランジ加工ダイ２１は再度横断方向Ｑに戻される。
【０１４７】
図１６に示す状態が得られている間に、すなわち、フランジ加工によってすでに接合されたコンポーネントＢがヘミング加工ベッド１１に対してプレスされ、これによってサプレッサ３により押さえつけられ、１つあるいはそれ以上のフランジ加工ダイ２１が（それぞれ）サプレッサ３から横断方向Ｑに後退されている間、追加の接合プロセスをオプションで行うことができる。追加の接合プロセスは特に、外側パーツＡと内側パーツＩを互いに対して追加で固定するのに供することができる。追加の接合プロセスは特に、たとえばスポット溶接あるいはスティッチ溶接といった、溶接プロセスとすることができる。押さえつけ端部３１が折りたたまれたフランジＣに近接して内側パーツＩをプレスするサプレッサ３は、溶接中に接地電極として機能することができる。特に薄型溶接ランスの先端に配置することができる溶接用電極は、フランジ加工ダイユニット２とサプレッサ３の間を、フランジＣまで、これに対して移動でき、部分的溶接接合を確立するために、フランジＣをプレスできる。溶接用電極は、１つあるいはそれ以上のフランジ加工ダイ２１の一体的構成要素とすることができる。このように一体的にされた溶接用電極は、好ましくはプレス方向Ｆに移動可能であるように、プレフランジ加工に使用されるフランジ加工エリア２１ａ領域に配置することができる。溶接には、フランジ加工ダイ（複数も含む）２１の各フランジ加工エリア２１ａが横断方向Ｑに、フランジＣの上に移動し、各一体的溶接用電極がフランジＣに対してプレスされる。一体的溶接用電極を使用して溶接プロセスを行うために、フランジ加工ダイ２１は、フランジ加工後に後退位置に移動する必要はない。その代わりに、フランジ加工ダイ２１のフランジ加工エリア２１ａのみが図１５でとられている位置からフランジＣの上に、横断方向において移動し、そして移動可能な溶接用電極のみ、あるいはフランジ加工ダイユニット２とオプションで溶接用電極が（それぞれ）プレス方向Ｆに移動するのみで十分である。その他の変形例において、溶接用電極を最終フランジ加工のためのフランジ加工エリア２１ｂの領域に配置することができる。このような変形例において、溶接プロセスは、図１４に示す位置で、最終フランジ加工に直接引き続いて、あるいは、プレス加工ストローク終了時に直接行われることができる。パーツＡおよびＩは、これらパーツＡおよびＩの、フランジ加工ベッド１１に離れる方を向く側に、電極をそれぞれ接触させて互いにより強固に固定されることができる。
【０１４８】
サプレッサ３およびフランジ加工ダイ２１は、フランジ加工プロセス全体を通してコンポーネントＢおよび／あるいはそのパーツＡおよびＩをフランジ加工ベッド１１に固定するために、サプレッサ３がフランジ加工プロセス全体を通して押さえつけ位置のままを保つことができるように、互いに合致するような形状となっている。
【０１４９】
図８〜１６は、第１態様においてサプレッサ３およびフランジ加工ダイ２１の１つが適用された場合をを示す。第１変形態様のサプレッサ３は、押さえつけ端部３１に隣接する領域に、横木状の突出領域３２およびパッセージ状の後退領域３３を含む。それぞれのフランジ加工エリア２１ａの領域において、フランジ加工ダイ２１も同様に横断方向Ｑに突出する領域および横断方向Ｑに後退する領域を含み、フランジ加工ベッド１１に沿った視点で、サプレッサ３の突出領域３２はそれぞれフランジ加工ダイ２１の後退領域にオーバーラップし、後退領域３３はそれぞれフランジ加工ダイ２１の突出領域にオーバーラップする。サプレッサ３およびフランジ加工ダイ２１の両方に突出および後退領域をこのように配置することで、フランジ加工ダイ２１のそれぞれが第１フランジ加工エリア２１ａの領域において、サプレッサ３とその後退領域３３においてかみあうように、図１３、１４、および１５に示す通りサプレッサ３およびフランジ加工ダイ２１を横断方向Ｑにインターロックできる。フランジ加工ダイ２１はよって、２つのフランジ加工エリア２１ａおよび２１ｂがそれぞれ同じフランジ加工ダイ２１に形成されていても、両方のフランジ加工工程を行うことができ、サプレッサ３は、フランジ加工プロセス全体を通じて押さえつけ位置に残ることができる。
【０１５０】
図１７および１８は、第２態様におけるサプレッサ３およびフランジ加工ダイ２１を含むフランジ加工ダイユニット２を示す。第２態様のサプレッサ３は、押さえつけ端部３１に隣接する領域において後退領域３３がパッセージではなくポケットおよび／あるいは凹部の形状であるという点でのみ、第１態様のサプレッサ３とは異なる。フランジ加工ダイ２１はよって、最終フランジ加工中にサプレッサ３とかみ合わない。図１８に示すように、突出領域は単に後退領域３３に突出している。その他の点においては、第２変形態様は第１変形態様に対応している。
【０１５１】
図１９および２０は、第３態様におけるサプレッサ３およびフランジ加工ダイユニット２の配置を示す。第３態様において、サプレッサ３の、押さえつけ端部３１に境する領域は、傾斜領域３７を含み、傾斜領域３７は、この領域において、サプレッサ３は、横断方向Ｑにおいて、それぞれに対向するフランジ加工ダイ２１から離れるアングルを有するように形成されている。横断方向Ｑに突出し、第１フランジ加工エリア２１ａがそれぞれ形成されるフランジ加工ダイ２１の領域は、よって、押さえつけ端部３１を超えて突出することができる。すなわち、第２フランジ加工工程においてフランジ加工ベッド１１からみて、押さえつけ端部３１を超えて延長できる。これによって、それぞれ同じフランジ加工ダイ２１および連続的に押さえつけ位置におかれるサプレッサ３を使用して、複数のフランジ加工工程においてフランジ加工が可能になる。
【０１５２】
図２１は、第２実施形態におけるフランジ加工プレス機を示す。フランジ加工プレス機は、この場合もデュアルプレス機として実現され、中央ベース構造１、第１フランジ加工ダイユニット２、第２フランジ加工ダイユニット４、第１サプレッサ３、第２サプレッサ５、およびプレスドライブ１４を含む。これらのフランジ加工プレス機主要コンポーネントは、第１実施形態に対応する。第１実施形態と同様に、フランジ加工プレス機は、サンドイッチ配置のデュアルプレス機として形成され、第１実施形態のような２つのシングルプレスが、中央の、共通ベース構造１に背中合わせに配置される。
【０１５３】
第１実施形態の例とは異なり、このデュアルプレス機は、水平軸Ｓを軸にして回動できるように、静置状態で配置された枠組み６に搭載されている。回動動作の文脈において、プレス全体は、図２１に示す直立アライメントから水平アライメントに回動軸Ｓを中心に回動でき、フランジ加工ベッド１１あるいはフランジ加工ベッド１２のいずれかが上方を向き、他方のフランジ加工ベッドが下方を向く。
【０１５４】
フランジ加工プレス機は、回動動作を発生させることができる、回動ドライブ９を含む。フランジ加工プレス機は、回動するために、枠組み６内でベース構造１を介して回動できるように搭載される。回動ドライブ９は、枠組み６にサポートされた回動モーター、および、回動モーターの回転動作をベース構造１に伝達し、これによってプレス全体に伝達するトラクションドライブを含む。
【０１５５】
図２２は、第３実施形態の例におけるフランジ加工プレス機を示す。このフランジ加工プレス機もまた、デュアルプレス機として形成される。すなわち、２つのシングルプレスを含む。第３実施形態の例において、他の２つの実施形態の例における水圧式（油圧式）のプレスドライブ１４は、プレス加工動作を発生させるプレスふいごドライブに置換されている。これまでに説明されたフランジ加工プレス機の枠組みは、中央サポート構造に置換され、これも枠組み１３として示されている。その他の実施形態の例とは異なり、プレス加工動作はフランジ加工ダイユニット２および４によって行われず、２つのベアリング構造１０、すなわち、これらのフランジ加工ベッド１１および１２によって行われ、フランジ加工ダイユニット２および４はそれぞれのプレス方向Ｆに動かないように配置される。
【０１５６】
第３実施形態のフランジ加工プレス機も、同様に、垂直に直立している。右側ベアリング構造１０およびフランジ加工ダイユニット２は、枠組み１３の右に配置され、左側ベアリング構造１０および第２フランジ加工ダイユニット４は、枠組み１３の左に配置される。枠組みと右側ベアリング構造１０の間に配置される第１プレスふいご６０、および枠組み１３と左側ベアリング構造１０の間に配置される第２プレスふいご６０がそれぞれ、プレスドライブを形成する。圧力が充填された時、第１プレスふいご６０は伸長し、これによって右側ベアリング構造１０は、フランジ加工ダイユニット２に向けて動く。第２プレスふいご６０も同様に、圧力が充填された時に伸長し、これによって左側ベアリング構造１０は、第２フランジ加工ダイユニット４に向けて動く。この配置に基づく相違点以外に、ベアリング構造１０は、その他の２つの実施形態に対応することができ、第３実施形態の各ベアリング構造１０は、それぞれ１つのみのフランジ加工ベッド１１あるいは１２の１つだけを含む。プレスドライブおよび力学的に逆になること以外に、２つのシングルプレス１０、２および１０、４は、その他２つの実施形態の例におけるシングルプレスに対応する。
【０１５７】
１つの変形例において、２つのプレスふいご６０は、単一のプレスふいごに置換されることができる。このような変形例においては、中央枠組み１３を省略できる。単独のプレスふいごは、しかし、２つのベアリング構造１０を同時に反対方向に、それぞれに割り当てられたフランジ加工ダイユニット２あるいは４に向けて動かすことのみできる。このような変形例においては、たとえば機械的または空気的（圧縮空気で駆動する）ばねデバイス、あるいはまた電動リターンストロークデバイスといったリターンストロークデバイスが、リターンストロークを起こす。
【０１５８】
第３実施形態におけるフランジ加工プレス機について付け加えると、その他２つの実施形態の例と同様に、ベアリング構造１０は、ガイド要素１５と同等のガイド要素を含むことができ、フランジ加工ダイユニット２および４は、ガイドカウンタ要素２５および４５と同等のガイドカウンタ要素を対応して含むことができる。その他の実施形態の例でも同様に、フランジ加工ダイユニット２および４あるいは枠組み１３にロッド形状またはランス形状のガイド要素を代わりに設けることができ、そしてガイドカウンタ要素２５および４５と同等の対応するガイドカウンタ要素をベアリング構造１０に設けることができる。
【０１５９】
図２３および２４は、２つのプレスふいご６０のうちの１つの平面図および側面図を示す。プレスふいご６０はそれぞれ、好ましくは加圧空気である圧力が充填され、そして圧力から解放されることができる、ふいごのフレキシブル部分および／あるいはフレキシブルふいご壁６１、および、枠組み１３あるいはその他のサポート構造、そしてそれぞれに割り当てられたベアリング構造１０に取り付けるための２つの搭載構造６２および６３を含む。搭載構造６２および６３は、環状あるいは全面で実現することができる。フレキシブルふいご壁６１は、実施形態の例で示す通り、ほとんどそれぞれのふいご６０の外周に制限することができる。搭載構造６２および６３は、そして、たとえば円形ディスク、あるいはフランジ加工ベッド１１あるいは１２の輪郭に適合する形状のディスクとすることができる。フレキシブルふいご壁６１は、図２４に示すように、距離をもって互いに対向して置かれる搭載構造６２および６３の周端部に沿って延長し、周端部にわたって流体シールで２つの搭載構造６２および６３に接続することができる。フレキシブルふいご壁６１は、自動車のホイールのへりに配置されたタイヤにおおよそ対応する。それぞれのプレスふいご６０のエリアから見て、フレキシブルふいご壁６１の左と右に配置されたフランジ加工プレス機の構造（実施形態の例においては、ベアリング構造１０および枠組み１３）が流体シールされている場合は、ディスク形状の搭載構造６２および６３の代わりに、環状の搭載構造６２および６３も使用できる。これは、このような搭載構造６２および６３と、プレス機のそれぞれの構造１０および１３との間に、流体的に密閉された連結を確かにするために必要であるのみである。これは、実施形態の例にある通り、周端部に沿って十分にねじ接続をシールすることによって、そしてオプションでガスケットを含めることによって確かにすることができる。
【０１６０】
図２５は、第４実施形態の例のフランジ加工プレス機を示し、第４実施形態の例のフランジ加工プレス機は、他の実施形態の例とは異なり、水平に配置される。プレス方向Ｆは、これに応じて垂直となる。本質的な設計は、しかし他の実施形態の例のものに対応している。よって、フランジ加工プレス機は、ベアリング構造１０と枠組み１３とを装備するベース構造１、そしてベアリング構造２０を装備するカートリッジ形状のフランジ加工ダイユニット２をも含む。また、押さえつけ、そして好ましくはフランジ加工されるコンポーネントを挿入および取り出しもするために、フレーム状のフランジ加工ダイユニット２の中央パッセージを通って、図２５で示す押さえつけ位置に動かすことができるように、サプレッサ３も設けられる。その他の実施形態の例と同様に、サプレッサ３は、その裏側に、複数軸のロボットアームに取り付けるための、取り付けデバイス３４を含む。その他の実施形態の例と同様に、フランジ加工プレス機は、軸方向に延びるガイド要素１５を含む。ガイド要素１５は、ガイドカウンタ要素３５が通されると軸方向にサプレッサ３をガイドする。ロボットは、単にコンポーネントを保持するか、あるいは挿入し、あるいは取り出しするために、サプレッサ３を軸方向に移動させる。しかし、もはや、プレス加工軸線Ｆを横断する方向において、ヘミング加工ベッドに対して位置させる必要はない。コンポーネントフランジを折りたたむのに必要なプレス力は、すでに説明されたプレスふいご６０に対応するプレスふいご６０により発生される。
【０１６１】
図２６〜３４は、異なる組み立て段階におけるフランジ加工プレス機を示し、これらから、第４実施形態の例におけるフランジ加工プレス機の設計がより容易に推定される。
【０１６２】
図２６は、ベース構造１の枠組み１３のみを示すが、枠組み１３にサポートされたプレスふいご６０も示す。枠組み１３は、枠組みベアリング構造１００、たとえば、好ましくは枠組み柱によって運ばれる枠組みプレート１００を含む。枠組みプレート１００は特に、好ましくは少なくとも７０ｍｍ、より好ましくは少なくとも８０ｍｍの厚みを有する鋼板とすることができる。プレスふいご６０は、枠組みプレート１００の中央領域に、好ましくは枠組みプレート１００の上側に配置され、これに固定されて接続される。追加のドライブ６９も、枠組み１３にサポートされ、プレスふいご６０の周囲に分布されて配置された複数の駆動ユニットを含む。この実施形態の例においては、４つの駆動ユニットが設けられている。追加のドライブ６９は特に、空気的（圧縮空気による）駆動とすることができる。駆動ユニットは、プレス方向Ｆに往復運動可能なストローク要素を含む。枠組みプレート１００は、ベアリング構造が枠組みプレート１００のサポート機能を果たせる限り、プレート形状を有さない枠組みベアリング構造１００に置換することができる。生産上の理由から、よって製造コストの観点からプレートが好ましい。
【０１６３】
図２７は、ベアリング構造１０を含むベース構造１を示す。ベアリング構造１０は、プレスふいご６０に配置され、好ましくはプレスふいご６０に固定されて接続される。ベアリング構造１０は、プレスふいご６０に対し少なくとも横断方向にあるいは少なくとも軸方向に動かない。ベアリング構造１０は、枠組み１３に対しプレス方向Ｆに移動可能である。ガイド要素１５は、その他の実施形態の例と同様にベース構造１の構成要素であるが、枠組み１３に対しプレス方向Ｆにおよび／あるいは軸方向に、ベアリング構造１０と共に移動可能である。ガイド要素１５は、枠組み１３のガイドカウンタ要素１３ａにより軸方向にガイドされる。この実施形態の例において、ガイド要素１５は、各ガイドカウンタ要素１３ａの領域から枠組みプレート１００を突き抜けて突出する。
【０１６４】
ベアリング構造１０は、側方に突出する回転ガイド要素１９を含み、この手段によって、ベアリング構造１０が、軸方向に動かないようにガイド要素１５に接続される。ベアリング構造１０は、プレスふいご６０のストローク動作中に軸方向にガイド要素１５を追従させることにより、枠組み１３に対してガイドされる。回転ガイド要素１９は、それぞれに割り当てられたガイド要素１５の外周に適合したパッセージおよび／あるいはガイディングアイである。ガイド要素１５は、その他の実施形態の例と同様に、テンシング要素１６の手段によってサプレッサ３に張力を加えることができるように、回転ガイド要素１９との係合した状態で、ベアリング構造１０に対して回転可能である。
【０１６５】
エクステンション１０ａは、ベアリング構造１０から一方に突出し、以下にさらに説明される、追加のフランジ加工デバイスへのプラットフォームとしての機能を果たす。
【０１６６】
図２８において、ベース構造１は、フランジ加工ベッド１１により補われる。フランジ加工ベッド１１は、ベアリング構造１０に配置され、ベアリング構造１０に対して動かないように接合される。たとえばねじ接続の手段によって、ベアリング構造１０およびフランジ加工ベッド１１が取り外し可能に互いに接続されることが好まれる場合には、フランジ加工ベッド１１のみを交換して、その他は変更のないベース構造１を使用して、互いに幾何学的配置が異なるコンポーネントをフランジ加工することができる。これによって、実施形態にあるように、第１フランジ加工ベッド１１を使用して車両ドアをフランジすることが可能になり、そして別の、交換可能なフランジ加工ベッド１１を使用して、たとえば別の車両モデルのボンネット、ハッチバック、あるいは車両ドア、あるいは同じ車両モデルの他のドアをフランジすることが可能になる。交換可能性について述べると、フランジ加工に必要なベアリングサポートを各コンポーネントに提供するのに絶対に必要な全ての機能から、フランジ加工ベッド１１が解放されることが有利である。よって、好ましい実施形態において、例にある通り、１つの側壁構造が単に含まれ、その輪郭は、フランジ加工されるフランジの輪郭に適合し、コンポーネントのベアリングサポート、また永久的なあるいは好ましくは取り外し可能なベアリング構造１０に対して接合された連結に必要な接合要素、そしてオプションで１つあるいはそれ以上のフランジ加工ストロークを制限する１つあるいはそれ以上の当接部が、側壁構造のエンドに面する側に形成される。ガイドカウンタ要素１９は特に、フランジ加工ベッド１１の一部を形成する必要がなく、フランジ加工ベッドが交換された時に、同じまま、ベアリング構造１０の一部であることが有利である。
【０１６７】
図２９は、すでに言及された追加のフランジ加工デバイス７０が取付けられた後のベース構造１を示す。追加のフランジ加工デバイス７０が、ベアリング構造１０のエクステンション１０ａに配置されている。追加のフランジ加工デバイス７０は、フランジ加工スライダ７１およびスライダドライブ７２を含む。フランジ加工スライダ７１は、スライダドライブ７２の手段によって、プレス方向Ｆを横断する方向において、フランジ加工ベッド１１とオーバーラップするように前進でき、またオーバーラップを解消するように戻ることができる。フランジは特に、追加のフランジ加工デバイス７０の手段によって、コンポーネントのスロット、たとえば車両ドアのウインドウスロットに折りたたまれることが可能である。
【０１６８】
図３０は、エクステンション１０ａ、そしてベアリング構造１０に対して軸方向に動かすことはできないがベアリング構造１０に対して回転可能なガイド要素１５、およびベアリング構造１０に取付けられたフランジ加工ベッド１１を含む、ベース構造１のベアリング構造１０のみを示す。エクステンション１０ａにサポートされる、追加のフランジ加工デバイス７０も示されている。コンポーネントＢが、フランジ加工ベッド１１に位置している。その他の実施形態のように、コンポーネントＢは、車両ドアである。フランジ加工ダイユニット２の手段によって折りたたまれるフランジＣは、コンポーネントＢの左側、右側、そして下側端部に沿って延び、よって、車両ドアに通例であるように、１８０°±２０°度の範囲にわたってコンポーネントＢの外側端部に沿って延びている。フランジＣは、たとえば２つの側端部がそれぞれ下側端部に推移する領域といった角の領域において便宜上分断されている。選択された、車両ドアＢの例において、フランジＣは、複数のフランジ部から構成されており、具体的には、第１側端部フランジＣ１、下端部フランジＣ２、および第２側端部フランジＣ３を含む。おおよそ、フランジＣはＵ字形状の輪郭を示し、互いに対向する側端部フランジＣ１およびＣ３はしかし、概して互いに平行ではなく、また曲線の輪郭も示す。下端部のフランジＣ２は、少なくとも実質的に直線的に延びているが、原則的には曲線も有する。
【０１６９】
図３１において、第４実施形態の例におけるフランジ加工プレス機は、フランジ加工ダイユニット２により補われている。他の実施形態の例とは異なり、フランジ加工ダイユニット２のベアリング構造２０は、動かすことができないように、ベース構造１の枠組み１３に接続されている。好ましい場合は、ベアリング構造２０は、枠組み１３の柱に静置される。ベアリング構造２０は、枠組みプレート１００と同等に、好ましくは少なくとも７０ｍｍ、より好ましくは少なくとも８０ｍｍの厚みを有する、プレートとして、好ましくは鋼板として形成される。
【０１７０】
図３２は、取付けられる前のフランジ加工ダイユニット２の、取付けられた時にフランジ加工ベッド１１に向かう下側の等軸測視図を示す。その他の実施形態の例と同様に、ベアリング構造２０は、コンポーネントフランジＣの外形に適合する内周２８により区画される中央パッセージを含む。複数のフランジ加工ダイ２１は、パッセージの内周２８に沿って配置されており、それぞれに折り曲げられる、フランジＣｉに割り当てらたものとして、２１．ｉと示されている。実施形態の例において、フランジ加工ダイ２１．ｉは、図３０に示すように、さらに細分された３つのフランジ部Ｃ１、Ｃ２、そしてＣ３であるフランジＣの輪郭に応じて設けられる。フランジ加工ダイは、それぞれの割り当てが図示される。すなわち、側端部フランジＣ１に対して１つあるいはそれ以上のフランジ加工ダイ２１．１が割り当てられ、下端部フランジＣ２に対して１つあるいはそれ以上のフランジ加工ダイ２１．２が割り当てられ、他方の側端部フランジＣ３に対して１つあるいはそれ以上のフランジ加工ダイ２１．３が割り当てられる。フランジ加工ダイ２１．ｉは、それぞれベアリング構造２０に対して１つの横断方向Ｑｉに往復運動ができ、この目的において、その他の実施形態の例に対応する、それぞれに割り当てられたフランジ加工ダイドライブ２２が設けられる。横断方向Ｑｉはそれぞれ、プレス方向Ｆを横断する方向、そしてそれぞれに割り当てられたフランジＣｉを横断する方向を指し、割り当てに応じて、Ｑ１、Ｑ２、そしてＱ３として示される。
【０１７１】
ベアリング構造２０のパッセージをはさんで互いに対向に置かれるフランジ加工ダイ２１．１および２１．３は、横断方向に、互いに平行に移動可能である。しかし、概して、特に互いに対向する側端部フランジＣ１およびＣ３が少なくとも実質的に平行を向かない場合には、横断方向Ｑ１およびＱ３は異なる。たとえばドア、ボンネット、ハッチバック、およびサンルーフといった、車両製造において通例である多くのコンポーネントの場合において、横断方向Ｑ１およびＱ３の、平行からの角度の偏向は、たとえば最高で２０°、あるいは最高で１０°といった、少しの角度にしかならない。ほとんどの適用において、ベアリング構造２０のパッセージをはさんで対向するフランジ加工ダイ２１．１および２１．３の方向Ｑ１およびＱ３は、フランジ加工ダイ２１．１および２１．３を横断する方向に配置された１つまたは複数のフランジ加工ダイ２１．２に対して少なくとも実質的に直交する方向を向く。ほとんどの場合、直交からの偏向の可能性は、最高で２０°あるいは最高で１０°である。第４実施形態の例におけるフランジ加工ダイユニット２は、その移動可能性、ドライブ２２、それぞれに割り当てられたフランジ加工ダイ２１．ｉにどのように結合されるか、フランジ加工ダイ２１．ｉがどのようにベアリング構造２０に搭載されるかについて、その他の実施形態の例におけるフランジ加工ダイユニット２に対応させることができる。ガイドカウンタ要素２５も、たとえばベアリング構造２０を通じて軸方向にパッセージを通すことができる。
【０１７２】
図３３は、第４実施形態の例におけるサプレッサ３を示す。その他の実施形態の例と同様に、サプレッサ３は、特に以下を含む。その輪郭が折りたたまれるフランジＣの外形に適合した自由押さえつけ端部３１、ガイド要素１５に対するガイドカウンタ要素３５、およびテンシング要素１６に対するテンシングカウンタ要素３６。機能については、その他の実施形態の例におけるサプレッサ３に対応する。ベアリング構造３０の設計のみが、その他の実施形態の例と異なる。ベアリング構造３０の構造要素は少ないが、その他の実施形態の例のものに比較して断面は広く、この例においても横断方向に支柱が使用されている。中央領域において、ロボットのための取り付けデバイス３４がサプレッサ３の裏側に配置されている。
【０１７３】
図３４は、ベース構造１およびサプレッサ３を含み、フランジ加工ダイユニット２を含まない図７のフランジ加工プレス機を示す。フランジ加工ダイユニット２は、単にサプレッサ３がフランジ加工中にフランジ加工ベッド１１に対してとる体勢を図示する目的で、示されていない。
【０１７４】
図３５は、互いに対するベース位置においてフランジ加工中に直接的に共働する第４実施形態の例におけるコンポーネントを示す。このベース位置において、コンポーネントＢは、サプレッサ３と、共働するガイド要素１５、およびガイドカウンタ要素３５との手段によって挿入される。すなわち、フランジ加工ベッド１１のベアリングサポートに位置され、共働するテンシング要素１６およびテンシングカウンタ要素３６によって発生した、フランジ加工に適した押さえつけ圧力でフランジＣに沿って押さえつける。オプションとして、サプレッサ３は、ウインドウスロットに沿ってコンポーネントＢを、好ましくはより少ない力で保持もする。
【０１７５】
その他の実施形態の例と同様に、第４実施形態の例においても、フランジＣは、順番に行われる２つのフランジ加工工程において完全に折りたたまれる。しかし、他の実施形態の例とは異なり、フランジ加工エリア２１ａおよび２１ｂは横断方向Ｑに互いに隣に配置されるのではなく、順に重ねてプレス方向Ｆに配置される。フランジ加工エリア２１ａおよび２１ｂはまた、異なるフランジ加工ダイ２１に形成される。プレフランジ加工用のフランジ加工エリア２１ａは、水平配置により上方のフランジ加工ダイとなるフランジ加工ダイ２１に形成される。フランジ加工ダイ２１は、ベース位置にあるフランジ加工ベッド１１からさらに離れている。最終フランジ加工用のフランジ加工エリア２１ｂは、水平配置により下方フランジ加工ダイとなるフランジ加工ダイ２１に形成される。フランジ加工ダイ２１は、ベース位置にあるフランジ加工ベッド１１により近い。フランジ加工ダイ２１は、割り当てられたドライブ２２の手段によって横断方向Ｑに往復運動できるように、ベアリング構造２０に配置されるフランジ加工ダイサポート２９に配置される。
【０１７６】
フランジ加工ダイユニット２の全体が示されている図３２において、フランジ加工ダイサポート２９およびフランジ加工ダイ２１の組み合わせからなるユニットはそれぞれ、フランジ加工ダイ２１．ｉとして示されている。各フランジ加工ダイ２１．ｉは、図３５に示す断面の設計を有する。変形例において、順に重ねて配置されるフランジ加工エリア２１ａおよび２１ｂは、同じフランジ加工ダイ２１に形成することもできる。フランジ加工ダイ２１そのものにこれらをそれぞれ形成し、より延性のある材料で作られたフランジ加工ダイサポート２９に配置することは、しかし、生産コストの減少につながる。全体として、あるいはユニットとして、移動可能であるフランジ加工ダイ２１．ｉは、それぞれ、フランジ加工ダイの土手として、そしてさらにその他の実施形態の例におけるフランジ加工ダイ２１としてみなすことができる。よって、フランジ加工ダイ２１．ｉの各土手は、第４実施形態の例のように、順に重ねて配置された複数のフランジ加工ダイ２１を有するのみならず、隣同士に配置された複数のフランジ加工ダイ２１とすることもでき、各フランジＣの部分のうちの１つ、たとえばフランジ部Ｃ１〜Ｃ３のうちの１つを、一体的にフランジ加工ダイ２１．ｉの各土手に対応させて全体を折りたたむ。
【０１７７】
フランジ加工中、フランジ加工ストロークは共働する当接部により機械的に決められる。第１当接部１０１および第２当接部１０２は、少なくともプレス方向Ｆに動かないように、好ましくは全く動かないようにフランジ加工ベッド１１に接続されている。第３当接部１０３および第４当接部１０４は、プレス方向Ｆに動かないように、フランジ加工ダイユニット２（図３２）に接続されている。これら２つの当接部１０３および１０４は、フランジ加工ダイサポート２９に接続されており、よってフランジ加工ダイ２１の横断動作に加わるようにフランジ加工ダイ２１に接続されている。当接部１０３もまた、フランジ加工ダイ２１に対して横断方向Ｑに動くことができず、特に全く動かないように、フランジ加工ダイサポート２９に配置されている。これに対し当接部１０４は、フランジ加工ダイ２１に対し横断方向Ｑにガイド１０５に沿って往復運動が可能であり、フランジ加工ベッド１１近くの前位置に向けてばね１０６により張力を加えられている。
【０１７８】
当接部１０１および１０３は、プレフランジ加工中に共働し、当接部１０２および１０４は、最終フランジ加工中に共働する。別の特徴としては、プレフランジ加工中に当接される当接部１０１および１０３の当接エリアは、フランジ加工ダイ２１の横断移動におけるプレス方向Ｆおよび横断方向Ｑに傾いている（実施形態の例においては単純に斜めに）。この傾きはしかし、当接機能がプレス方向Ｆに確実になされるように、設定されている。
【０１７９】
図３６は、フランジ加工工程（ａ）〜（ｋ）の順番で、フランジ加工のワークフローを示す。（ａ）において、フランジ加工ベッド１１およびフランジ加工ダイ２１は互いに対して、図３５に示される、ベース位置をとる。ベース位置にて、コンポーネントが挿入される。図３６（ｂ）は、図３５に対応する。フランジ加工プレス機は、まだ対応してベース位置の体勢にあるが、コンポーネントＢがサプレッサ３の手段によって挿入されており、フランジ加工ベッド１１に押し込まれる、すなわち、テンシング要素１６およびテンシングカウンタ要素３６の手段によって押さえつけられている（図３４）。
【０１８０】
ベアリング構造１０、そしてこれと共にフランジ加工ベッド１１が、追加ドライブ６９（図２８および２９）の手段によって、当接部１０１が当接部１０３と当接するまで、プレス方向Ｆにベース位置の体勢から移動する（第４実施形態の例では、垂直のプレス方向Ｆに応じて上昇する）。この中間ストロークの間、フランジ加工ダイ２１は、まだ横断方向Ｑにフランジ加工ベッド１１から後退している、および／あるいはフランジ加工ベッド１１から自由になっている。
【０１８１】
図３６（ｃ）は、中間ストロークを実行した後の、ヘミング加工ベッド１１を示し、ヘミング加工ベッド１１は当接部１０１および１０３により決定された中間位置にある。フランジＣは、フランジ加工エリア２１ａと距離をおいて、そしてプレス方向Ｆおよび横断方向Ｑに一定にオフセットされて対向している。プレス方向Ｆに対するオフセットは、フランジ加工ダイサポート２９が横断方向Ｑに、プレフランジ加工のストロークがここから行われる前位置に前進できるように、選択される。
【０１８２】
図３６（ｄ）において、フランジ加工ダイ２１は、プレフランジ加工に向けて前進している。当接エリアは、当接部１０１および１０２が横断動作を許可するように、ある方向に傾いている。傾いた当接部１０１の当接エリアはまた、フランジ加工ダイ２１が一度前進したら、当接部１０１および１０３が再度プレス方向Ｆに距離をもって対向に位置するように、フランジ加工ベッド１１に向けて十分に遠く横断方向Ｑに延長している。新たな横断位置にある当接部１０１および１０３の間の軸方向の距離は、プレフランジ加工におけるストロークの長さに対応している。まだ中間位置にある、フランジ加工ベッド１１は、ベアリング構造１０を介して追加ドライブ６９（図２６）にサポートされる。実際のフランジ加工ストローク（次の工程におけるプレフランジ加工のストローク）は、プレスふいご６０により発生され、好ましくはプレスふいご６０のみによって発生される。プレスふいご６０には、圧力流体、好ましくは加圧空気が充填され、これによって、フランジ加工ベッド１１が、ベアリング構造１０を介してプレス方向Ｆに押し出させる。プレフランジ加工のストロークにおいて、フランジＣは、傾いたフランジ加工エリア２１ａと圧接され、そしてフランジ加工エリア２１ａの傾き、たとえばおよそ４５°、に応じて折りたたまれる。
【０１８３】
図３６（ｅ）は、プレフランジ加工のストロークを実行した後のフランジ加工プレス機を示す。このフランジ加工工程におけるストロークは、当接部１０１および１０３の、別の当接により決められる。
【０１８４】
他方のペアの当接部１０２および１０４についていうと、当接部１０２と１０４のペアは、プレフランジ加工における機能を有さない。当接部１０２および１０４がプレフランジ加工を妨害しないように、当接部１０４は、ばねの力に反して横断方向Ｑに移動可能である。フランジ加工ベッド１１が中間位置に移動した時、図３６（ｂ）および３６（ｃ）の比較からわかるように、当接部１０４は、まず当接部１０２と側方にオーバーラップするように通る。フランジ加工ダイ２１がそして前進すると、当接部１０４はばね１０６の力に反して横断方向Ｑにおいて相対的に下がり、これによってこの前進動作および／あるいはフランジ加工ダイ２１が図３６（ｄ）でとる体勢に配置されるのを妨害しない。
【０１８５】
プレフランジ加工の後、第４実施形態ではプレスふいご６０の圧力流体流出口を開け、プレスふいご６０にかかる負荷を使用して圧力流体をプレスふいご６０の外に押し出すことによって、重力を使用してプレスふいご６０が解放される。このリターンストロークの長さは、プレフランジ加工のストロークの長さに対応する。リターンストロークは、追加ドライブ９により、そしてオプションによりプレスふいご６０の１つあるいはそれ以上の内部当接部により決められる。プレスふいご６０が解放される直前に、フランジ加工ダイドライブ２２（図３１および３２）は、フランジ加工ダイ２１を動かして戻すように、好ましくは張力を加える。これは、フランジ加工ダイドライブ２２が好ましくは空気的に（圧縮空気により）駆動される場合、特に有利である。プレスふいご６０が、各フランジ加工ダイドライブ２２が張力を加えられた後に解放されるのみの場合は、フランジ加工ダイ２１を、フランジ加工ベッド１１から横断方向Ｑに、より素早く離すことができる。フランジ加工ダイドライブ２２は、当接部１０１および１０３の傾斜当接エリアを介してバイアスされており、これにより、フランジ加工ベッド１１のリターンストローク動作が開始される前にいかなる横断動作も許可しない。これに対し、フランジ加工ダイ２１の展開は、フランジ加工ダイ２１が対応するインパクト負荷で急激に動くことができないように、傾斜当接エリアにより制御されている。フランジ加工ダイ２１はよって、フランジ加工ベッド１１およびフランジ加工ダイ２１が互いに対して図３６（ｆ）に示す位置をとるまで、フランジ加工ベッド１１から離れるように、制御されて横断方向Ｑに後退する。
【０１８６】
図３６（ｇ）に示す最終フランジ加工前の中間工程において、フランジ加工ベッド１１は、この例では追加ドライブ６９の手段によって中間位置からそのベース位置に戻る。
【０１８７】
フランジ加工ベッド１１がまだベース位置にある時、フランジ加工ダイ２１は、フランジ加工エリア２１ｂが、すでに部分的に折りたたまれたフランジＣに対向に位置するように、最終フランジ加工のためにプレス方向Ｆに再度前進する。図３６（ｈ）は、この相対的位置にあるフランジ加工ベッド１１とフランジ加工ダイ２１を示す。この状態から、再度プレスふいご６０に圧力流体を充填することにより、最終フランジ加工ストロークが直接次の工程で行われる。プレスふいご６０の軸方向の伸長は、圧力の充填に関連しており、フランジ加工ベッド１１を、プレス方向Ｆに、図３６（ｉ）でとられる位置に押す。このフランジ加工ストロークは、好ましくはプレスふいご６０のみによって発生される。このストローク動作中、当接部１０２および１０４は、互いにプレス方向Ｆに当接し、これによって、最終フランジ加工ストロークを決める。フランジＣがそして完全に折りたたまれる。
【０１８８】
最終フランジ加工の後、プレスふいご６０は好ましくは通気により圧力から解放され、この構造が特にベアリング構造１０とフランジ加工ベッド１１とに置かれていることから、重力を使用して圧力流体流出口を開けることによりこれも非常に容易に達成できる。フランジ加工ベッド１１が下降された後、フランジ加工ダイ２１は、フランジ加工ベッド１１から横断方向Ｑに離れ、ベース位置に戻る。図３６（ｋ）に示す通り、フランジ加工プレス機は再度ベース位置の体勢をとる。最終フランジ加工されたコンポーネントＢは、取り出されて、次のコンポーネントＢがサプレッサ３によって挿入される。
【０１８９】
図３７〜３９は、フランジ加工プレス機から分離されたプレスふいご６０を示す。プレスふいご６０は、ディスクあるいはプレートの形状とされており、円形を示す。円形の断面は、製造が容易という点で、特に得策である。搭載構造６２は、プレス加工軸線Ｆを周る方向において密に間隔をおいた接続要素６４の手段（たとえばねじ込みボルトとして実現される。）によって、フレキシブルふいご壁６１に接続されている。プレスふいご６０はたとえば、一方の搭載構造６２により枠組みプレート１００に取り付けることができ、軸方向において反対側の搭載構造６２により、ベアリング構造１０に取り付けることができる。
【０１９０】
図３８は、搭載構造６２の１つを取り除いて、プレスふいご６０の内部を示す。搭載構造６２の１つにおいて、好ましくは、枠組み１３に接合された１つにおいて、圧力流体のための流入口６５および流出口６６が設けられており、これらはそれぞれ、好ましくは、搭載構造６２のパッセージとして形成されているが、これはほんの一例である。スペーサ６７も、搭載構造６２の１つから他方の搭載構造６２に向けて突出しており、流出口６６が開かれた時に、プレスふいご６０の軸方向の圧縮を決める。
【０１９１】
図３９は、プレス加工軸線Ｆを環状に囲むプレスふいご６０のふいご壁６１、そして接続リング６３を示す。接続リング６３は、ふいご壁６１の軸方向に向かう端面に配置されており、たとえば、ふいご壁６１を加硫することにより、あるいは、好ましくはエラストマーのふいご壁材料を接続リング６３の接続構造の中または周りに樹脂成型することにより、ふいご壁６１に固定的に流体シールで接合されている。接続リング６３は、特に取付けられた時に事実上変形しないねじり抵抗リング構造であり、ふいご壁６１と搭載構造６２の間に、あるいはふいご壁６１と軸方向に互いに対して動かされる構造の間に、固定的に流体的に密閉された連結を可能にする（第４実施形態の例においては、枠組みプレート１００とベアリング構造１０）。この目的において、周方向に互いに密な間隔の十分な数の接続要素６４（たとえばねじ込みボルト）が、接続リング６３から軸方向に突出し、取付けられた時に、各構造の対応する穴中に突出する。
【０１９２】
プレスふいご６０は、一方の搭載構造６２の位置決め要素６８によって枠組み１３に対して位置決めされ、他方の搭載構造６２の位置決め要素６８によってベアリング構造１０に対して位置決めされる。位置決め要素６８が、枠組み１３の位置決めカウンタ要素、およびベアリング構造１０の位置決めカウンタ要素と、ポジティブフィット（突部が嵌まる）のみで共働すれば、位置決めに十分である。力はめ連結を追加で設けることができるが、必要ではない。ポジティブフィットのみの位置決め係合にて、故障あるいは予防メンテナンス作業におけるプレスふいご６０の交換が容易になる。これに対し、プレスふいごはまた、追加ドライブ６９によって発生したベアリング構造１０のストローク中に強制的に広げるために、枠組み１３とベアリング構造１０とに、軸方向に固定されて接続することができる。
【０１９３】
流入口６５および流出口６６とは別に、プレスふいご６０は自蔵である。すなわち、そのものによりプレス力を発生させるためのプレススペースを形成している。変形例において、１つあるいは両方の搭載構造６２を省略でき、この場合、プレススペースはふいご壁６１を構造に取り付けることによってのみ閉鎖され、たとえば枠組みプレート１００あるいはベアリング構造１０といった、関連するエンドに面する側を閉鎖する。これによって、各構造に、対応して閉鎖されたエリアをみなす。枠組みプレート１００は、そして、たとえばプレスふいご６０の領域に容易に圧力流体のための、搭載構造６２の流入口６５および流出口６６に対応する流入口および流出口のみを有する閉鎖エリアを含むことができる。スペーサ６７に対応するスペーサも、設けることができる。そのような変形例において、ふいご壁６１は、図３９に示す通り、たとえばベアリング構造１０あるいは枠組みプレート１００といった各構造に、接続リング６３の１つの手段によって、固定的かつ流体密閉された状態で接合することができ、これにより変形プレスふいご６０を形成する。そのような変形例において、１つあるいは両方の接続リング６３は、（それぞれ）変形プレスふいご６０の搭載構造を形成し、変形プレスふいご６０は、これに対応してそれぞれのエンドに面する側で、プレスふいごを密閉する構造に流体シールで取り付けすることによって、完成される。
【０１９４】
図４０は、第４実施形態の例におけるフランジ加工プレス機を、フランジ加工ダイユニット２を軸方向に平面視した図を示す。平面図は、折りたたまれるコンポーネントフランジの輪郭の全体にわたって、ベアリング構造２０の内周２８がいかに外形に近似してフランジＣの外形および／あるいはヘミング加工ベッド１１のベアリングサポートを追従しているかを非常に明確に示している。内周２８が示す、コンポーネントＢの外側端部および／あるいはフランジ加工ベッド１１のベアリングサポートから軸方向に投影した局所距離は、「ｄ」で示す。各フランジ加工エリア２１ａあるいは２１ｂの領域に作用するプレス力がベアリング構造２０に伝えられる応力中心距離（ｌｅｖｅｒ  ａｒｍ）は、距離ｄに応じて小さい。プレスふいご６０からベアリング構造２０への力の流れにおいて、プレス力は主に軸方向にのみ伝達され、よって力としてのみであり、曲げモーメントを介して、取るに足らないものでしかない。フランジＣと内周２８との間の局所距離は、フランジＣの長さにわたって、有利には、８ｃｍ未満、より好ましくは５ｃｍ未満である。内周２８は、各フランジＣが折りたたまれる時に、第４実施形態の例のようにフランジ加工ダイサポート２９を介して、あるいはその他の実施形態の例と同様に直接に、軸方向においてフランジ加工ダイ２１をサポートする。
【０１９５】
第４実施形態の例について、第１実施形態の例との違いが説明されていなければ、サプレッサを含めフランジ加工プレス機のコンポーネントの特徴について、そしてそれらがどのようにして共働するかについて第１実施形態の例について述べた事柄が適用される。第１実施形態の例におけるフランジ加工プレス機のコンポーネント、および、第２実施形態の例におけるフランジ加工プレス機コンポーネントは、原則的には交換もでき、これに関連する適合について詳しく述べる必要はない。プレス方向を横断する方向に隣同士に配置されるフランジ加工エリア２１ａおよび２１ｂを含むフランジ加工ダイ２１は、たとえば第４実施形態の例においても順に重ねて配置されるフランジ加工ダイ２１の代わりに使用できる。このような変形例においては、たとえば追加ドライブ６９を省略することができる。また、第４実施形態の例に基づき順に重ねて配置されるフランジ加工ダイ２１は、第１実施形態の例におけるフランジ加工ダイの代わりに使用することができる。第４実施形態の例におけるその他の変形例において、プレスふいご６０は、プレス方向Ｆにおいて、全ての動作を発生でき、すなわち、追加ドライブ６９を省略できる。プレスふいご６０は、短い軸方向のストロークのみのために構成されている場合に、有利である。
【０１９６】
枠組み１３への固定された連結がリリースされると、フランジ加工ダイユニット２は、たとえば天井クレーンといった引き上げデバイスの手段によって、枠組み１３から引き上げ、ターンし、ターンしたら、再度枠組み１３（実施形態の例においては、枠組み１３の柱）に置かれることができる。これによってあらゆる仕上げ、あるいは必要となることがある、たとえば磨き、あるいはリグラインドといった、ひき続いてのフランジ加工ダイ２１の再加工を容易にする。さらなる発展型において、フランジ加工プレス機は、引き上げ機構を含むことができ、この手段によって、フランジ加工ダイユニット２をプレス方向Ｆにフランジ加工ベッド１１から離すことができる。これにより、（一度離されたら）このような仕上げあるいはフランジ加工プレス機のフランジ加工ダイユニット２あるいは別のコンポーネントに対するその他の作業のための、引き続いてのフランジ加工ダイ２１の再加工のために十分なフリースペースを得る。この手段によって、フランジ加工ダイユニット２をプレス方向Ｆにフランジ加工ベッド１１から離すことができる。第４実施形態の例にように、外部サポート柱を含む実施形態では、これらのサポート柱は、軸方向に入れ子にされることができ、対応するドライブによって進退できる。ドライブは、電気的、空気的、あるいは水圧的（油圧的）に駆動できる。第４実施形態の例のように、プレス方向Ｆが垂直である場合、フランジ加工ダイ２１は、フランジ加工ダイユニット２が伸長された時に、たとえば「下から」プロセスできる。その他の実施形態の例と同様に、プレス方向が水平であれば、側方から作業が可能である。
【０１９７】
図４１は、第５実施形態におけるフランジ加工プレス機の構成要素を、透視図にて示す。第５実施形態におけるフランジ加工プレス機は、第４実施形態におけるフランジ加工プレス機をさらに発展させたものである。機能的に同じ構成要素は、第４実施形態と同様、同じ参照符号で示す。そうでないという記載がなければ、第５実施形態におけるフランジ加工プレス機は、第４実施形態におけるものに対応し、第４実施形態における説明が、説明されていない第５実施形態における全ての態様について、ここに組み込まれる。
【０１９８】
第４実施形態におけるフランジ加工プレス機について、第５実施形態におけるフランジ加工プレス機は、ベース構造１に対して、そしてフランジ加工ダイユニット２に対して移動可能であるストロークベアリング構造１１０を追加で含み、ベアリング構造２０のみが示されている。ストロークベアリング構造１１０は、軸方向の移動可能に、ベース構造１（たとえば枠組みベアリング構造１００）にサポートされる。この例においては、プレスふいご６０は、第４実施形態で枠組みプレートとして形成された枠組みベアリング構造１００と、ベアリング構造１０との間に配置される。プレスふいご６０は、プレス方向Ｆに対応する方向である軸方向において、ベアリング構造１０およびストロークベアリング構造１１０の間に配置される。プレスふいご６０の伸長は、これに対応してストロークベアリング構造１１０とベアリング構造１０の間の軸方向の距離を増加させる。実施形態の例において、プレスふいご６０は、直接的にストロークベアリング構造１１０の軸方向一方側に取り付けられ、直接的にベアリング構造１０の軸方向反対側に取り付けられるのが好ましいが、これはほんの例示である。
【０１９９】
ストロークベアリング構造１１０は、プレートの形状とされるのが好ましいが、これは単に例示である。ストロークベアリング構造１１０は、第４実施形態にて説明された全てあるいは少なくともいくつかの中間ストロークを行う。中間ストロークについては、上述の説明、特に図３６に基づいて説明されたフランジ加工順序を参照のこと。第４実施形態において、プレスふいご６０の軸方向の高さ、そしてこれによって内部スペースの容積は、フランジ加工ベッド１１およびフランジ加工ダイ２１が軸方向に互いに対して行う全てのストローク動作中に変更される。第４および第５実施形態の例において、これらには中間ストロークおよび実際のフランジ加工ストロークが含まれ、すなわち、プレフランジ加工ストロークと最終フランジ加工ストロークが含まれる。プレスふいご６０はよって、第４実施形態の例において、中間ストロークおよび実際のフランジ加工ストロークの長さの合計に比例して少なくとも一度は伸長する。プレスふいご６０の内部スペース中の使用圧力の圧力流体の量は、そのサイズに対応する。第５実施形態におけるプレスふいご６０は、ストロークベアリング構造１１０に動作に基づいてもはや伸長しないことから、中間ストロークを行うとき、圧力流体量のスループットは減少する。
【０２００】
ストロークベアリング構造１１０は、追加ドライブ６９の手段によって軸方向に動く（実施形態の例において、水平配置に基づき持ち上げられる）。リターンストロークは、発生させるか、重力によりアシストされることができる。好ましくは、追加ドライブ６９の複数の駆動ユニットが、第４実施形態の例にあるように、電気的、水圧的（油圧的）あるいは特に空気的な駆動ユニットである。
【０２０１】
追加ドライブ６９をアシストするために、第５実施形態におけるフランジ加工プレス機もまた、サポートデバイスを含む。サポートデバイスは、複数のサポートドライブ１１１およびこれらに結合されたサポート体１１２を含む。サポートドライブ１１１は、ストロークベアリング構造１１０が中間ストロークを行った時に、サポート体１１２をストロークベアリング構造１１０の下に移動させる。サポートドライブ１１１は、延びた時にストロークベアリング構造１１０を機械的にサポートする。これにより追加ドライブ６９が、重量とプレスふいご６０により適用されるプレス力から解放される。そうでなければ、追加ドライブ６９は、十分に強度のある寸法とされるか、あるいは好ましい空気的な実施形態では、機械的にブロックおよび／あるいは内部でラッチをかける必要がある。
【０２０２】
図４２は、互いに対するベース位置（図４１に示す）において、フランジ加工プレス機から分離されたストロークベアリング構造１１０、サポートドライブ１１１、および、サポート体１１２を示す。プレスふいご６０を取り付けるための、取り付け要素（この例においては、内部スレッドに応じたブラインドボアあるいはトランジットボア）も示されている。プレスふいご６０は、特に、その他の実施形態で説明された通りに、たとえば、図３７〜３９に示すように、形成することができる。ストロークベアリング構造１１０は、対応して圧力流体のための流入口６５および流出口６６を含む。
【０２０３】
図４１に示す第５実施形態の例におけるフランジ加工プレス機の構成要素を、図４３に、側面図で、そして図４４に、図４３の切断面線Ａ―Ａにおける断面図で示す。示されているようなフランジ加工プレス機は、ベース状態となっている。ベアリング構造１０およびストロークベアリング構造１１０はそれぞれ、ベース位置をとっている。プレスふいご６０は、圧力から解放されている。図３６に示すような順番で上述の中間ストロークを行うには、追加ドライブ６９がストロークベアリング構造１１０そしてこれと共にプレスふいご６０を動かし、ベアリング構造１０をたとえば第４実施形態の例（図２６〜４０）におけるフランジ加工ベッド１１と共に、フランジ加工ダイユニット２に向けて動かすが、ベアリング構造２０のみが示されている。
【０２０４】
図４５は、共通の中間ストロークを実行した後の、ストロークベアリング構造１１０、プレスふいご６０、そしてベアリング構造１０を示す。サポート体１１２は、すでにサポートドライブ１１１によってストロークベアリング構造１１０の下に移動されており、追加ドライブ６９を解放するために、枠組みベアリング構造１００上のストロークベアリング構造１１０をサポートする。
【０２０５】
図４６は、フランジ加工ストロークを実行した後のフランジ加工プレス機を示す（実施形態の例においては、プレフランジ加工ストローク）。フランジ加工ストロークを実行するには、プレスふいご６０が軸方向に伸長するように、プレスふいご６０に圧力流体が充填される。伸長している間、プレスふいご６０は、ストロークベアリング構造１１０に一方側がサポートされ、ストロークベアリング構造１１０およびサポート体１１２を通じてベース構造１にサポートされる。プレスふいご６０の伸長はよって、フランジ加工ダイユニット２に対してフランジ加工ベッド１１（図示しない）と共にベアリング構造１０のストローク動作を発生させ、すでに述べられた通り、例示としてベアリング構造２０のみが示されている。フランジ加工ストローク（この場合はプレフランジ加工ストローク）が行われたら、ストロークベアリング構造１１０が重力によって、あるいはリターンストロークを便宜的に制動する追加ドライブ６９によってベース位置に戻れるように、サポート体１１２がストロークベアリング構造１１０の領域から退避する。プレスふいご６０は圧力から解放され、フランジ加工ダイが戻る。
【０２０６】
図４７においては、プレスふいご６０に圧力流体が再度すでに充填されている。関連するフランジ加工ストローク（この例においては、最終フランジ加工ストローク）がすでに行われている。これは図３６（ｉ）に示される状態に対応する。第５実施形態の例におけるフランジ加工プレス機は、第４実施形態の例におけるフランジ加工プレス機と同じ一連のフランジ加工動作を行うことができるため、図３６についての説明を参照のこと。第４実施形態の例とは異なり、しかし、中間ストロークがストロークベアリング構造１１０およびプレスふいご６０により一体的に行われ、プレスふいご６０はこれに対応して、全体として軸方向に移動するため、プレスふいご６０は第４実施形態の例でのように遠くまで軸方向に伸長する必要がなく、好ましくは、広げられることがない。
【０２０７】
第４実施形態の例においては、ストロークベアリング構造１１０が中間ストロークを発生させる。中間ストロークが必要ではないため、フランジ加工ベッド１１のストローク動作を、ストロークベアリング構造１１０およびプレスふいご６０共通のストローク動作とプレスふいご６０の広げる動作に分割することもまた実施形態において有利である。実際のフランジ加工ストロークも、圧力流体の出力および／あるいは消費を減少するために原則的には同じように分割できる。多数のストローク動作を行う一連の生産において、このような節約は有意義である。
【０２０８】
圧力流体の量はさらに、あるいは代わりに、減少することもでき、プレスふいご６０の内部スペースに配置できる１つあるいはそれ以上のフィラー体の援助をもって、減少することができる。図４４〜４７に、第５実施形態の例を基にこれを示す。比較的大きいフィラー体１０９がプレスふいご６０の内部スペースに配置され、プレス作動中のプレスふいご６０の最大伸長状態に対してプレスふいご６０の内部スペースの容積の５０％が充填される。圧力流体の消費は、フィラー体１０９（あるいは適用に応じて複数）の比例容量に応じて減少することができる。フィラー体１０９は、また、プレスふいご６０が圧力から解放された時の、スペーサ機能も果たすことができる。これは図４４および４５に示されている。
【０２０９】
第４実施形態の例とは異なり、第５実施形態の例のガイド要素１５は、中空の構造として実現される枠組み１３の柱中に配置されている。これにてプレス方向Ｆを横断する方向のスペース設計、そして設置エリアを節約できる。枠組み１３の柱はまた、ベアリング構造１０あるいはストロークベアリング構造１１０も軸方向にガイドする。軸方向へのサポートは、好ましくは枠組みベアリング構造１００に提供されるが、枠組み１３の柱にも、この代わりに、あるいは追加として提供できる。
【０２１０】
テンシング要素も、変更され、サプレッサのテンシングカウンタ要素との係合のための回転動作も、もはや必要がない。１１６で示されるテンシング要素は、その代わりに、プレス方向Ｆを円周方向に横断する方向に延び、サプレッサのテンシングカウンタ要素が入ることができる凹部あるいはパッセージとして形成される。サプレッサは、これまでに説明されたサプレッサから、この点においてのみ変更されている。
【０２１１】
第５実施形態におけるフランジ加工プレス機は、それ以外は、特に、図示されていないフランジ加工プレス機の構成要素について、第４実施形態におけるものに対応する。
【符号の説明】
【０２１２】
１  ベース構造
２  フランジ加工ダイユニット
３  サプレッサ
４  フランジ加工ダイユニット
５  サプレッサ
６  枠組み
７  サポート構造
８  ベース構造
９  回動ドライブ
１０  ベアリング構造
１０ａ  エクステンション
１１  フランジ加工ベッド
１２  フランジ加工ベッド
１３  枠組み
１３ａ  ガイドカウンタ要素
１４  プレスドライブ
１５  ガイド要素
１６  テンシング要素
１７  テンシングドライブ
１８  補強材
１９  回転ガイド要素
２０  ベアリング構造
２０ａ  パッセージ
２１  フランジ加工ダイ
２１ａ  フランジ加工エリア
２１ｂ  フランジ加工エリア
２２  フランジ加工ダイドライブ
２３  サポート
２４  駆動フランジ
２５  ガイドカウンタ要素
２６  ガイド
２７  当接エリア
２８  内周
２９  フランジ加工ダイサポート
３０  ベアリング構造
３１  押さえつけ端部
３２  突出領域
３３  後退領域
３４  取り付けデバイス
３５  ガイドカウンタ要素
３６  テンシングカウンタ要素
３７  傾斜領域
４０  ベアリング構造
４１  フランジ加工ダイ
４２  フランジ加工ダイドライブ
４４  駆動フランジ
４５  ガイドカウンタ要素
５０  ベアリング構造
５１  押さえつけ端部
５５  ガイドカウンタ要素
６０  ふいご
６１  ふいご壁
６２  搭載構造
６３  接続リング、搭載構造
６４  接続要素
６５  流入口
６６  流出口
６７  スペーサ
６８  位置決め要素
６９  追加ドライブ
７０  追加のフランジ加工デバイス
７１  フランジ加工スライダ
７２  スライダドライブ
１００  枠組みベアリング構造、枠組みプレート
１０１  当接部
１０２  当接部
１０３  カウンタ当接部
１０４  カウンタ当接部
１０５  ガイド
１０６  ばね
１０９  フィラー体
１１０  ストロークベアリング構造
１１１  サポートドライブ
１１２  サポート体
１１６  テンシング要素
Ｂ  コンポーネント
Ｃ  フランジ
Ｃ１  側端部フランジ
Ｃ２  下端部フランジ
Ｃ３  側端部フランジ
Ｆ  プレス方向、プレス加工軸線
Ｑ  横断方向
Ｓ  回動軸
【図１】
0006026656.tif 000002
【図２】
0006026656.tif 000003
【図３】
0006026656.tif 000004
【図４】
0006026656.tif 000005
【図５】
0006026656.tif 000006
【図６】
0006026656.tif 000007
【図７】
0006026656.tif 000008
【図８】
0006026656.tif 000009
【図９】
0006026656.tif 000010
【図１０】
0006026656.tif 000011
【図１１】
0006026656.tif 000012
【図１２】
0006026656.tif 000013
【図１３】
0006026656.tif 000014
【図１４】
0006026656.tif 000015
【図１５】
0006026656.tif 000016
【図１６】
0006026656.tif 000017
【図１７】
0006026656.tif 000018
【図１８】
0006026656.tif 000019
【図１９】
0006026656.tif 000020
【図２０】
0006026656.tif 000021
【図２１】
0006026656.tif 000022
【図２２】
0006026656.tif 000023
【図２３】
0006026656.tif 000024
【図２４】
0006026656.tif 000025
【図２５】
0006026656.tif 000026
【図２６】
0006026656.tif 000027
【図２７】
0006026656.tif 000028
【図２８】
0006026656.tif 000029
【図２９】
0006026656.tif 000030
【図３０】
0006026656.tif 000031
【図３１】
0006026656.tif 000032
【図３２】
0006026656.tif 000033
【図３３】
0006026656.tif 000034
【図３４】
0006026656.tif 000035
【図３５】
0006026656.tif 000036
【図３６】
0006026656.tif 000037
【図３７】
0006026656.tif 000038
【図３８】
0006026656.tif 000039
【図３９】
0006026656.tif 000040
【図４０】
0006026656.tif 000041
【図４１】
0006026656.tif 000042
【図４２】
0006026656.tif 000043
【図４３】
0006026656.tif 000044
【図４４】
0006026656.tif 000045
【図４５】
0006026656.tif 000046
【図４６】
0006026656.tif 000047
【図４７】
0006026656.tif 000048